【手続補正書】
【提出日】平成28年3月7日(2016.3.7)
【手続補正１】
【補正対象書類名】明細書
【補正対象項目名】全文
【補正方法】変更
【補正の内容】
【発明の詳細な説明】
【発明の名称】組成物をディスペンスするための電気機械的なシステム
【技術分野】
【０００１】関連出願との相互参照  本出願は、２０１３年６月１９日に出願された米国特許出願第１３／９２１，５４３号の利益を主張し、米国特許出願第１３／９２１，５４３号の一部継続出願であり、かつ、（ａ）２０１３年８月９日に出願された米国仮出願第６１／８６３，９７９号、および、（ｂ）２０１３年９月７日に出願された米国仮出願第６１／８７５，０３２号の利益を主張する。上記に参照されている出願のそれぞれは、参照により本明細書に組み込まれている。【０００２】  本発明は、組成物をディスペンスするための電気機械的なシステムに関する。
【背景技術】
【０００３】  デオドラント／発汗抑制剤装置は、伝統的に、組成物を含むコンテナであって、組成物が、粘性流体（ゲル）または固形スティックのいずれかであることが可能である、コンテナと、ターンバックルに連結されているねじ山付きのシャフトと、プラットフォームとを含む。ユーザーは、ターンバックルを回し、ターンバックルは、ねじ山付きのシャフトを回転させ、プラットフォームを上方へ移動させ、そして、それは、デオドラント／発汗抑制剤をコンテナから押し出す。形状および設計は変化し得るが、基礎的な動作メカニズムは、市場にあるすべての現在の装置に関してほとんど同一である。【０００４】  既存のおよび一般に使用される、デオドラント／発汗抑制剤をディスペンスするための手動メカニズムは、いくつかの問題に悩まされている。手動装置は、組成物をディスペンスするために両手の使用を必要とする。一方の手は、装置を保持しており、一方、他方の手は、ターンバックルを回転させている。結果として、ユーザーは、組成物が押し出された後に、装置を脇の下へ移動させなければならない。結果として、デオドラント／発汗抑制剤と布地との接触に起因して、衣服は染みを付けられることが多い。【０００５】  対処され得る別の問題は、ディスペンスされるデオドラント／発汗抑制剤の量である。ほとんどの既存の装置では、必要とされる量を見積もるためにバックルが回るとき、ユーザーは、ディスペンスされているときの組成物を見なければならない。結果として、ユーザーは、毎回、異なる量をディスペンスする。この問題に対処するために、いくつかの装置では、ターンバックルは、回転するとクリック音がする。クリック音は、特定の角度回転に対応しているので、クリック音を数えることによって、ユーザーは、繰り返し可能な様式で、ディスペンスされる量を制御することが可能である。しかし、これは、ユーザーが、必要とされるクリック音の数を学習し、記憶することを必要とする。【０００６】  加えて、使用されるべき適当な量に関するガイドラインが存在せず、したがって、ユーザーは、必要とされるよりも多くまたは少なくディスペンスすることが多い。したがって、必要とされる量を固定する自動メカニズムを導入し、ユーザーが塗布ごとに同じ量をディスペンスすることを可能にする必要性が存在している。【０００７】  デオドラント／発汗抑制剤のための既存のディスペンシング装置は、組成物およびリフティングメカニズムを１つのエンティティ（ｅｎｔｉｔｙ）として含み、製造することおよび組み立てることを複雑にし、比較的に高価にする。加えて、ユーザーは、通常、組成物がすべてディスペンスされた後に、デバイス全体を捨てる。したがって、装置の使い捨てのパーツをより単純にすることに関する要望が存在している。【０００８】  固形スティック組成物についての問題は、ユーザーが組成物の残りの量を決定することができないということ、したがって、典型的に、スティックの最後のピースが、使用の間に突然落ち、ユーザーにデオドラントを残さないということである。したがって、スティックがその終わりに到達しそうであるということをユーザーに示す方式に関する要望が存在している。【０００９】  あるユーザーは、���オドラント／発汗抑制剤を最後に塗布したのがいつであったかを忘れ、したがって、連続的に、組成物を２回以上塗布する傾向があり、一方、他のユーザーは、組成物を塗布することを忘れる可能性がある。したがって、組成物がいつ塗布されたか、および、組成物が塗布されたかどうかを示す手段を有することとなる装置に関する要望が存在している。【００１０】  上記に説明されている問題のすべては、他の分野、ならびに、他のタイプの組成物、たとえば、スキンケア組成物、医薬組成物を含む組成物、化粧品組成物、および超音波ゲル組成物に適用され得る。多くのそのような組成物のための既存のディスペンサーは、ディスペンスされる組成物の量を正確に事前決定する方式が欠如している。また、それは、皮膚の中へ組成物を効果的に注入する方式が欠如しており、したがって、皮膚の中への組成物の注入を強化するために、特定の振動エレメントを含むディスペンサーに関する要望が存在している。多くの医薬用途では、組成物は、正確な投薬量、適正な取り扱い、および最小の手の接触を必要とする成分を含む。したがって、正確な投薬量を備えるディスペンサー、および、直接的な接触なしに組成物をディスペンスするための手段に関する要望が存在している。加えて、いくつかの医薬製品は、上記に説明されている従来のデオドラント／発汗抑制剤ディスペンサーを現在使用しており、したがって、先に議論されている問題のほとんどに悩まされている。超音波ゲルは、典型的に、ボトルを絞ることによって塗布され、それは、多くのケースでは、過度の量をディスペンスし、不便およびかなりの無駄を結果として生じさせる。したがって、無駄を最小化し、かつ不便を防止する超音波ゲルディスペンサーを提供する要望が存在している。
【発明の概要】
【課題を解決するための手段】
【００１１】  本発明の適用例は、デオドラント／発汗抑制剤のためのディスペンシング装置に関連し、組成物は、粘性の組成物または固形スティック組成物のいずれかを含む。組成物は、代替的にまたは追加的に、スキンケア組成物、医薬組成物を含む組成物、化粧品組成物、または超音波ゲル組成物を含むことが可能である。ディスペンシング装置は、コンテナホルダーを含み、コンテナホルダーは、１つまたは複数のユーザー入力エレメントと、ドライビングユニットと、パワーソースと、随意的な電子回路とを含む。また、装置は、組成物と、可動プラットフォームとを含有するコンテナを含み、可動プラットフォームは、プラットフォームの移動がコンテナから組成物をディスペンスするように構成されている。ねじ山付きのシャフトが、プラットフォームを移動させ、いくつかの実施形態では、それは、コンテナまたはコンテナホルダーのいずれかの一体部分である。コンテナがシャフトを含む実施形態では、コンテナの中のシャフトの回転は、プラットフォームを移動させず、ユーザーは、コンテナがコンテナホルダーに連結されていないときには、コンテナを使用することできない。また、上記のことは、コンテナホルダーがシャフトを含み、かつ、コンテナがプラットフォームを含む実施形態にも当てはまり、コンテナは、コンテナホルダーなしで使用することができない。【００１２】  コンテナおよびコンテナホルダーが固定して連結されていない実施形態では、消費者は、典型的に、１つのコンテナホルダーを購入し、コンテナを用いてそれを再使用する。このケースでは、コンテナおよびコンテナホルダーは、２つの別々のエンティティであり、コンテナホルダーからコンテナを解放する働きをするユーザーアクティブ化可能な（ｕｓｅｒ−ａｃｔｉｖａｔａｂｌｅ）解放メカニズムを使用して取り付けられ、ユーザーが、コンテナホルダーを維持したままで、コンテナを交換することを可能にする。販売用にパッケージ化されているようなコンテナは、典型的に、組成物、可動プラットフォームを含み、それは、シャフトを含んでもよいし、または含まなくてもよい。コンテナは、シャフトを回転させる手段、したがって、プラットフォームを持ち上げる手段（たとえば、ターンバックル）を有していないので、コンテナは、製造するのにより安価であり、より単純であり、より少ないパーツを備える。他の実施形態では、装置は、１つの分離できないユニットを含むことが可能であり、コンテナホルダーは、コンテナに固定して連結されている。このケースでは、消費者は、組成物がすべてディスペンスされたときに装置に補充することが可能であり、または、代替的に、それを新しい装置と交換することが可能である。【００１３】  装置を動作させる際の要素は、典型的に、ユーザー入力エレメントを押し、ドライビングユニットをアクティブ化させ、組成物をディスペンスすることである。典型的に、ユーザー入力エレメントは、おおよそコンテナの中間高さに位置付けされている。コンテナおよびコンテナホルダーは、別々のエンティティであることが可能であり、コンテナは、使い捨てであることが可能であるので、コンテナの上にユーザー入力エレメントを有することは、いくつかの適用例に関して望ましくない。これに対処するために、コンテナホルダーは、ユーザー入力エレメントが便利な場所に位置付けされることを可能にするような方式で形状決めされており、装置を片手で保持しながらユーザーの簡単な動作を可能にする。具体的には、この目的を果たすために、コンテナホルダーは、コンテナに沿って上向きに押し出され得る。加えて、コンテナホルダーは、１つまたは複数のグリップを含むコンテナ連結用上側部分を含むことが可能であり、１つまたは複数のグリップは、コンテナの上側部分を保持するように構成されている。【００１４】  いくつかの実施形態では、コンテナホルダーは、連結検出エレメントを含むことが可能であり、連結検出エレメントは、コンテナへのコンテナホルダーの連結を検出するように構成されている。他の実施形態では、コンテナおよびコンテナホルダーは、補完的な形状を含むことが可能であり、補完的な形状は、コンテナをコンテナホルダーに連結させるロッキング／解放メカニズムとしての役割を果たすことが可能である。上記に列挙されている特徴は、整合するコンテナおよびコンテナホルダーが使用されるということを提供する。整合していないコンテナおよびコンテナホルダーは、適正に連結しない。【００１５】  ドライビングユニットは、１サイクルの動作でディスペンスされる組成物の量を制御するために、１つまたは複数のユーザー入力エレメントの作動に応答して、可動プラットフォームを所定の距離だけ移動させるように構成され得る。これは、典型的に、ドライビングユニットによって実施される角度回転、または、所望の投与量をディスペンスするのにかかる時間のいずれかを設定することによって、達成される。【００１６】  随意的に、コンテナホルダーは、ユーザー入力エレメントをさらに含み、ユーザー入力エレメントは、ドライビングユニットの機能を無効化するように構成されている。このユーザー入力エレメントは、スイッチを含むことが可能であり、スイッチは、コンテナのキャップがコンテナの上に配設されているときに、ドライビングユニットの機能を無効化するように構成されており、バッテリー寿命を延長し、偶発的な動作を防止するようになっている。また、コンテナホルダーの設計は、キャップが閉められるときに、このスイッチが押されるように、このスイッチが位置決めされることを可能にする。【００１７】  随意的に、コンテナは、プラットフォームおよびシャフトを含む。シャフトの一方の端部は、プラットフォームに連結されており（たとえば、螺合されており）、他方の端部は、コンテナホルダーの中のドライビングユニットに連結する形状を有している。他の実施形態では、コンテナホルダーが、ドライビングユニットに固定して連結されているねじ山付きのシャフトを含み、ねじ山付きのシャフトは、コンテナの可動プラットフォームの中へ挿入可能である。このケースでは、コンテナは、プラットフォームを含むが、シャフトを含まない。この実施形態では、プラットフォームは、可動プラットフォームに対するねじ山付きのシャフトの回転なしに、ねじ山付きのシャフトがプラットフォームの中へ一方向に挿入されることを可能にするように修正される。シャフトが適切な場所にあると、���ラットフォームは、典型的なプラットフォームと同様に、シャフトの回転によって持ち上げられ得る。先述のように、従来のデオドラントディスペンサーは、ターンバックルを含み、プラットフォームを持ち上げるために、シャフトの回転を促進させる。ターンバックルは存在しないので、本発明の適用例は異なっており、プラットフォームを持ち上げることは、コンテナをコンテナホルダーに連結することによって、および、ドライビングユニットを動作させることによって行われる。【００１８】  コンテナが（たとえば、ユーザーによって）コンテナホルダーに連結されると、コンテナホルダーは、典型的に、装置の一体部分となり、それは、使用の間に別々のエンティティではない。典型的に、コンテナがコンテナホルダーに連結されているときの装置のサイズは、従来のデオドラントディスペンサーのサイズと同様である。他の発汗抑制剤／デオドラントでない用途では、ディスペンサーのサイズは、関連の既存のディスペンサーのサイズと同様であることが可能であり、または、使用時に組成物をディスペンスするのに適切であることが可能である。【００１９】  いくつかの実施形態では、装置は、所望の塗布の場所の近くに、または、所望の塗布の場所に、ユーザーが装置を設置するときに、コンテナから組成物を自動的にディスペンスするメカニズムを含む。【００２０】  他の実施形態では、コンテナは、パワーソース（たとえば、１つまたは複数のバッテリー）を含むことが可能であり、パワーソースは、コンテナホルダーに連結すると、ドライビングユニットに電力を提供する。組成物が終了すると、ユーザーは、新しいバッテリーを含む新しいコンテナを装填するので、この特徴は、ユーザーがバッテリーを交換する必要性を排除することが可能である。この実施形態では、コンテナホルダーは、ドライビングユニットを駆動するためのパワーソースを有しておらず、したがって、パワーソースなしのコンテナとともに使用することができない。【００２１】  組成物が固形スティックを含むいくつかの実施形態では、装置は、固定して連結されている１つのユニットを含むことが可能であり、補充品は、コンテナを備えない固形スティックを含む。加えて、いくつかの実施形態では、プラットフォームは、上方または下方へ移動するように構成され、それぞれ、組成物を送達および後退させることが可能である。他の実施形態では、レベル指示センサーを含むことが可能である。インジケーターは、組成物の残りの量を示すことが可能であり、または、組成物が終わりそうになっていることを示すことが可能である。【００２２】  他の実施形態では、装置は、光源を含み、光源は、ＬＥＤまたは任意の他の光源を含むことが可能である。光源は、たとえば、ユーザーがキャップを除去するときに動作させられ得、光源は、組成物を照射する役割を果たし、組成物の残りの量を明確に示すことが可能である。ライトは、代替的にまたは追加的に、キャップが適正に設置されていることをユーザーに信号で送るために使用され得る。【００２３】  いくつかの実施形態では、装置は、ディスプレイを含むことが可能であり、ディスプレイは、組成物が最後に塗布された時間、最後の使用から経過した時間、組���物の残りの量、塗布の残りの数、および／または残りの電力を示す。【００２４】  他の実施形態では、装置は、アンチエージングクリーム、アイクリーム、クレンザー、保湿クリーム、コンシーラー、液体ファンデーション、ニキビトリートメント、ボディーローション、リップグロス、および多くのその他のものなどのような、スキンケア組成物および／または化粧品組成物などの組成物を含有するコンテナとともに使用するためのものである。装置は、振動エレメントを含むことが可能であり、振動エレメントは、１つまたは複数のユーザー入力エレメントが作動するとアクティブ化させられるように構成されており、皮膚への組成物注入を強化し、かつ／または、心地良い感覚をユーザーに与える。加えて、装置は、所定の量の組成物をディスペンスするための方式を含むことが可能であり、それは、上記に列挙されている組成物に関して、それらが比較的に高価であるということに起因して、および、少量だけが必要とされることが多いという事実に起因して、利点をもたらす。【００２５】  いくつかの実施形態では、組成物は、テストステロンなどのような組成物を含有するホルモン、または、エストロゲン、プロゲステロン、デヒドロエピアンドロステロン（ＤＨＥＡ）、コルチゾン、およびその他などのホルモンなどのような、医薬組成物を含む。これらの用途では、所定の量は、治療的に重要であり、装置は、典型的に、所定の量の組成物を送達するための、本明細書で説明されているエレメントを含む。装置は、典型的に、ユーザーアクティブ化可能な解放メカニズムを含み、ユーザーアクティブ化可能な解放メカニズムは、コンテナホルダーからコンテナを解放する働きをし、必要とされるときに、組成物を含有するコンテナの廃棄を可能にする。加えて、ユーザーは、典型的に、組成物を直接的に取り扱わない。コンテナの上側部分は、任意の適切な皮膚塗布領域に適合するように形状決めされ得る。【００２６】  他の実施形態では、組成物は、ジクロフェナク（Ｖｏｌｔａｒｅｎ（商標））ゲル；メチルサリチル酸塩、メントール、ショウノウ、および／またはトリエタノールアミンサリチル酸塩（Ｂｅｎｇａｙ（商標）もしくはＩｃｙ  Ｈｏｔ（商標）、Ｍｅｂｏ（商標）、褥瘡治療、または別の組成物）などのような医薬組成物を含む。これらの用途では、大きい塗布領域が必要とされることがある。多くの用途では、治療は、別の人（患者ではなく）によって実施される。装置は、典型的に、組成物の直接的な取り扱いなしに使用され、したがって、他の人が使用時に組成物と接触状態になることを防止する。ここで、コンテナの上側部分は、任意の適切な塗布領域およびサイズに適合するように形状決めされ得る。【００２７】  他の実施形態では、装置は、ニキビ、傷跡、老人性の染み、日焼けによる染み、およびその他などのような、局所的な治療のために、医薬組成物またはスキンケア組成物とともに使用され得る。これらの実施形態では、装置は、所定の少量の組成物を正確にディスペンスすることを促進させるように形状決めされている。【００２８】  したがって、本発明のいくつかの適用例によれば、組成物をディスペンスするためのコンテナとともに使用するための装置であっ���、組成物は、デオドラントおよび発汗抑制剤からなる群から選択される少なくとも１つの組成物を含み、コンテナは、可動プラットフォームを含み、装置は、コンテナホルダーを含み、コンテナホルダーは、１つまたは複数のユーザー入力エレメントを含む上側部分と、ドライビングユニットおよびパワーソースを含む下側部分であって、パワーソースは、１つまたは複数のユーザー入力エレメントの作動に応答して、ドライビングユニットを駆動し、コンテナの可動プラットフォームを移動させる働きをする、下側部分とを含む、組成物をディスペンスするためのコンテナとともに使用するための装置が提供される。【００２９】  いくつかの適用例では、コンテナホルダーが、連結検出エレメントを含み、連結検出エレメントは、コンテナへのコンテナホルダーの連結を検出するように構成されている。いくつかの適用例では、コンテナホルダーが、連結検出エレメントを含み、連結検出エレメントは、コンテナへのコンテナホルダーの連結を検出するように構成されており、連結検出エレメントは、コンテナの一部分の所定の形状性質を検出するように、かつ、所定の形状の検出がないときにドライビングユニットを駆動することを妨げるように構成されている。いくつかの適用例では、連結検出エレメントが、所定の形状性質を有するコンテナの一部分がコンテナホルダーに連結することによって変化させられる電流を評価することによって、所定の形状性質を検出するように構成されている。いくつかの適用例では、コンテナホルダーが、連結検出エレメントを含み、連結検出エレメントは、コンテナへのコンテナホルダーの連結を検出するように構成されており、連結検出エレメントは、連結検出エレメントとコンテナの導電性部分との電気的接触、連結検出エレメントの一部分と対応するコンテナの一部分との磁気的カップリング、および、コンテナの一部分からの反射のレベルからなる群から選択される少なくとも１つのパラメーターを検出するように構成されている。【００３０】  いくつかの適用例では、１つまたは複数のユーザー入力エレメントが、１つまたは複数のユーザープッシュボタンを含む。いくつかの適用例では、１つまたは複数のユーザー入力エレメントが、コンテナホルダーの上側７５％の位置に配設されている。いくつかの適用例では、１つまたは複数のユーザー入力エレメントが、コンテナホルダーの上側５０％の位置に配設されている。いくつかの適用例では、１つまたは複数のユーザー入力エレメントが、コンテナホルダーの上側４０％の位置に配設されている。いくつかの適用例では、１つまたは複数のユーザー入力エレメントが、コンテナがコンテナホルダーに連結されているときに、コンテナの上側７５％の付近に設置されるように構成されている。いくつかの適用例では、１つまたは複数のユーザー入力エレメントが、コンテナがコンテナホルダーに連結されているときに、コンテナの上側５０％の付近に設置されるように構成されている。【００３１】  いくつかの適用例では、ユーザー入力エレメントが、電子的なユーザー入力エレメントを含み、ドライビングユニットが、電気機械的なドライビングユニットを含む。【００３２】  いくつかの適用例では、ユーザー入力��レメントが、非電子的なユーザー入力エレメントを含み、ドライビングユニットは、非電気機械的なドライビングユニットを含む。いくつかの適用例では、ユーザー入力エレメントが、機械的なユーザー入力エレメントを含み、ドライビングユニットは、スプリングベースのドライビングユニットを含む。いくつかの適用例では、コンテナホルダーが、スプリングの巻回を促進させるように構成されているノブを含む。【００３３】  いくつかの適用例では、コンテナホルダーが、ユーザーアクティブ化可能な解放メカニズムを含み、ユーザーアクティブ化可能な解放メカニズムは、コンテナホルダーからコンテナを解放する働きをする。いくつかの適用例では、ユーザーアクティブ化可能な解放メカニズムが、コンテナホルダーの下側部分に配設されている。いくつかの適用例では、ユーザーアクティブ化可能な解放メカニズムが、コンテナホルダーの上側部分に配設されている。いくつかの適用例では、ユーザーアクティブ化可能な解放メカニズムが、エネルギー貯蔵エレメントを含み、エネルギー貯蔵エレメントは、コンテナをコンテナホルダーに最初に連結するときに、その変形によってエネルギーを貯蔵するように構成されており、また、エネルギー貯蔵エレメントは、ユーザーアクティブ化可能な解放メカニズムの作動の前に、コンテナをコンテナホルダーに連結する間に貯蔵されたエネルギーを解放するように構成されている。いくつかの適用例では、コンテナホルダーが、ユーザーアクティブ化可能な解放メカニズムの作動の前に、コンテナをコンテナホルダーに連結する間に貯蔵されたエネルギーの解放によって、コンテナにロックされる働きをする。【００３４】  いくつかの適用例では、上側部分が、コンテナ連結用上側部分を画定するように形状決めされており、コンテナ連結用上側部分は、ホルダーの上側部分をコンテナの側部に連結させるように構成されている。いくつかの適用例では、コンテナ連結用上側部分が、コンテナの上側部分を保持するように構成されている１つまたは複数のグリップを含む。いくつかの適用例では、コンテナ連結用上側部分が、コンテナの上側部分を保持するように構成されている正確に２つのウィングを含む。いくつかの適用例では、２つのウィングが、押し付け力をコンテナに同時に加えるように構成されている。いくつかの適用例では、上側部分が、背部（ｓｐｉｎｅ）を画定するように形状決めされており、背部は、下側部分から上方へ延在している。【００３５】  いくつかの適用例では、上側部分が、背部を画定するように形状決めされており、背部は、下側部分から上方へ延在しており、上側部分が、背部から延在する１つまたは複数のグリップであって、１つまたは複数のグリップは、背部をコンテナと接触している状態に保持することによって、背部が曲がることを防止するように構成されている、１つまたは複数のグリップ、および、その中に開口部を有する閉じられた形状であって、閉じられた形状は、コンテナの少なくとも一部分を完全に取り囲むように構成されている、閉じられた形状からなる群から選択される少なくとも１つの形状を画定するように形状決めされている。【００３６】  いくつかの適用例では、ドライビングユニットが、１つまたは複数のユーザー入力エレメントの作動に応答して、可動プラットフォームを所定の距離だけ移動させるように構成されている。いくつかの適用例では、装置が、一回分量入力エレメントをさらに含み、一回分量入力エレメントは、組成物の所望の量の指示を受け入れるように構成されており、装置は、所望の量の指示に基づいて、所定の距離を設定する働きをする。いくつかの適用例では、所定の距離が、固定された距離であり、ドライビングユニットが、１つまたは複数のユーザー入力エレメントの作動に応答して、可動プラットフォームを固定された距離だけ移動させるように構成されている。【００３７】  いくつかの適用例では、装置が、第２のユーザー入力エレメントをさらに含み、第２のユーザー入力エレメントの作動に応答して、ドライビングユニットは、１つまたは複数のユーザー入力エレメントの作動に応答して、ドライビングユニットが可動プラットフォームを移動させるように構成されている方向と反対側の方向に、可動プラットフォームを移動させるように構成されている。【００３８】  いくつかの適用例では、コンテナホルダーが、スイッチをさらに含み、スイッチは、第１の期間の間にドライビングユニットの機能を無効化するように構成されており、スイッチは、第２の期間の間にドライビングユニットの機能を無効化しないように構成されており、スイッチは、１つまたは複数のユーザー入力エレメントから独立して動作可能である。いくつかの適用例では、コンテナホルダーの上側部分が、スイッチを含み、スイッチは、コンテナのキャップがコンテナの上に配設されているときに、ドライビングユニットの機能を無効化するように構成されており、スイッチは、コンテナのキャップがコンテナの上に配設されていないときに、ドライビングユニットの機能を無効化しないように構成されている。いくつかの適用例では、スイッチが、コンテナホルダーの上側部分の最上部表面の上に配設されている。【００３９】  いくつかの適用例では、下側部分が、ドライビングユニットに固定して連結されているねじ山付きのシャフトを含み、ねじ山付きのシャフトは、コンテナの可動プラットフォームの中へ挿入可能である。いくつかの適用例では、ねじ山付きのシャフトが、可動プラットフォームに対するねじ山付きのシャフトの回転なしに、可動プラットフォームの中へ挿入可能である。いくつかの適用例では、ねじ山付きのシャフトが、回転によって、可動プラットフォームから除去可能であり、可動プラットフォームからのねじ山付きのシャフトの除去は、可動プラットフォームに対するねじ山付きのシャフトの回転がないときに妨げられる。いくつかの適用例では、ねじ山付きのシャフトが、ねじ山付きのシャフトの回転によって、可動プラットフォームから徐々に除去可能であり、ねじ山付きのシャフトの回転は、装置の通常の使用の間にドライビングユニットによって誘発される。いくつかの適用例では、装置は、組成物をディスペンスするためのコンテナを含み、ねじ山付きのシャフトは、コンテナの中の組成物が本質的に終了すると、ねじ山付きのシャフトが可動プラットフォームから除去されるようにサイズ決めされている。【００４０】  いくつかの適用例では、パワーソ���スが、電源を含む。【００４１】  いくつかの適用例では、１つまたは複数のユーザー入力エレメントが、検出器を含み、検出器は、コンテナの上側表面と対象者の皮膚との間の近接を検出するように構成されている。いくつかの適用例では、コンテナホルダーが、検出器をさらに含み、検出器は、（ａ）コンテナの上側表面と対象者の皮膚との間の近接、および、（ｂ）コンテナの上側表面と対象者の皮膚との間の接触からなる群から選択されるパラメーターを検出するように構成されており、パワーソースは、検出器による検出に応答してドライビングユニットを駆動することを促進させる働きをする。いくつかの適用例では、パワーソースは、１つまたは複数のユーザー入力エレメントの作動に応答するときでも、検出器による近接の検出がないときには、ドライビングユニットを駆動することを妨げる働きをする。いくつかの適用例では、検出器が、コンテナホルダーの上側表面に連結されている。いくつかの適用例では、検出器が、光学式近接検出器を含む。いくつかの適用例では、検出器が、機械的な検出器を含む。いくつかの適用例では、機械的な検出器が、圧力センサーおよび機械式スイッチからなる群から選択される少なくとも１つの機械的な検出器を含む。いくつかの適用例では、機械的な検出器が、コンテナとコンテナホルダーとの間の力を検出することによって、コンテナの上側表面と対象者の皮膚との間の近接を検出するように構成されている。いくつかの適用例では、検出器は、検出器が皮膚と接触している間に、皮膚に対するコンテナの移動を検出するように構成されている。いくつかの適用例では、検出器が、ローラーを含む。【００４２】  いくつかの適用例では、コンテナホルダーが、デジタルディスプレイを含む。いくつかの適用例では、デジタルディスプレイが、組成物の残りの量、装置が最後に使用された時間、装置に連結されているバッテリーの残りの寿命、現在の時間、現在の日付、および、組成物の塗布の残りの数からなる群から選択される少なくとも１つのパラメーターを示す働きをする。【００４３】  いくつかの適用例では、コンテナホルダーが、コンテナに固定して連結されている。【００４４】  いくつかの適用例では、装置が、コンテナとともに使用するためのものであり、装置が、光源を含む。いくつかの適用例では、光源が、コンテナの中の組成物を照射するように構成されている。いくつかの適用例では、光源が、コンテナのキャップが除去されているときにアクティブ化させられるように構成されている。いくつかの適用例では、光源が、１つまたは複数のユーザー入力エレメントがアクティブ化するとアクティブ化させられるように構成されている。【００４５】  いくつかの適用例では、装置が、レベル指示エレメントをさらに含み、レベル指示エレメントは、組成物の残りの量を示すように配置されている。いくつかの適用例では、レベル指示エレメントが、コンテナの中に透明なスロットを画定するように形状決めされている。いくつかの適用例では、レベル指示エレメントが、コンテナホルダーの中に透明なスロットを画定するように形状決めされている。いくつかの適用例では、レベル指示エレメントが、電導性エレメント、磁気的なエレメント、および、光学的に反射性のエレメントからなる群から選択される。いくつかの適用例では、レベル指示エレメントが、連続的に変化する組成物の残りの量を示すように構成されている。いくつかの適用例では、レベル指示エレメントが、指示光源を含み、指示光源は、組成物の残りの量を示すように構成されている。いくつかの適用例では、指示光源が、フラッシングすることによって、組成物の残りの量を示すように構成されている。いくつかの適用例では、指示光源が、色を変化させることによって、組成物の残りの量を示すように構成されている。いくつかの適用例では、装置が、振動エレメントをさらに含み、振動エレメントは、コンテナおよびコンテナホルダーが連結するとアクティブ化させられるように構成されている。いくつかの適用例では、装置が、振動エレメントをさらに含み、振動エレメントは、１つまたは複数のユーザー入力エレメントが作動するとアクティブ化させられるように構成されている。いくつかの適用例では、装置が、振動エレメントをさらに含み、振動エレメントは、コンテナのキャップが除去されるときにアクティブ化させられるように構成されている。【００４６】  本発明のいくつかの適用例によれば、デオドラントおよび発汗抑制剤からなる群から選択される少なくとも１つの組成物を含む組成物と、組成物を含有するコンテナであって、コンテナは、可動プラットフォームを含み、可動プラットフォームは、プラットフォームの移動がコンテナから組成物をディスペンスするように構成されている、コンテナとを含む装置であって、装置は、消費者への販売用にパッケージ化されており、装置は、その回転によってコンテナの中でプラットフォームを上方へ移動させるシャフトを含まない、装置がさらに提供される。【００４７】  いくつかの適用例では、組成物が、粘性の組成物を含み、コンテナが、上側表面を含み、上側表面は、粘性の組成物を、それを通してディスペンスするのに適切な複数の孔部を画定するように形状決めされている。いくつかの適用例では、組成物が、固形スティック組成物として形状決めされており、コンテナが、開口した上側表面を有するように形状決めされており、開口した上側表面は、固形スティック組成物がそれを通って通過することを促進させるのに適切である。いくつかの適用例では、コンテナおよびコンテナホルダーが、互いに固定して連結されている。いくつかの適用例では、装置が、第２のユーザー入力エレメントをさらに含み、第２のユーザー入力エレメントの作動に応答して、１つまたは複数のユーザー入力エレメントは、１つまたは複数のユーザー入力エレメントの作動に応答して、ドライビングユニットをアクティブ化させ、ドライビングユニットが可動プラットフォームを移動させるように構成されている方向と反対側の方向に、可動プラットフォームを移動させるように構成されている。【００４８】  いくつかの適用例では、コンテナが、下側部分を含み、下側部分は、シャフトがそれを通って通過するための開口部を画定するように形状決めされている。いくつかの適用例では、開口部の断面積が、０．０６ｃｍ２から１ｃｍ２である。いくつかの適用例では、開口部の断面積が、１ｃｍ２から２５ｃｍ２である。【００４９】  いくつかの適用例では、装置が、シャフトをさらに含み、シャフトは、シャフトの回転が、コンテナの中でプラットフォームを上方へ移動させない状態で、コンテナの中でシャフトを移動させる様式で、プラットフォームに螺合されている。いくつかの適用例では、装置は、コンテナの中でのシャフトの下向きの運動が、シャフトの回転の間に制限されないことを特徴とするが、コンテナの中でのシャフトの下向きの運動がシャフトの回転の間に制限される場合には、シャフトの一方向の回転が、コンテナの中でプラットフォームを上方へ移動させることとなる。いくつかの適用例では、可動プラットフォームが、シャフトに螺合連結されていない。いくつかの適用例では、可動プラットフォームが、ねじ山付きの孔部を画定するように形状決めされている。いくつかの適用例では、可動プラットフォームが、シャフトに螺合連結されておらず、可動プラットフォームが、孔部を画定するように形状決めされており、装置が、ねじ山付きのシャフトとともに使用するためのものであり、可動プラットフォームが、可撓性のねじ山付きのセグメントを含み、可撓性のねじ山付きのセグメントは、孔部を取り囲んでおり、可撓性のねじ山付きのセグメントは、ねじ山付きの孔部を通してシャフトを挿入するときにシャフトの軸線から離れるように曲がることによって、シャフトの回転なしに、孔部を通してねじ山付きのシャフトを挿入することを促進させる。いくつかの適用例では、ねじ山付きの孔部を通してシャフトを挿入することに続いて、可撓性のねじ山付きのセグメントは、ねじ山付きのシャフトに螺合するように構成されている。【００５０】  いくつかの適用例では、装置は、コンテナホルダーとともに使用するためのものであり、コンテナの下側表面は、丸い表面、凸形表面、溝付きの表面、波状の表面、および歯付き表面からなる群から選択される少なくとも１つの表面を画定するように形状決めされており、コンテナホルダーの対応表面に対応している。【００５１】  いくつかの適用例では、装置は、コンテナホルダーとともに使用するためのものであり、コンテナは、コンテナホルダーからコンテナを解放する働きをするユーザーアクティブ化可能な解放メカニズムを含む。いくつかの適用例では、ユーザーアクティブ化可能な解放メカニズムが、エネルギー貯蔵エレメントを含み、エネルギー貯蔵エレメントは、コンテナをコンテナホルダーに最初に連結するときに、その変形によってエネルギーを貯蔵するように構成されており、また、エネルギー貯蔵エレメントは、ユーザーアクティブ化可能な解放メカニズムの作動の前に、コンテナをコンテナホルダーに連結する間に貯蔵されたエネルギーを解放するように構成されている。いくつかの適用例では、コンテナが、ユーザーアクティブ化可能な解放メカニズムの作動の前に、コンテナをコンテナホルダーに連結する間に貯蔵されたエネルギーの解放によって、コンテナホルダーにロックされる働きをする。【００５２】  いくつかの適用例では、コンテナが、検出可能なエレメントを含み、検出可能なエレメントは、コンテナの最底部表面から２ｃｍから５ｃｍの間に配設されており、検出可能なエレメントは、電導性エレメント、磁気的なエレ���ント、および光学的に反射性のエレメントからなる群から選択される。いくつかの適用例では、コンテナが、検出可能なエレメントを含み、検出可能なエレメントは、コンテナの最上部表面から２ｃｍから５ｃｍの間に配設されており、検出可能なエレメントは、電導性エレメント、磁気的なエレメント、および光学的に反射性のエレメントからなる群から選択される。いくつかの適用例では、コンテナが、電導性エレメントを含み、電導性エレメントは、長さが少なくとも１ｃｍであり、コンテナの外側表面の上に配設されている。いくつかの適用例では、電導性エレメントは、長さが少なくとも５ｃｍであり、直線状ではない。いくつかの適用例では、装置が、電子回路を含むコンテナホルダーとともに使用するためのものであり、電導性エレメントは、コンテナをコンテナホルダーに連結すると、電導性エレメントが電子回路を閉じるように位置決めされている。【００５３】  いくつかの適用例では、装置が、キャップをさらに含み、キャップは、コンテナの上に除去可能に設置可能であり、キャップは、下側表面を有しており、下側表面は、少なくとも１つのインデントおよび少なくとも１つの突出部からなる群から選択される少なくとも１つの形状性質を画定するように形状決めされている。いくつかの適用例では、少なくとも１つの形状性質は、少なくとも２つのインデントおよび少なくとも２つの突出部からなる群から選択される。いくつかの適用例では、装置が、スイッチを有するコンテナホルダーとともに使用するためのものであり、キャップの少なくとも１つの形状性質は、コンテナホルダーがコンテナにも連結されているときに、キャップをコンテナに連結すると、スイッチをアクティブ化させるように構成されている。【００５４】  いくつかの適用例では、消費者への販売用にパッケージ化されているような装置は、コンテナの中に使い捨てのバッテリーを含み、バッテリーは、（ａ）消費者への販売用にパッケージ化されているような装置の中に含まれ、かつ、（ｂ）可動プラットフォームを駆動し得る、装置の任意のコンポーネントに電気を供給するように構成されていない。【００５５】  いくつかの適用例では、装置が、コンテナホルダーとともに使用するためのものであり、コンテナの一部分は、所定の表面形状を画定するように形状決めされており、所定の表面形状は、コンテナホルダーの対応する所定の表面形状に連結するように構成されており、かつ、コンテナホルダーからのコンテナのすべりを妨げるように構成されている。【００５６】  本発明のいくつかの適用例によれば、組成物を含有するコンテナとともに使用するための装置であって、コンテナは、可動プラットフォームを含み、装置は、コンテナホルダーを含み、コンテナホルダーは、１つまたは複数のユーザー入力エレメントを含む上側部分と、ドライビングユニットおよびパワーソースを含む下側部分であって、パワーソースは、１つまたは複数のユーザー入力エレメントの作動に応答して、ドライビングユニットを駆動し、コンテナの可動プラットフォームを移動させる働きをする、下側部分とを含む、組成物をディスペンスするための含有するコンテナとともに使用するための装置がさらに提供される。【００５��】  いくつかの適用例では、組成物が、デオドラント、発汗抑制剤、スキンケア組成物、医薬組成物を含む組成物、化粧品組成物、および超音波ゲル組成物からなる群から選択され、装置は、選択された組成物を含有するコンテナとともに使用するためのものである。いくつかの適用例では、選択された組成物が、化粧品組成物を含み、装置が、化粧品組成物を含有するコンテナとともに使用するためのものである。いくつかの適用例では、選択された組成物が、スキンケア組成物を含み、装置が、スキンケア組成物を含有するコンテナとともに使用するためのものである。いくつかの適用例では、スキンケア組成物が、フェイスクリームを含み、装置が、フェイスクリームを含有するコンテナとともに使用するためのものである。いくつかの適用例では、選択された組成物が、医薬組成物を含み、装置が、医薬組成物を含有するコンテナとともに使用するためのものである。いくつかの適用例では、医薬組成物が、ホルモンを含み、装置が、ホルモンを含む医薬組成物を含有するコンテナとともに使用するためのものである。いくつかの適用例では、ホルモンが、ステロイドホルモンを含み、装置が、ステロイドホルモンを含む医薬組成物を含有するコンテナとともに使用するためのものである。いくつかの適用例では、ホルモンが、テストステロンを含み、装置が、テストステロンを含む医薬組成物を含有するコンテナとともに使用するためのものである。いくつかの適用例では、ホルモンが、コルチゾンを含み、装置が、コルチゾンを含む医薬組成物を含有するコンテナとともに使用するためのものである。【００５８】  本発明のいくつかの適用例によれば、組成物と、組成物を含有するコンテナであって、コンテナは、可動プラットフォームを含み、可動プラットフォームは、プラットフォームの移動がコンテナから組成物をディスペンスするように構成されている、コンテナとを含む装置であって、装置は、消費者への販売用にパッケージ化されており、装置は、その回転によってコンテナの中でプラットフォームを上方へ移動させるシャフトを含まない、装置がさらに提供される。【００５９】  本発明は、詳細な説明および添付の図面から完全に理解されることとなる。
【図面の簡単な説明】
【００６０】
【図１】デオドラントまたは発汗抑制剤をディスペンスするための装置の一実施形態の側面斜視図である。
【図２】コンテナホルダーの内側パーツが仮想線で示されている、図１に示されている実施形態の正面斜視図である。
【図３】図１のコンテナホルダーの背面斜視図である。
【図４】図４Ａは、コンテナホルダーの一実施形態の分解図である。図４Ｂは、プラットフォームおよびシャフトを含み、キャップによって閉められる１つの例示的なコンテナを示す図である。この実施形態では、コンテナは、図４Ａのコンテナホルダーに適合することが可能である。
【図５】固形スティック組成物とともに使用するための一実施形態を示す図である。
【図６】図６Ａは、シャフトをドライビングユニットに接続するカップリングメカニズムの一例を図示する図である。図６Ｂは、図６Ａに示されているカップリングメカニズムの異なる視点を図示する図である。
【図７】シャフトをドライビングユニットに接続するカップリングメカニズムの別の例を図示する図である。
【図８】図８Ａは、１つの例示的なユーザーアクティブ化可能な解放メカニズムを備える一実施形態を示す図である。図８Ｂは、図８Ａに示されているユーザーアクティブ化可能な解放メカニズムの拡大図である。
【図９】図９Ａは、１つの例示的なユーザーアクティブ化可能な解放メカニズムを備える一実施形態を示す図である。図９Ｂは、図９Ａに示されているユーザーアクティブ化可能な解放メカニズムの断面図である。図９Ｃは、図９Ｂに示されているユーザーアクティブ化可能な解放メカニズムの拡大図である。
【図１０】ユーザーアクティブ化可能な解放メカニズムの別の例を示す図である。
【図１１】コンテナおよびコンテナホルダーが１つのエンティティを形成している別の実施形態を図示する図である。
【図１２】デジタルディスプレイを含む一実施形態の正面斜視図を図示する図である。
【図１３】図１３Ａは、装置が自動ディスペンシングメカニズムを含む一実施形態を示す図である。図１３Ｂは、図１３Ａのコンテナホルダーの上側斜視図である。
【図１４】図１４Ａは、回転を必要とすることなく、一方向へのシャフトの挿入を可能にするプラットフォームを示す図である。図１４Ｂは、図１４Ａのプラットフォームの断面図である。
【図１５】回転を必要とすることなく、一方向へのシャフトの挿入を可能にする別のプラットフォームを示す図である。
【図１６】図１６Ａは、シャフトがドライビングユニットに固定して連結されている、コンテナホルダーの一実施形態を示す図である。図１６Ｂは、図１５のプラットフォームを含むコンテナの一実施形態を示す図である。
【図１７】グリップおよびウィングを含まないコンテナホルダーを示す一実施形態を示す図である。
【図１８】コンテナホルダーの上側部分が閉じられた形状を画定するように形状決めされている、コンテナホルダーの一実施形態を示す図である。この実施形態では、コンテナホルダーは、また、ドライビングユニットに固定して連結されているシャフトを含む。
【図１９】コンテナがインデントによってコンテナホルダーに補完的に適合するように形状決めされている一実施形態を示す図である。
【図２０】下側表面が溝付きの表面を画定するように形状決めされているコンテナを示す図である。
【図２１】下側表面が丸い凸形表面を画定するように形状決めされているコンテナを示す図である。
【図２２】下側表面が凹形表面を画定するように形状決めされているコンテナを示す図である。
【図２３】下側表面が波状の表面を画定するように形状決めされているコンテナを示す図である。
【図２４】下側表面が歯付き表面を画定するように形状決めされているコンテナを示す図である。
【図２５】コンテナホルダーが連結検出エレメントを含み、連結検出エレメントは、コンテナへのコンテナホルダーの連結を検出するように構成されている、一実施形態を示す図である。
【図２６】コンテナおよびコンテナホルダーが補完的な形状を含む一実施形態を示す図である。この実施形態では、コンテナが、突出部を画定するように形状決めされており、コンテナホルダーがインデントを含む。
【図２７】コンテナおよびコンテナホルダーが補完的な形状を含む一実施形態を示す図である。この実施形態では、コンテナが、インデントを画定するように形状決めされており、コンテナホルダーが突出部を含む。
【図２８】コンテナが１つまたは複数のバッテリーを含み、コンテナホルダーに連結すると、１つまたは複数のバッテリーが、ドライビングユニットに電力を提供する、一実施形態を示す図である。
【図２９】キャップが、突出部を画定するように形状決めされた下側表面を有しており、突出部は、コンテナホルダーの上側部分に位置付けされているインデントに対して補完的な形状のものである、一実施形態を示す図である。
【図３０】装置が非電気機械的なドライビングユニットおよび非電子的なユーザー入力エレメントを含む、別の実施形態を表す図である。
【図３１】ドライビングユニットがプラットフォームに取り付けられている一実施形態の正面斜視図である。
【図３２】コンテナおよびコンテナホルダーが固定して連結される、固形スティック組成物とともに使用するための一実施形態を示す図である。
【図３３】装置が光源を含む一実施形態の正面斜視図である。
【図３４】装置が振動エレメントを含む一実施形態の正面斜視図である。
【図３５】異なる形状の一実施形態を示す図である。
【図３６】さらなる別の形状の一実施形態を示す図であり、コンテナホルダーおよびコンテナが固定して連結されていることを示す図である。
【発明を実施するための形態】
【００６１】  いくつかの実施形態の以下の説明は、例示的なものであり、本発明を限定するべきではない。
【００６２】  図１は、デオドラント／発汗抑制剤などのような粘性流体組成物をディスペンスするための装置の斜視図を概略的に図示している。組成物は、代替的に、スキンケア組成物、医薬組成物を含む組成物、化粧品組成物、または超音波ゲル組成物を含むことが可能である。装置は、組成物１１２を含むコンテナ１０２に連結されているコンテナホルダー１０１を含む。コンテナホルダー１０１およびコンテナ１０２は、２つの別々のエンティティ（すなわち、ユーザーによって取り付け可能および取り外し可能である）であることが可能であり、または、いくつかの実施形態では、１つのエンティティであることが可能である。いくつかの実施形態では、コンテナ１０２は、組成物で補充されるか、または、新しいコンテナによって交換され得る。このケースでは、ユーザーは、組成物１１２がディスペンスされた後に、コンテナ１０２を交換する間に、コンテナホルダー１０１を維持することが可能である。これらの実施形態では、コンテナホルダー１０１からのコンテナ１０２の解放は、ユーザーアクティブ化可能な解放メカニズムボタン１１０を押すことによって行われ、コンテナホルダーからコンテナを解放する働きをする。コンテナ１０２は、透明であっても、透明でなくてもよい（この図に示されているコンテナは、透明である）。コンテナホルダー１０１は、組成物をディスペンスするための１つまたは複数のユーザー入力エレメント１０４を含有している。ユーザー入力エレメント１０４が作動させられると、組成物がディスペンスされる。ユーザー入力エレメント１０４は、電子的なユーザー入力エレメント、または、非電子的なユーザー入力エレメント（たとえば、機械的なユーザー入力エレメント）を含むことが可能である。ユーザー入力エレメント１０４は、プッシュボタンであることが可能である。本発明者によって行われたテストによれば、使用の都合上、ユーザー入力エレメントは、装置の中間高さの辺りに位置付けされるべきであるということが見出された。より具体的には、ユーザー入力エレメント１０４は、典型的に、コンテナホルダー１０１の上側７５％の位置に、たとえば、コンテナホルダー１０１の上側５０％または４０％の位置に配設されるべきであるということが見出された。いくつかの適用例に関して、１つまたは複数のユーザー入力エレメントは、コンテナがコンテナホルダーに連結されるときに、コンテナの上側７５％の付近に、たとえば、コンテナの上側５０％の付近に設置されるように構成されている。また、コンテナホルダー１０１は、上側部分１１４を含むことが可能であり、上側部分１１４は、コンテナホルダーの上側部分をコンテナに連結させるように構成されている。
【００６３】  コンテナホルダー１０１は、ユーザー入力エレメント（たとえば、スイッチ）１０５をさらに含むことが可能であり、ユーザー入力エレメント１０５は、第１の期間の間に、図２に示されているドライビングユニット２０１の機能を無効化するように構成されており、また、ユーザー入力エレメント１０５は、第２の期間の間に、ドライビングユニット２０１の機能を無効化しないように構成されており、ユーザー入力エレメント１０５は、１つまたは複数のユーザー入力エレメントから独立して動作可能である。第１の期間は、装置が使用されるように意図されないときの時間として定義される。第２の期間は、装置が使用されるように意図されるときの時間として定義される。このユーザー入力エレメント１０５は、コンテナホルダーの上のどこかに位置付けされ得、図１に示されているようなものだけではない。図１に示されている実施形態では、ユーザー入力エレメント１０５は、スイッチを含み、スイッチは、コンテナホルダー１１４の上側部分の上に位置付けされている。コンテナ１０２は、キャップ１０３によって閉められ得る。スイッチ１０５は、コンテナのキャップがコンテナの上に配設されているときには、ドライビングユニット２０１の機能を無効化するように構成されることが可能で、また、コンテナのキャップがコンテナの上に配設されていないときには、ドライビングユニット２０１の機能を無効化しないように構成されている。スイッチ１０５は、コンテナホルダー１０１の上側部分１１４の最上部表面１１６の上に配設され得る。ドライビングユニット２０１は、典型的に、パワーソースによって電力を与えられる。パワーソースがバッテリーを含む場合には、スイッチ１０５は、バッテリーの寿命を延ばす役割を果たす。加えて、スイッチ１０５は、キャップ１０３が閉められているときに、ユーザー入力エレメント１０４の偶発的な作動による装置の動作を防止する。
【００６４】  いくつかの実施形態では、ドライビングユニット２０１は、１つまたは複数のユーザー入力エレメントの作動に応答して、可動プラットフォーム１０６を所定の距離だけ移動させるように構成され得る。このケースでは、コンテナホルダー１０１は、一回分量入力エレメント１１１を含むことが可能であり、一回分量入力エレメント１１１は、組成物の所望の量の指示を受け入れるように構成されており、装置は、所望の量の指示に基づいて、所定の距離を設定する働きをする。一回分量入力エレメント１１１は、図１に示されているように、その範囲にわたる完全な制御をユーザーに与えるターニングノブであることが可能であり、または、複数の事前設定量のうちの１つを可能にするノブであることが可能である。ノブ１１１は、装置の任意の外部表面の上に位置付けされ得る。別の実施形態では、ノブ１１１を省略することが可能であり、量は、製造業者によって事前設定され得る。このケースでは、所定の距離は、固定された距離であり、ドライビングユニット２０１は、１つまたは複数のユーザー入力エレメントの作動に応答して、可動プラットフォームを、固定された距離だけ移動させるように構成されている。代替的に、量は制御されず、ユーザーは、ユーザー入力エレメント１０４を作動させる持続期間に基づいて、量を設定する。コンテナは、粘性の組成物１１２をディスペンスするのに適切な複数の孔部１０９を画定するように形状決めされている上側表面を含むことが可能である。これらの孔部は、必要に応じて、任意の形状、サイズ、および数のものであることが可能であり、所望の組成物にしたがって異なるパターンで配置されている。
【００６５】  図２は、デオドラント、発汗抑制剤、スキンケア組成物、医薬組成物を含む組成物、化粧品組成物、および超音波ゲル組成物からなる群から選択される組成物をディスペンスするための装置の正面斜視図を図示しており、コンテナ１０２は、可動プラットフォーム１０６を含む。コンテナホルダー１０１は、下側部分２０９を含み、下側部分２０９は、ドライビングユニット２０１およびパワーソース２０５を含み、パワーソース２０５は、１つまたは複数のユーザー入力エレメント（たとえば、１０４および１０５（図１））の作動に応答して、ドライビングユニット２０１を駆動し、コンテナ１０２の可動プラットフォーム１０６を移動させる働きをする。コンテナホルダー１０１の下側部分２０９の中に位置付けされているいくつかのコンポーネントが、図示目的のために仮想線で示されている。粘性流体のケースでは、組成物１１２は、プラットフォーム１０６と複数の孔部１０９との間で、コンテナ１０２の内側に閉じ込められている。プラットフォームリフティングメカニズムは、典型的に、ドライビングユニット２０１を含み、ドライビングユニット２０１は、カップリングメカニズム２０２を通して、ねじ山付きのシャフト１０７に連結されている。シャフト１０７は、ねじ山付きの孔部を通して、プラットフォーム１０６に螺合している。シャフトのねじ山は、任意のピッチのものであることが可能であり、右巻きねじまたは左巻きねじのいずれかであることが可能である。ドライビングユニット２０１の回転運動は、プラットフォーム１０６がねじ山付きのシャフト１０７の上を上向きに前進することを引き起こす。プラットフォーム１０６のこの上向きの運動は、複数の孔部１０９を通して上向きに組成物１１２を押し進める。コンテナ１０２がコンテナホルダー１０１から取り外し可能である一実施形態では、カップリングメカニズム２０２が必要である。このケースでは、シャフト１０７の下側端部は、コンテナホルダー１０１の中のカップリング２０２に連結する形状を有している。別の実施形態では、コンテナ１０２またはシャフト１０７がコンテナホルダー１０１に固定して連結されており、カップリングメカニズム２０２は使用されなくてもよく、ドライビングユニット２０１は、シャフト１０７に直接的に接続され得る。随意的に、コンテナホルダー１０１がコンテナ１０２から取り外し可能である場合には、コンテナ１０２は、プラットフォーム１０６およびシャフト１０７を含有するか、または、シャフトなしでプラットフォームを含有することが可能である。この図では、コンテナホルダー１０１の下側部分２０９の中に含まれ得るコンポーネントのいくつかが、仮想線で示されている。見ることができるように、コンテナホルダー１０１は、ドライビングユニット２０１に加えて、電子回路２０４およびパワーソース２０５を含むことが可能であり、パワーソース２０５は、電源を含むことが可能である。この例示的な実施形態では、パワーソース２０５は、バッテリーカバー２０６を備えたバッテリーを含む。随意的に、電子回路２０４およびドライビングユニット２０１は、電力入口部２０７を通して、外部パワーソースによって電力を与えられ／充電され得る。電���回路２０４は、パワーソース２０５によって電力を与えられ得、その電子的なコンポーネントは、所望の動作にしたがって変化することが可能であり、また、その電子的なコンポーネントは、コントローラー、リバースドライブ、および時間コントローラー、または任意の他のコンポーネントを含むことが可能であり、それは、本特許出願の明細書を読んだ当業者に明らかである。コントローラーは、１つまたは複数のユーザー入力エレメントの作動に応答して、可動プラットフォームを所定の距離だけ移動させるように、ドライビングユニット２０１を動作させることが可能である。所定の量の組成物が、スイッチ／ノブ１１１などのようなユーザー入力エレメントを使用して、ユーザーによって設定され得、または、代替的に、製造業者によって事前設定され得る。いずれのケースでも、電子回路２０４は、装置が使用されるたびにディスペンスされる量の繰り返し性を作り出す。代替的に、別の実施形態では、電子回路は、ディスペンスされることとなる量を事前設定するためのコンポーネントを含まなくてもよい。このケースでは、ユーザーは、ユーザー入力エレメント１０４を押し、また、所望の量の組成物がディスペンスされた後に、ユーザー入力エレメント１０４を解放することによって、ディスペンスされる量を制御する。この図では、ドライビングユニット２０１およびカップリング２０２の一部は、ベース部の外側に見ることができるが、他の実施形態では、ドライビングユニット２０１およびカップリング２０２は、コンテナホルダー１０１の内側に完全に隠すことが可能であるということに留意されたい。
【００６６】  図１および図２に示されているように、装置は、デオドラント、発汗抑制剤、スキンケア組成物、医薬組成物、化粧品組成物、および超音波ゲル組成物からなる群から選択される少なくとも１つの組成物を含む組成物をディスペンスするためのコンテナ１０２とともに使用するためのものである。コンテナは、典型的に、可動プラットフォーム１０６を含み、一方、装置は、図３に示されているようなコンテナホルダー１０１を含む。コンテナホルダーは、上側部分１１４と下側部分２０９とを含み、上側部分１１４は、１つまたは複数のユーザー入力エレメント（たとえば、１０４および１０５）を含み、下側部分２０９は、ドライビングユニット２０１およびパワーソース２０５（図２に示されている）を含み、パワーソースは、１つまたは複数のユーザー入力エレメントの作動に応答して、ドライビングユニットを駆動し、コンテナ１０２の可動プラットフォーム１０６を移動させる働きをする。
【００６７】  図３は、コンテナ１０２なしのコンテナホルダー１０１の背面斜視図である。コンテナホルダー１０１は、典型的に、装置の動作におけるいくつかの機能のうちの１つまたは複数の機能を果たす。図２に示されているように、コンテナホルダー１０１は、ドライビングユニット、パワーソース、および、動作のために使用される電子機器を含有する。装置を動作させる際の要素は、組成物をディスペンスするためにユーザー入力エレメント１０４を押すことである。したがって、入力エレメント１０４は、便利な場所に位置付けされるべきであり、装置を片手で保持しながらユーザーの簡単な動作を可能にする。本発明者によって行われた試験は、入力エレメント１０４にとって適切な場所が、装置の上側７５％の位置であるということを示した。この目的を果たすために、コンテナホルダー１０１の上側部分１１４は、背部３０１を画定するように部分的に形状決めされており、背部３０１は、コンテナホルダー１０１の下側部分２０９から上方へ延在している。また、コンテナホルダーのこの上向きの延在は、コンテナホルダー１０１がユーザー入力エレメント１０５を含むことを可能にし、ユーザー入力エレメント１０５は、キャップ１０３（図１に示されている）が適切な場所にあるときに押されるスイッチを含む。示されている実施形態では、コンテナホルダー上側部分１１４は、コンテナ連結用上側部分を画定するように形状決めされており、コンテナ連結用上側部分は、コンテナホルダーの上側部分をコンテナに連結させるように構成されている。この実施形態では、コンテナ連結用上側部分１１４は、１つまたは複数のグリップ３０６および３０８を含み、１つまたは複数のグリップ３０６および３０８は、コンテナの上側部分を保持するように構成されている。背部３０１から延在するグリップ３０６、３０８は、コンテナ１０２と接触した状態に背部３０１を保持することによって、背部が曲がることを防止するように構成されている。コンテナと接触した状態に背部を保持することは、スイッチ１０５がキャップ１０３と接触することとなるということを提供する。可撓性に劣る材料を使用することによって、グリップ３０６および３０８は、（たとえば、図１７に示されているように）使用されなくてもよい。この実施形態では、グリップ３０６および３０８は、正確に２つのウィング３１０および３１２を含み、２つのウィング３１０および３１２は、押し付け力をコンテナに同時に加えるように構成されている。また、下側部分２０９は、外側表面３０３と内側表面３０２との間に位置付けされているキャビティー３０４を含む。キャビティー３０４は、コンテナホルダー１０１に連結されるときにコンテナ１０２が着座する場所である。
【００６８】  図４Ａは、コンテナホルダー１０１の分解図を提示しており、一方、図４Ｂは、コンテナ１０２を示している。これらの図では、コンテナホルダー１０１は、コンテナ１０２から分離されている。図４Ａでは、図２のカップリング２０２およびドライビングユニット２０１は、コンテナホルダー１０１の下側部分２０９の外側に見えている。この実施形態では、パワーソースが交換可能なバッテリーを含むことが可能であり、バッテリーカバー２０６を見ることが可能である。別の実施形態では、パワーソースが交換可能なバッテリーを含まなくてもよく、バッテリーカバー２０６を省略することが可能である。
【００６９】  図４Ｂでは、コンテナ１０２は、シャフト１０７およびプラットフォーム１０６を含む。コンテナホルダー１０１から分離されているときに、コンテナ１０２はシャフトを含んでおらず、シャフトは、回転することによって、コンテナの中でプラットフォーム１０６を上方へ移動させる。コンテナの中でプラットフォーム１０６を上方へ移動させない状態で、シャフトの回転が、コンテナの中でシャフトを移動させるような様式で、シャフト１０７はプラットフォームに螺合されている。これは、コンテナ１０２が下側部分４０２を含み、下側部分４０２が、シャフト１０７の通過のための開口部４０４を画定するように形状決めされているという事実から、結果として生じる。したがって、コンテナ１０２の中でのシャフト１０７の下向きの運動は、シャフト１０７の回転の間に制限されないが、コンテナ１０２の中でのシャフト１０７の下向きの運動が、シャフト１０７の回転の間に（たとえば、コンテナがコンテナホルダーに連結されているときに）制限されるとしたら、一方向へのシャフト１０７の回転は、コンテナ１０２の中でプラットフォーム１０６を上方へ移動させることとなる。図４Ｂでは、コンテナは、下側部分において開口しており、したがって、開口部４０４は、コンテナ１０２の下側表面の全断面積を構成している。いくつかの実施形態では、開口部４０４の断面積は、２５ｃｍ２から０．０６ｃｍ２（比較的に小さいシャフトの断面積）まで変化する可能性がある。従来のデオドラントディスペンサーは、ターンバックルを含み、シャフト１０７の回転を促進させ、プラットフォーム１０６を持ち上げるようになっているということに留意されたい。この図で見ることができるように、ターンバックルが存在しないので、本発明の適用例は異なっており、また、プラットフォームを持ち上げることは、コンテナ１０２をコンテナホルダー１０１に連結すること、および、ドライビングユニットを動作させることによって行われる。コンテナ１０２が、（たとえば、ユーザーによって）コンテナホルダー１０１に連結されると、コンテナホルダー１０１は、典型的に、装置の一体部分であり、それは、使用の間に、別々のエンティティではない。典型的に、コンテナがコンテナホルダーに連結されているときの装置のサイズは、従来のデオドラントディスペンサーのサイズと同様である。加えて、より具体的には、コンテナホルダー１０１の下側部分２０９のサイズは、典型的に、コンテナ１０２のサイズに対して小さい。この特徴は、図４Ａに図示されている。
【００７０】  いくつかの例示的な実施形態では、図５に示されているように、組成物は、固形スティック５０２として形状決めされ、提供される。このケースでは、コンテナは、固形スティック組成物の通過を促進させるのに適切な開口した上側表面を有するように形状決めされている。この実施形態では、ユーザー入力エレメント１０４（図１に示されている）は、２つのユーザー入力エレメント５０１および５０４をさらに含むユーザー入力エレメントによって交換され得る。第２のユーザー入力エレメント５０４の作動に応答して、ドライビングユニット２０１は、第１のユーザー入力エレメント５０１の作動に応答してドライビングユニット２０１がプラットフォーム１０６を移動させるように構成されている方向と反対側の方向に、プラットフォーム１０６を移動させるように構成されている。リバースドライブメカニズムは、装置が固形スティック組成物を含むときに使用され、そのケースでは、リバースドライブメカニズムは、プラットフォーム１０６を下方へ移動させることによって、組成物を後退させて戻すために使用される。
【００７１】  別の実施形態では、たとえば、組成物が粘性のゲルであるものでは、リバースドライブメカニズムが、電子回路２０４（図２に示されている）の中に含まれ、粘性のゲルの漏出を防止することが可能である。加えて、リバースドライブメカニズムは、空のコンテナ１０２の補充を促進させるために使用され得る。リバースドライブ機構は、電子回路によって、または、装置の上のどこかに位置付けされ得る追加的なユーザー入力エレメントを使用して、自動的に制御され得る。図５のユーザー入力エレメント５０１および５０４は、例である。代替的に、リバースドライブメカニズムは、キャップ１０３を閉めることによって制御され、または、部分的に制御され得、それによって、組成物は、キャップ１０３が閉められると自動的に後退する。
【００７２】  ドライビングユニット２０１（図２に示されている）は、典型的に、電気モーターを含み、電気モーターは、ダイレクトドライブモーター、ギヤードモーター、または、別々のギヤボックスに接続されているモーターであることが可能である。ドライビングユニット２０１は、電子機器を含むことが可能であり、電子機器は、角度位置のモニタリングまたは制御を可能にする（たとえば、ステッパーモーター、サーボモーター、または、エンコーダーを備えるＤＣモーター）。ドライビングユニット２０１の動作は、ねじ山付きのシャフト１０７が回転することを引き起こす。ドライビングユニット２０１は、図６Ａ、図６Ｂ、および図７に議論されることとなるカップリングメカニズム２０２を通して、ねじ山付きのシャフト１０７に接続され得る。
【００７３】  カップリングメカニズム２０２（図２に示されている）の一例が、図６Ａおよび図６Ｂに図示されている。カップリングメカニズムは、シャフト１０７をドライビングユニット２０１に接続し、また、２つのらせん状に形状決めされたパーツ６０１および６０２を含む。第１のパーツ６０１は、シャフト１０７の底部端部に位置付けされており、また、らせん状に形状決めされたパーツ６０２に接続し、パーツ６０２は、ドライビングユニット２０１の上部端部に位置付けされている。パーツ６０１および６０２は、補完的ならせん状に形状決めされた構成を有しており、補完的ならせん状に形状決めされた構成は、所望の係合を提供しており、また、シャフト１０７がらせん状に形状決めされたパーツ６０２によって回転させられるときに、らせん状に形状決めされたパーツ６０２に対するシャフト１０７のすべりを防止する。別の実施形態では、パーツ６０１がドライビングユニット２０１の上部端部に位置付けされ、パーツ６０２がシャフト１０７の底部端部に位置付けされるように、パーツ６０１および６０２を入れ替えることが可能である。補充する目的のために、コンテナがコンテナホルダーから取り外し可能である実施形態では、図６Ａおよび図６Ｂに示されているようなカップリングメカニズムは、典型的に、コンテナホルダーへの新しいコンテナの、簡単で正確で自己センタリングする再取り付けを提供する。代替的に、６０１は、シャフト１０７の一体部分であることが可能であり、別々のエンティティでなくてもよく、したがって、このケースでは、シャフト１０７の底部端部は、ドライビングユニット２０１の上部に位置付けされている第２のパーツ６０２を補完する所望の形状で製造されている。図６Ａおよび図６Ｂに提示されているカップリングメカニズムは、一方向の回転を可能にし、したがって、らせん状のパーツ６０１および６０２は、時計回りの回転または反時計回りの回転のいずれかを可能にするように製造され得る。
【００７４】  別の実施形態では、別のカップリングメカニズムが、図７に示されているように実装され得る。図６Ａ（または、図６Ｂ）に提示されているカップリングメカニズムと図７に提示されているカップリングメカニズムとの間の主な相違は、後者が、両方向の回転を可能にするということである。
【００７５】  図７に示されているように、パーツ７０１は、シャフト１０７の底部端部に位置付けされ、パーツ７０２に接続し、パーツ７０２は、ドライビングユニット２０１の上部端部に位置付けされている。これは、滑りのない双方向カップリングである。パーツ７０１および７０２は、補完的なテーパー付きのジョー形状構成を有しており、補完的なテーパー付きのジョー形状構成は、所望の係合を提供しており、また、シャフト１０７がパーツ７０２によって回転させられるときに、パーツ７０２に対するシャフト１０７のすべりを防止する。補充する目的のために、コンテナがコンテナホルダーから取り外し可能である実施形態では、図７に示されているようなカップリングメカニズムは、典型的に、コンテナホルダーへの新しいコンテナの、簡単で正確で自己センタリングする再取り付けを提供する。代替的に、７０１は、シャフト１０７の一体部分であることが可能であり、別々のエンティティでなくてもよく、したがって、このケースでは、シャフト１０７の底部端部は、ドライビングユニット２０１の上部に位置付けされている第２のパーツ７０２を補完する所望の形状で製造されている。
【００７６】  先述のように、コンテナ１０２は、補充する目的のために、コンテナホルダー１０１から取り外し可能であり、別のコンテナによって交換され得る。コンテナ１０２またはコンテナホルダー１０１は、コンテナホルダーからコンテナを解放する働きをするユーザーアクティブ化可能な解放メカニズムを含むことが可能である。ユーザーアクティブ化可能な解放メカニズムは、コンテナホルダー１０１の下側部分２０９または上側部分１１４（図３に示されている）の上に配設され得る。図８Ａ、図９Ａ、および図１０は、随意的な解放メカニズムを示している。
【００７７】  図８Ａは、１つの例示的な解放メカニズムを示しており、拡大図が、図８Ｂに示されている。これらの図では、２つのユーザーアクティブ化可能なボタン８０１が、コンテナホルダー１０１の下側部分２０９に位置付けされている。ロッキングタブ８０２が、一方の側から解放ボタン８０１に取り付けられており、他方の側では、エネルギー貯蔵エレメント８０３（たとえば、スプリング）によって押されている。コンテナホルダーへコンテナを最初に連結するときに、エネルギー貯蔵エレメント８０３は、変形によってエネルギーを貯蔵し、また、エネルギー貯蔵エレメント８０３は、ロッキングタブ８０２がキャビティー８０４に合致するときに、コンテナホルダーへのコンテナの連結の間に貯蔵されたエネルギーを解放するように構成されており、キャビティー３０４の中に装置を固定する。ユーザーが、解放ボタン８０１を作動させ、エネルギー貯蔵エレメント８０３を変形させるときに、ロッキングタブ８０２は、キャビティー８０４から離脱し、コンテナホルダー１０１からのコンテナ１０２の離脱を可能にする。このユーザーアクティブ化可能な解放メカニズムは、当業者に知られている。この実施形態では、２つのユーザーアクティブ化可能な解放ボタンが示されている。代替的に、図１および図３に見ることができるように、１つだけのユーザーアクティブ化可能な解放ボタン１１０が使用される。
【００７８】  図９Ａは、別の例示的な解放メカニズムを備える一実施形態を示しており、図９Ｂは、同じ実施形態の断面図を示しており、拡大図が図９Ｃに示されている。示されている例示的な実施形態では、コンテナホルダー１０１に連結されるときに、コンテナ１０２は、コンテナホルダー１０１の中に位置付けされているキャビティー９０３の中に着座することが可能である。１つまたは複数のユーザーアクティブ化可能な解放ボタン９０１が、コンテナ１０２の上に位置付けされ得る。これらのユーザーアクティブ化可能な解放ボタンは、コンテナ１０２の上のどこかに位置付けされ得る。随意的に、コンテナホルダー１０１およびコンテナ１０２は、コンテナ１０２の上に位置付けされているロッキングタブ９０２を通して連結されている。ロッキングタブ９０２およびユーザーアクティブ化可能な解放ボタン９０１の両方は、エネルギー貯蔵エレメント９０５を通して接続されている。この実施形態では、エネルギー貯蔵エレメント９０５は、コンテナ材料の可撓性に依存している。コンテナホルダーへコンテナを最初に連結するときに、エネルギー貯蔵エレメント９０５は、変形によってエネルギーを貯蔵し、また、エネルギー貯蔵エレメント９０５は、ロッキングタブ９０２がキャビティー９０７に合致するときに、コンテナホルダーへのコンテナの連結の間に貯蔵されたエネルギーを解放するように構成されており、キャビティー９０３の中にコンテナを固定する。ユーザーが、ユーザーアクティブ化可能な解放ボタン９０１を作動させ、エネルギー貯蔵エレメント９０５を変形させるときに、ロッキングタブ９０２は、キャビティー９０７から離脱し、コンテナホルダー１０１からのコンテナ１０２の離脱を可能にする。このユーザーアクティブ化可能な解放メカニズムは、当業者に知られている。この実施形態では、２つのユーザーアクティブ化可能な解放ボタンが示されている。代替的に、図１および図３に見ることができるように、１つだけのユーザーアクティブ化可能な解放ボタン１１０が使用され得る。
【００７９】  図１０に示されている別の例示的な実施形態では、コンテナ１０２は、外側からコンテナホルダー１０１に係合することが可能であり、表面１００３を取り囲む。この図では、コンテナ１０２は、透明であるように示されてはいない。この実施形態では、１つまたは複数のユーザーアクティブ化可能な解放ボタン１００１は、コンテナホルダー１０１の上に位置付けされ得る。これらのボタンは、コンテナホルダー１０１の上のどこかに位置付けされ得、図８Ａおよび図９Ｂにそれぞれ提示されているように、スプリング荷重式であるか、または、材料の可撓性に依存することが可能である。解放ボタン１００１は、当業者に知られているように、コンテナ１０２の上に位置付けされている嵌め合い溝部１００２にロックする。この例示的な実施形態では、解放ボタン１００１は、コンテナホルダー１０１の下側部分２０９に位置付けされている。これは、単なる例であり、他の実施形態では、解放メカニズムは、装置の上の任意の便利な場所に位置付けされ得る。
【００８０】  別の実施形態では（図１に示されている実施形態と同様に）、コンテナ１０２は、コンテナホルダー１０１にぴったりと嵌められており、解放は、コンテナホルダー１０１からコンテナ１０２を手動で押し出すことによって行われる。このケースでは、ユーザーアクティブ化可能な解放ボタン１１０は省略されている。随意的に、コンテナ１０２は、ドライビングユニット２０１によってコンテナホルダー１０１から取り外され得る。プラットフォーム１０６がコンテナ１０２の最上部表面１０９に到達するとき、リフティングメカニズムのさらなるアクティブ化が、プラットフォーム１０６を最上部表面１０９に対して押し、それは、コンテナ１０２がコンテナホルダー１０１から解放されることを結果として生じさせる。
【００８１】  上記に提示されているすべての例示的な解放メカニズムは、スプリング荷重式であり、取り外しおよび組み立てを促進させることが可能である。また、これらの解放メカニズムは、コンテナホルダー１０１、コンテナ１０２、および、解放メカニズムの異なるコンポーネントを実装するために使用される材料の可撓性を利用することが可能である。解放メカニズムが容易に動作させられ、かつ耐久性を有するのに適切な可撓性または剛性にしたがって、材料が選ばれ得る。いくつかの例示的な実施形態では、装置は、コンテナ１０２がコンテナホルダー１０１に正しく係合されているときをユーザーに知らせる方式を装備している。これは、機械的な係合からのはっきりしたクリック音、振動、または音響信号であることが可能である。
【００８２】  図１１に示されている別の実施形態では、装置は、１つの分離できないユニット１１０１を含むことが可能であり、コンテナホルダーは、コンテナに固定して連結されている。この実施形態は、上記に説明されているすべての特徴を含有する。しかし、組成物を保持するコンテナは、ドライビングユニットから取り外し可能ではなく、それらは、１つの分離できないシステム１１０１を形成している。ドライビングユニット２０１および電子回路２０４は、装置１１０１の内側の任意の便利な場所に位置付けされ得る。また、ユーザー入力エレメント１０４は、装置１１０１の外側表面の上のどこかに位置付けされ得る。この実施形態では、消費者は、組成物がすべてディスペンスされたときに装置に補充することが可能であり、または、代替的に、それを新しい装置と交換することが可能である。
【００８３】  代替的な実施形態では、コンテナホルダーは、図１２に示されているようにデジタルディスプレイ１２０１を含むことが可能である。ディスプレイ１２０１は、たとえば、コンテナホルダー１０１の下側部分２０９に位置付けされ得る。代替的に、ディスプレイ１２０１は、装置の任意の便利なパーツの上に位置付けされ得る。ディスプレイ１２０１は、ドライビングユニット２０１に電力を供給するパワーソース２０５（図２に示されている）によって、または、別々のパワーソースによって、電力を与えられ得る。ディスプレイ１２０１を制御する電子回路は、別々のエンティティであることが可能であり、または、プラットフォームリフティングメカニズムの電子回路２０４（図２に示されている）の中に一体化され得る。デジタルディスプレイ１２０１は、組成物の残りの量、装置が最後に使用された時間、装置に連結されているバッテリーの残りの寿命、現在の時間、現在の日付、および、組成物の塗布の残りの数からなる群から選択される少なくとも１つのパラメーターを示す働きをすることが可能である。代替的に、追加的なオプションが、ディスプレイ１２０１の中に組み込まれ得、それによって、ユーザーは、装置を使用するためのリマインダーとして、アラームを設定する。これらは、ディスプレイが示すことができるものの単なる例である。当技術分野で知られているように、これらの特徴のいくつかは、１つまたは複数の設定ボタン１２０２の使用を含み、１つまたは複数の設定ボタン１２０２は、装置の上のどこかに位置付けされ得る。また、随意的に、１つまたは複数のライトインジケーター１２０３が、デジタルディスプレイ１２０１を交換するか、または、デジタルディスプレイ１２０１に組み込まれ、装置の上のどこかで、上記に提示されている機能のうちの１つまたは複数を果たすことが可能である。
【００８４】  図１３Ａに示されている別の実施形態では、装置は、所望の塗布の場所の近くに、または、所望の塗布の場所の上に、ユーザーが装置を置いたときに、コンテナ１０２から組成物を自動的にディスペンスするメカニズムを含む。このケースでは、装置は、検出器１３０６を含み、検出器１３０６は、コンテナ１０２の上側表面１３０８と対象者の皮膚との間の近接または接触を検出するように構成されている。検出器１３０６は、コンテナホルダー１３０２の上側表面１３１２に連結され得る。
【００８５】  １つの例示的な検出器は、圧力センサー、機械式スイッチ、および光学式近接検出器からなる群から選択される少なくとも１つの検出器を含むことが可能である。図１３Ｂは、コンテナホルダー１３０２の上側斜視図を提示している。この例示的な設計では、検出器は、力検出器１３１０（プラスチック材料を表す点線として示されている）を使用して、コンテナ１０２とコンテナホルダー１３０２との間の力を検出することによって、コンテナの上側表面１３０８と対象者の皮膚との間の近接を検出するように構成され得る。力検出器は、キャビティー３０４の底部に位置付けされており、コンテナ１０２は、コンテナホルダー１３０２に連結されるときに、キャビティー３０４の底部に着座する。一実施形態では、パワーソース２０５は、１つまたは複数のユーザー入力エレメント１０４、５０１、または５０２（図５に示されている）の作動に応答するときでも、検出器１３０６または検出器１３１０による近接の検出がないときには、ドライビングユニット２０１（図２に示されている）の駆動を妨げる働きをする。別の実施形態では、パワーソース２０５は、検出器１３０６もしくは検出器１３１０による近接の検出に応答して、または、１つまたは複数のユーザー入力エレメント１０４、５０１、または５０２の作動に応答して、ドライビングユニット２０１の駆動を促進させる働きをする。さらなる別の実施形態では、装置は、検出器が皮膚と接触している間に、皮膚に対するコンテナ１０２の移動を検出するように構成されている。このケースでは、検出器は、図１３Ｂに示されているようなローラー１３０４を含むことが可能である。ユーザーが皮膚の上で装置をスライドさせると、ローラー１３０４が回り、ドライビングユニット２０１をアクティブ化させる。ローラー１３０４は、ローラー１３０４の角度回転ごとに事前設定量がディスペンスされることを可能にする電気的なコンポーネントを制御することが可能である。このケースでは、量は、典型的に、塗布の速度にかかわらず、塗布の領域にわたって等しくディスペンスされる。代替的に、検出器１３０６およびローラー１３０４の両方の組み合わせが使用され得る。この例では、ユーザー入力エレメント１０４が含まれ得、ユーザーは、ユーザー入力エレメント１０４を使用して装置を使用するオプション、または、自動的にディスペンスするオプションを含むことが可能である。代替的に、ユーザー入力エレメント１０４を省略することが可能である。加えて、随意的に、固形スティック装置に関して、同じ自動ディスペンシングメカニズムは、コンテナからスティックを押し出し、また、それを自動的に後退させて戻す。図１３Ａおよび図１３Ｂは、コンテナホルダー１３０２の上に位置付けされている検出器１３０６およびローラー１３０４を提示している。代替的に、検出器およびローラーは、コンテナ１０２の上部パーツ１３０８の上に位置付けされ得る。
【００８６】  図１４Ａは、プラットフォーム１０６が可動プラットフォーム１４０１となるように修正された一実施形態を提示している。この実施形態では、図１４Ａに見ることができるように、ねじ山付きのシャフト１０７は、可動プラットフォーム１４０１に対するねじ山付きのシャフト１０７の回転なしに、可動プラットフォームの中へ挿入可能である。図１４Ｂに示されているように、可動プラットフォーム１４０１は、可撓性のねじ山付きのセグメント１４０２を含むことが可能であり、可撓性のねじ山付きのセグメント１４０２は、孔部１４０４を取り囲み、また、可撓性のねじ山付きのセグメント１４０２は、孔部１４０４を通してシャフト１０７を挿入するときに、シャフト１０７の軸線から離れるように曲がることによって、シャフト１０７の回転なしに、孔部１４０４を通るねじ山付きのシャフト１０７の挿入を促進させる。この設計では、可撓性のセグメント１４０２は、底部表面１４０３の上に位置付けされている。孔部１４０４を通してシャフト１０７を挿入することに続いて、可撓性のねじ山付きのセグメント１４０２は、ねじ山付きのシャフト１０７に螺合するように構成されている。この設計では、ねじ山付きのシャフト１０７は、回転によってプラットフォーム１４０１から除去可能であり、プラットフォーム１４０１からのねじ山付きのシャフト１０７の除去は、プラットフォーム１４０１に対するねじ山付きのシャフト１０７の回転がないときには妨げられる。ねじ山１４０８は、スロープ１４０６を有しており、スロープ１４０６は、所望の方向にシャフトがスライドすることを可能にする。
【００８７】  図１５は、プラットフォーム１４０５を提示しており、プラットフォーム１４０５は、可撓性のセグメントがプラットフォームの上部表面１４０７の上に位置付けされているということ以外は、図１４Ａのプラットフォーム１４０１と同様である。この設計は、より小さい力でシャフトがスライドすることを可能にする。
【００８８】  図１４Ａおよび図１５に示されているプラットフォーム設計は、コンテナ１０２が図１６Ｂに示されているようなシャフトなしのプラットフォームを含むことを可能にする。図１６Ａは、ある実施形態を示しており、その実施形態では、コンテナホルダー１５０１の下側部分２０９が、（図２に示されている）カップリング２０２の必要性なしにドライビングユニット２０１に固定して連結されているねじ山付きのシャフト１５０２を含む。この特徴は、コンテナが全体として単純であり、製造するのに安価となることを可能にする。このケースでは、ユーザーがコンテナ１０２をコンテナホルダー１５０１に取り付けるときには、いくらかの力がプラットフォームに対して加えられ、それは、組成物を押し出す可能性がある。これを妨げるために、上部表面１０９は、除去可能なシールを用いて製造業者によってシールされ得る。この特徴は、一般的なやり方であり、それは、また、組成物が乾燥することを防止する。また、組成物が乾燥することを妨げるために、ねじ山付きの孔部１４０４（図１４Ｂに示されている）は、シャフト挿入の前に、製造業者によってシールされ得る。図１６Ｂは、プラットフォーム１４０５を含むがシャフトを含まないコンテナ１０２を提示している。コンテナホルダー１５０１がコンテナ１０２に連結されるときに、ねじ山付きのシャフト１５０２は、コンテナ１０２の図１５の可動プラットフォーム１４０５の中へ挿入される。コンテナとコンテナホルダーとの間の連結を可能にするために、コンテナは、シャフトのための開口部を提供している。図１６Ｂでは、コンテナは、下側部分に開口部１５０４を含む。開口部は、たとえば、２５ｃｍ２から０．０６ｃｍ２（比較的に小さいシャフトの断面積）まで変化することが可能である。このケースでは、ユーザーは、プラットフォーム１４０５を含むコンテナ１０２を廃棄し（または、リサイクルし）、シャフト１５０２を含むコンテナホルダー１５０１を再使用することが可能である。この実施形態では、使い捨てのパーツは、一般的に、製造するのに安価であり、組み立てるのに簡単である。ねじ山付きのシャフト１５０２がプラットフォーム１４０５に連結されるときに、コンテナホルダー１５０１からのコンテナ１０２の簡単な解放を可能にするために、ねじ山付きのシャフト１５０２は、装置の通常の使用の間にドライビングユニット２０１によって誘発される、ねじ山付きのシャフト１５０２の回転によって、プラットフォーム１４０５から徐々に除去可能である。このケースでは、コンテナ１０２の中の組成物が本質的に終了すると、ねじ山付きのシャフトがプラットフォーム１４０５から除去されるように、ねじ山付きのシャフトはサイズ決めされている。
【００８９】  図１７は、コンテナホルダーの異なる設計１７０１を示している。この設計では、グリップ３０６および３０８ならびにウィング３１０および３１２（図３に示されている）は省略されている。見ることができるように、コンテナホルダー１７０１は、同じ背部設計特徴３０１を有しており、それは、ユーザー入力エレメント１０４および１０５を所望の場所に設置することを可能にする。先述のすべての特徴は、コンテナホルダー１７０１の中に含まれ得る。この例示的な実施形態では（および、本明細書で説明されている他の実施形態では）、量入力エレメント１７０２は、スクリュードライバー（または、別のツール）を使用して調節され、ディスペンスされることとなる組成物の量を変化させることが可能である。このケースでは、量は、製造業者によって事前設定され、また、所望の場合には、ユーザーは、スクリュードライバーまたは他のツールを使用して、量を変化させることが可能である。代替的に、量入力エレメント１７０２は、コンテナホルダー１７０１の内側に組み込まれ得、ユーザーは、それを変化させるためのダイレクトアクセスを有しなくてもよい。
【００９０】  図１８は、コンテナホルダー１８０１の上側部分１８０４が、コンテナ１０２を受け入れるための開口部１８０５を有する閉じられた形状を画定するように形状決めされている一実施形態を提示している。閉じられた形状は、コンテナ１０２の少なくとも一部分を完全に取り囲むように構成されている。随意的に、コンテナホルダー１８０１は、シャフト１０７を包囲しており、シャフト１０７は、ドライビングユニットに固定して連結されている。この例では、コンテナ１０２は、図１４および図１５に提示されているようなプラットフォーム設計を含むことが可能であり、また、コンテナホルダー１８０１の内側表面１８０２に一致するように形状決めされ得る。この例示的な実施形態は、コンテナホルダーが、特定の形状に制限されず、任意の所望のおよび便利な形状で実装され得るということを示している。また、この例示的な実施形態は、ユーザー入力エレメント１０４および１０５がコンテナホルダーの上の便利な場所に設置されることを可能にする。この例示的な実施形態は、上記に提示されている特徴のいずれか、たとえば、デジタルディスプレイ１２０１、量調節ノブ１１１、または、先の図に提示されている任意の解放メカニズムを含むことが可能である。
【００９１】  図１９は、コンテナ１９０１の外部表面がコンテナホルダー１０１に適合するように形状決めされている一実施形態を提示している。具体的には、コンテナ１９０１は、背部３０１ならびにウィング３１０および３１２の形状に補完的な形状を有する突出部１９０２を含む。この実施形態では、コンテナ１９０１がコンテナホルダー１０１に連結されているときに、装置は、滑らかで審美的なエンティティを形成する。いくつかの適用例に関して、補完的な形状は、コンテナ１９０１をコンテナホルダー１０１に連結させるロッキング／解放メカニズムとしての役割を果たす。
【００９２】  図２０、図２１、図２２、図２３、および図２４は、異なるコンテナ（それぞれ、２００１、２１０１、２２０１、２３０１、および２４０１）を示しており、下側表面は、溝付きの表面（図２０における２００２）、丸い（凸形）表面（図２１における２１０２）、凹形表面（図２２における２２０２）、波状の表面（図２３における２３０２）、または歯付き表面（図２４における２４０２）を画定するように形状決めされており、コンテナホルダーの対応表面に対応している。この特徴は、整合するコンテナだけが所与のコンテナホルダーとともに使用され得るということを提供する。整合していないコンテナおよびコンテナホルダーは、適正に連結しない。図２０、図２２、図２３および図２４は、シャフトなしの図１５のプラットフォーム１４０５を含み、一方、図２１は、シャフト１０７を備えるプラットフォーム１０６を含む。
【００９３】  装置が、図１１に示されているように固定して連結されていないコンテナおよびコンテナホルダー（たとえば、図１）を含むケースでは、消費者は、典型的に、１つのコンテナホルダー（たとえば、図４Ａ）を購入し、コンテナ（図４Ｂ）を用いてそれを再使用する。販売用にパッケージ化されているようなコンテナは、典型的に、組成物、可動プラットフォーム（たとえば、１０６、１４０１、または１４０５）を含み、それは、（図４Ｂ、図２０、図２１、図２２、図２３、および図２４に示されているように）シャフトを含んでもよいし、または含まなくてもよい。コンテナは、キャップを備えて販売され得る。組成物は、デオドラント、発汗抑制剤、スキンケア組成物、医薬組成物、化粧品組成物、および超音波ゲル組成物からなる群から選択される少なくとも１つの組成物を含む。プラットフォームは、プラットフォームの移動がコンテナから組成物をディスペンスするように構成されている。装置は、消費者への販売用にパッケージ化されており、また、装置は、その回転によってコンテナの中でプラットフォームを上方へ移動させるシャフトを含んでいない。コンテナがシャフト（たとえば、図４Ｂ）を含むケースでは、コンテナの中でのシャフトの回転は、プラットフォームを移動させず、ユーザーは、コンテナがコンテナホルダーに連結されていないときにコンテナを使用することができない。また、コンテナホルダーがシャフトを含み、コンテナがプラットフォーム（たとえば、図１６Ａおよび図１６Ｂ）を含むケースでも、上記のことが当てはまる。
【００９４】  図２５は、ある実施形態を示しており、その実施形態では、コンテナホルダー２５０１が連結検出エレメントを含み、連結検出エレメントは、コンテナ２５０２のコンテナホルダーの連結を検出するように構成されている。連結検出エレメントは、連結検出エレメントとコンテナの導電性部分との電気的接触、連結検出エレメントの一部分とコンテナの対応部分との磁気的カップリング、および、コンテナの一部分からの反射のレベルからなる群から選択される少なくとも１つのパラメーターを検出するように構成されている。検出可能なエレメントは、コンテナ２５０２の最底部表面２５１８の２ｃｍから５ｃｍの間に配設され得る。
【００９５】  図２５に示されている実施形態では、コンテナ２５０２およびコンテナホルダー２５０１の両方が、電気的なエレメントを含み、電気的なエレメントは、コンテナ２５０２がコンテナホルダー２５０１に連結すると、電子回路が閉じられ、または、電気信号が伝送されるように位置決めされており、コンテナ２５０２とコンテナホルダー２５０１との間の連結の検出を可能にする。連結検出は、導電性のエレメントを使用して回路を閉じることによって実現され得る。このケースでは、コンテナ２５０２は、コンテナ２５０２の外側表面２５１０の上に配設されている導電性のエレメント２５０４を含むことが可能である。コンテナホルダー２５０１は、電子回路を含むことが可能であり、また、コンテナ２５０２がコンテナホルダー２５０１に連結すると、導電性のエレメント２５０４が、連結検出エレメント２５０６および２５０８の２つ以上の点にブリッジを架けることによって電子回路を閉じるように、導電性のエレメントは位置決めされている。導電性のエレメントのサイズは、変化することが可能であるが、一般的に、それは、長さが１ｃｍから５ｃｍの中にある。別の実施形態では、電導性エレメントは、直線状でなくてもよい。連結検出は、磁気的カップリングなどのような様々な方式で実現され得、連結検出エレメント２５１２は、コンテナホルダー２５０１の上に位置付けされ得、磁気的カップリング部分２５１６は、コンテナ２５０２の上に位置付けされ得る。代替的に、反射のレベルの光学的な測定が使用され得る。このケースでは、連結検出エレメントは、光エミッターおよび光検出器２５１４を含むことが可能である。連結検出エレメントは、コンテナの一部分２５１６からの反射のレベルを検出するように構成されている。これらは、単なる例であり、連結検出は、様々な方式で行うことが可能である。連結検出は、異なる目的を果たすことが可能であり、たとえば、それは、検出がないときのドライビングユニットの駆動を禁止しながら、１つまたは複数のユーザー入力エレメントが作動すると、ドライビングユニットのアクティブ化を可能にすることなどである。また、それは、コンテナ２５０２がコンテナホルダー２５０１に適正に連結されているということを示す役割を果たすことが可能である。連結検出エレメントは、コンテナの一部分の所定の形状性質を検出するように、かつ、図２６および図２７に示されているような所定の形状の検出がないときのドライビングユニットの駆動を妨げるように構成され得る。
【００９６】  図２６は、ある実施形態を示しており、その実施形態では、コンテナ２６０１の一部分が、所定の表面形状２６０４を画定するように形状決めされており、所定の表面形状２６０４は、コンテナホルダー２６０２の対応する所定の表面形状２６０６に連結するように構成されており、かつ、コンテナホルダーからのコンテナのすべりを妨げるように構成されている。図に見ることができるように、コンテナ２６０１およびコンテナホルダー２６０２の上の所定の表面形状は、それぞれ、補完的な形状２６０４および２６０６を含む。この実施形態では、所定の表面形状は、コンテナ２６０１の上の突出部２６０４、および、コンテナホルダー２６０２の上のインデント２６０６を画定するように形状決めされている。しかし、他の実施形態では、所定の表面形状は、コンテナの上のインデント、および、コンテナホルダーの上の突出部を画定するように形状決めされ得る。この特徴は、整合するコンテナおよびコンテナホルダーが使用されるということを提供する。整合していないコンテナおよびコンテナホルダーは、適正に連結せず、コンテナは、表面形状がないときにコンテナホルダーからスリップし得る。そのうえ、所定の表面形状は、コンテナをコンテナホルダーに連結するロッキング／解放メカニズムとしての役割を果たすことが可能である。インデント２６０６の深さは、コンテナホルダー表面の厚さよりも小さくすることが可能である。代替的に、インデントは、全体厚さを貫通し、したがって、コンテナホルダー２６０２の中に孔部を生成させることが可能である。このケースでは、コンテナホルダー２６０２からコンテナ２６０１を解放するために、ユーザーは、インデント２６０６によって形成された孔部を通して突出部２６０４を単純に押すことが可能である。また、このケースでは、コンテナがコンテナホルダーに連結されているときに、突出部２６０４の形状は、コンテナホルダー２６０２の外側表面の上から見ることができる。この実施形態は、連結検出エレメント２６１０を示しており、連結検出エレメント２６１０は、所定の形状性質２６０６を有するコンテナ２６０１の一部分がコンテナホルダー２６０２に連結することによって変化する電流を評価することによって、所定の形状性質２６０４を検出するように構成されている。電流の変化は、ゼロ電流から非ゼロ電流であり、非ゼロ電流からゼロ電流であり、または、許容される電流のレベルまでの変化であることが可能である。この実施形態では、突出部２６０４は、電導性エレメント２６０８を含むことが可能であり、電導性エレメント２６０８は、コンテナホルダー２６０２に連結すると、連結検出エレメント２６１０の２つ以上の点（図の中の黒いドット）の間の接触を生成させる。この図では、補完的な形状は、ハート形状を形成しているが、他の実施形態では、それは、任意の形状を含むことが可能である。たとえば、それは、図２７に示されているように、ワードおよび／または商標ロゴを含むことが可能である。
【００９７】  図２７は、図２６に提示されているものと同様の実施形態を提示しており、コンテナ２７０１の一部分が、所定の表面形状２７０４を画定するように形状決めされており、所定の表面形状２７０４は、コンテナホルダー２７０２の対応する所定の表面形状２７０６に連結するように構成されており、かつ、コンテナホルダーからのコンテナのすべりを妨げるように構成されている。図に見ることができるように、コンテナ２７０１およびコンテナホルダー２７０２の上の所定の表面形状は、それぞれ、補完的な形状２７０４および２７０６を含む。この実施形態では、所定の表面形状は、コンテナホルダー２７０２の上の突出部２７０６、および、コンテナ２７０１の上のインデント２７０４を含む。この特徴は、整合するコンテナおよびコンテナホルダーが使用されるということを提供する。整合していないコンテナおよびコンテナホルダーは、適正に連結せず、コンテナは、表面形状がないときにコンテナホルダーからスリップし得る。そのうえ、所定の表面形状は、コンテナ２７０１をコンテナホルダー２７０２に連結するロッキング／解放メカニズムとしての役割を果たすことが可能である。この実施形態は、連結検出エレメント２７１０を示しており、連結検出エレメント２７１０は、所定の形状性質２７０４を有するコンテナ２７０１の一部分がコンテナホルダー２７０２に連結することによって変化する電流を評価することによって、所定の形状性質２７０４を検出するように構成されている。コンテナ２７０１の所定の形状２７０４は、コンテナホルダー２７０２の上の補完的な形状２７０６に適合するように構成されている。この実施形態では、インデント２７０４は、電導性エレメント２７０８を含むことが可能であり、電導性エレメント２７０８は、コンテナホルダーに連結すると、連結検出エレメント２７１０の異なる点（図の中の黒いドット）の間の接触を形成させる。この図では、補完的な形状は、商標ロゴを形成しているが、他の実施形態では、それは、任意の形状を含むことが可能である。
【００９８】  図２８は、コンテナ２８０２が１つまたは複数のバッテリー２８０６（仮想線で示されている）を含む一実施形態を示しており、１つまたは複数のバッテリー２８０６は、コンテナホルダー２８０４に連結すると、コンテナホルダーに電力を提供し、それは、ドライビングユニット、または任意の他の電気的なコンポーネントに電力を与える役割を果たすことが可能である。組成物が終了すると、ユーザーは、新しいバッテリー２８０６を含む新しいコンテナ２８０２を装填するので、この特徴は、ユーザーがバッテリーを交換する必要性を排除することが可能である。新しいバッテリーは、所望の数の塗布のために、ドライビングユニットを駆動するのに十分な電力を保持している。簡単にするために、図２８は、コンテナの中のプラットフォームを示していないが、典型的なコンテナは、プラットフォームを含み、かつ、シャフトを含むことが可能である。この実施形態では、コンテナホルダーは、ドライビングユニットを駆動するためのパワーソースを有しておらず、したがって、パワーソースなしのコンテナとともに使用することはできない。コンテナホルダーは、デジタルディスプレイ１２０１などのような他のコンポーネントに電力を提供するためにパワーソースを有することが可能である。
【００９９】  図２９は、コンテナ１０２の上に除去可能に設置可能なキャップ２９８０を含む一実施形態を示している。キャップは、突出部２９８４を画定するように形状決めされている下側表面を有している。突出部２９８４は、コンテナホルダー２９８２の上側部分１１４の上に位置付けされているインデント２９８６に対して補完的な形状のものである。別の実施形態では、インデントは、キャップの中にあることが可能であり、一方、補完的な突出部は、コンテナホルダーの上側表面の上に位置付けされる。対称の目的のために、キャップ２９８０は、２つの突出部または２つのインデントを反対側に有することが可能である。この実施形態では、装置は、スイッチ１０５を有するコンテナホルダーとともに使用するためのものであり、突出部またはインデントは、コンテナホルダー２９８２がコンテナ１０２に連結されるときに、キャップ２９８０がコンテナ１０２に連結すると、スイッチ１０５をアクティブ化させるように構成されている。
【０１００】  図３０は、別の実施形態を提示しており、装置は、非電気機械的なドライビングユニット３００１、ならびに、非電子的なユーザー入力エレメント３００２、３００３、３００４、および３００７を含む。この実施形態では、ドライビングユニット３００１は、スプリングベースのドライビングユニットを含み、ユーザー入力エレメント３００２、３００３、および３００４は、機械的なユーザー入力エレメントを含む。この実施形態は、変更すべきところは変更して、上記に説明されている特徴のいずれも含むことが可能である。この実施形態では、コンテナホルダー１０１は、スプリング３００８によって動力を与えられるドライビングユニット３００１と、スプリング３００８の巻回を促進させるように構成されているノブ３００２とを含む。アクティブ化ユーザー入力エレメント３００３は、装置の上のどこかに位置付けされ得、ロッド３００５を介してドライビングユニット３００１と連絡することが可能であり、ロッド３００５は、コンテナホルダー１０１の本体部の中へ挿入され得る。アクティブ化ユーザー入力エレメント３００３は、ドライビングユニット３００１を作動させる役割を果たすことが可能である。本特許出願の明細書を読んだ当業者には明らかであるように、スプリング荷重式のドライビングユニット３００１は、それぞれのアクティブ化が所定の角度回転を引き起こすように実装され得る。この特徴は、概して所定のおよび繰り返し可能な組成物の量が、それぞれの動作の間にディスペンスされることを可能にし、その量は、ノブ３００７を使用して設定される。機械的なユーザー入力エレメント３００４は、スイッチを含み、ドライビングユニット３００１の偶発的なアクティブ化を防止する役割を果たす。スイッチ３００４は、たとえばロッド３００６を通して、ドライビングユニット３００１と機械的に連絡し、ロッド３００６は、コンテナホルダー１０１の本体部の中へ挿入され得る。スプリング荷重式の駆動メカニズムに加えて、電源が、上記に説明されているディスプレイまたはアラームなどのような特徴部の動作のために使用され得る。
【０１０１】  図３１に示されている別の実施形態では、ドライビングユニット３１０２は、先の実施形態で説明されているように、コンテナホルダー１０１の下側部分２０９の中に位置付けされる代わりに、プラットフォーム１０６に一体化され、カップリング３１０１を通してシャフト１０７に接続され得る。
【０１０２】  別の実施形態が、図３２に示されており、図３２では、装置は、固形スティック３２１１とともに使用するためのものである。この設計では、コンテナおよびコンテナホルダーは、固定して連結されており、１つのエンティティ３２０１を形成している。図５に示されている実施形態と同様に、装置は、固形スティック３２１１の通過を促進させるのに適切な開口した上側表面３２０２を有するように形状決めされている。方向選択ユーザー入力エレメント３２０４は、ユーザー入力エレメント１０４の作動に応答して、ドライビングユニット２０１（図２に示されている）の回転の方向、ひいては、プラットフォーム１０６移動の方向を設定するように構成されている。したがって、ユーザー入力エレメント１０４の作動は、ユーザー入力エレメント３２０４の位置に応じて、プラットフォーム１０６を上向きまたは下向きに移動させることが可能である。固形スティック組成物３２０３が使い終わると、ユーザーは、単純に、新しい固形スティック３２１１によって装置３２０１を補充することが可能である。新しい固形スティックは、典型的に、プラットフォーム１０６に取り付けられている組成物３２０３を含む。新しい固形スティック３２１１を、上側表面３２０２を通して装置３２０１の中へ挿入することによって、および、次いで、ユーザー入力エレメント１０４を押すことによって、プラットフォームおよび組成物を装置の中へ後退させることによって、補充が典型的に行われる。このケースでは、ユーザー入力エレメント１０４は、ユーザー入力エレメント３２０４を通して、プラットフォームを下向きに移動させるように設定される。この補充は、ユーザーにとって単純であり、また、装置の製造業者が、より容易な環境にやさしい製造を使用して、より安い価格で補充を作り出すことを可能にする。他の実施形態では、ユーザー入力エレメント１０４は、ユーザー入力エレメントによって交換され、図５に示されているように、２つのユーザー入力エレメント５０１および５０４をさらに含むことが可能である。このケースでは、方向選択ユーザー入力エレメント３２０４は省略されている。第２のユーザー入力エレメント５０４の作動に応答して、ドライビングユニット２０１は、第１のユーザー入力エレメント５０１の作動に応答して、ドライビングユニット２０１がプラットフォーム１０６を移動させるように構成されている方向と反対側の方向に、プラットフォーム１０６を移動させるように構成されている。
【０１０３】  また、装置は、レベル指示エレメントを含むことが可能であり、レベル指示エレメントは、組成物の残りの量を示すように、および、たとえば、組成物が終わりそうになっているときにユーザーに信号を送るように配置されている。レベル指示エレメントは、電導性エレメント、磁気的なエレメント、および、光学的に反射性のエレメントからなる群から選択され得る。いくつかの実施形態では、レベル指示エレメントは、レベルセンシングエレメント３２０９を含むことが可能であり、レベルセンシングエレメント３２０９は、装置３２０１の内側表面３２０７の上に位置決めされ得、プラットフォーム１０６が所定のレベルに到達するときに、ユーザーが、組成物が終わりそうになっているという指示を受け取ることとなるようになっている。レベルセンシングエレメント３２０９は、プラットフォーム１０６を検出するように構成され得る。レベルセンシングは、磁気的な検出などのような様々な方式で実現され得、レベルセンシングエレメント３２０９は、装置３２０１の内側表面３２０７の上に位置付けされ得、磁気的なセンシング部分３２１０は、プラットフォーム１０６の上に位置付けされ得る。代替的に、反射のレベルの光学的な測定が使用され得る。このケースでは、レベルセンシングエレメントは、光エミッターおよび光検出器を含むことが可能であり、レベルセンシングエレメント３２０９は、コンテナの一部分３２１０からの反射のレベルを検出するように構成されている。これらは、単なる例であり、レベルセンシングは、様々な方式で行うことが可能である。レベル指示エレメントは、連続的に変化する組成物の残りの量を示すように構成され得、それは、たとえば、リニアエンコーダーまたは任意の他の連続的なレベル検出技法を使用して、実現され得る。上記に説明されているレベル指示は、先述のすべての実施形態の中に含まれ得る。
【０１０４】  レベル指示エレメントは、指示光源３２０６を含むことが可能であり、指示光源３２０６は、組成物の残りの量を示すように構成されている。光源は、発光ダイオード（ＬＥＤ）または任意の他の光源を含むことが可能である。光源は、プラットフォームが所定のレベルに到達すると、恒久的にアクティブ化させられるように構成され得、または、キャップが除去されたときだけアクティブ化させられ得る。光源３２０６は、図３２に示されているように、装置３２０１の下側部分の上に、または、任意の他の場所に位置付けされ得る。いくつかの実施形態では、光源は、フラッシングすることによって、または、色を変化させることによって、組成物の残りの量を示すように構成され得、また、プラットフォームが所定のレベルに到達するときにアクティブ化させられ得る。
【０１０５】  他の実施形態では、指示は、所定のレベルに到達したときに、デジタルディスプレイ３２０５の上に示される警告、または、振動エレメント３４０１（図３４に示されている）の動作から結果として生じる振動であることが可能である。他の実施形態では、光源は、組成物が終わりそうになっているときに、たとえば、光源が組成物の残りの量を通してユーザーに見えるようになるときに、ユーザーに信号を送る方式で位置付けされ得る。これは、プラットフォームの上側表面の上に光源３２０６を設置することによって実現され得る。また、それは、図３３に示されているように、装置３２０１の内側に設置され得る。このケースでは、透明なプラットフォーム１０６が使用され得る。さらなる他の実施形態では、レベル指示エレメントは、コンテナの中に透明なスロット３２０８を画定するように形状決めされており、それは、装置３２０１の側部表面の上に、または、任意の他の便利な場所に位置付けされ得る。他の実施形態では、レベル指示エレメントは、コンテナホルダー３２０１の中に透明なスロットを画定するように形状決めされている。
【０１０６】  透明なスロット３２０８は、固形スティック組成物３２０３を示し、また、単にその透明性に起因して、または、たとえば装置の内側に位置付けされている光源を通して、組成物が終わりそうになっているときを明確に示す。
【０１０７】  図３３は、ある実施形態を示しており、その実施形態では、組成物はゲルであり、装置は、コンテナとともに使用するためのものであり、装置は、光源３３０１を含み、光源３３０１は、発光ダイオード（ＬＥＤ）または任意の他の光源を含むことが可能である。光源は、装置の中のどこかに位置決めされ得、タイプは様々であることが可能である。この例示的な実施形態では、光源３３０１は、たとえば、ＬＥＤであることが可能であり、光源３３０１は、コンテナの中の組成物３３０３を照射するように構成されており、残っている組成物の量を明確に示す（組成物は、典型的に透明であるので）。光源は、プラットフォーム１０６の上側パーツの上にあるか、コンテナホルダー１０１の下側部分の上側表面３３０２にあるか、または、任意の他の便利な場所にあることが可能である。他の実施形態では、光源３３０１は、コンテナホルダー１０１の下側部分の内側に位置付けされ得、それは、コンテナ１０２の周囲部を照射する役割を果たす。また、この設計は、組成物３３０３を照射する１つの方式としての役割を果たす。他の実施形態では、光源は、コンテナのキャップが除去されるとき、または、１つまたは複数のユーザー入力エレメントの作動のときに、アクティブ化させられるように構成されている。スイッチ１０５（図１に示されている）が含まれる実施形態では、ライトは、また、キャップが適正に閉められているということの指示であり、したがって、ライトは、キャップが適正に設置されているときには消え、組成物が乾燥すること、および、デバイスの偶発的な動作を防止することを助けることが可能である。他の実施形態では、ライトは、ユーザーがユーザー入力エレメント１０４を押すと動作させられ得る。光源３３０１が装置の内側に設置されているときには、光源３３０１は、二重の機能、すなわち、組成物３３０３の残りの量を示す機能、および、キャップが適正に閉められているかどうかを示す機能を果たすことが可能である。他の実施形態では、光源３３０１は、デジタルディスプレイをライトアップする役割を果たすことが可能であり、ユーザーが表示される指示を読むことをより容易にする。また、光源３３０１は、色が変化し、バッテリー寿命のレベルを示すことが可能である。たとえば、光源３３０１は、バッテリーが完全に充電されているときの緑色から、それが空になりそうなときの赤色へ、変化することが可能である。他の実施形態では、光源は、色が変化し、残っている組成物の量を示すことが可能である。
【０１０８】  図３４に示されている例示的な実施形態では、装置は、振動エレメント３４０１を含む。振動は、異なる機能を果たすことが可能であり、また、いくつかの方式で動作するように構成され得る。いくつかの実施形態では、振動エレメント３４０１は、コンテナ１０２がコンテナホルダー１０１に連結するとアクティブ化させられるように構成され得る。そのうえ、振動は、整合するコンテナ１０２がコンテナホルダー１０１に連結されている場合にだけ、作り出され得る。振動エレメント３４０１は、バッテリー２０５によって電力を与えられ、電子回路２０４を通して構成され得る。他の実施形態では、振動エレメント３４０１は、１つまたは複数のユーザー入力エレメント（たとえば、１０４）が作動するとアクティブ化させられるように構成され得る。これは、組成物を均一に広げる役割、および／または、脇の下をマッサージする役割を果たすことが可能である。他の実施形態では、振動は、塗布する領域の中へ組成物をより良好に注入する役割を果たすことが可能である。この特徴は、組成物が、アンチエージングクリームなどのようなスキンケア組成物または化粧品組成物を含むケースでは、関連があることが多い。随意的に、振動は、所定の量がディスペンスされるために必要とされる時間よりも長い時間の量にわたり作り出され得る。これは、所望の時間の量にわたり、脇の下または任意の他の皮膚領域をマッサージするオプションをユーザーに与えることが可能である。このケースでは、ユーザーがユーザー入力エレメント１０４を作動させると、組成物が所定の時間の量にわたり押し出され、一方、ユーザー入力エレメント１０４が作動させられている限り、振動エレメント３４０１がアクティブ化させられ、したがって、所望の長さにわたり振動を作り出す。他の実施形態では、振動エレメント３４０１は、コンテナのキャップ（例、１０３）が除去されているときにアクティブ化させられるように構成され得る。
【０１０９】  図３５は、先の実施形態に示されている同じ特徴および機能性を含むが、異なる形状の装置の斜視図を概略的に図示している。装置は、コンテナホルダー３５０１を含み、コンテナ３５０２とともに使用するためのものであり、コンテナ３５０２は、デオドラント、発汗抑制剤、スキンケア組成物、医薬組成物を含む組成物、化粧品組成物、および超音波ゲル組成物からなる群から選択される組成物３５０３を含有する。スキンケア組成物は、たとえば、フェイスクリームを含むことが可能である。代替的に、スキンケア組成物または化粧品組成物は、アンチエージングクリーム、アイクリーム、クレンザー、モイスチャークリーム、コンシーラー、液体ファンデーション、ニキビトリートメント、ボディーローション、サンスクリーン、リップグロス、または別の組成物を含むことが可能である。いくつかの実施形態では、組成物は、医薬組成物を含む。たとえば、医薬組成物は、ホルモンを含むことが可能である。ホルモンは、ステロイドホルモン、たとえば、テストステロンを含むことが可能である。他の用途では、ホルモンは、コルチゾンまたは任意の他のタイプのホルモンを含むことが可能である。他の実施形態では、組成物３５０３は、ジクロフェナク（Ｖｏｌｔａｒｅｎ（商標））ゲル；メチルサリチル酸塩、メントール、ショウノウ、および／またはトリエタノールアミンサリチル酸塩（Ｂｅｎｇａｙ（商標）もしくはＩｃｙ  Ｈｏｔ（商標）、Ｍｅｂｏ（商標）、褥瘡治療、または別の組成物）などのような医薬組成物を含む。図３５に示されている実施形態では、装置は、可動プラットフォーム３５０６を含む。コンテナホルダー３５０１は、ドライビングユニット３５１２およびパワーソース３５０５を含む下側部分３５０７を含み、パワーソース３５０５は、１つまたは複数のユーザー入力エレメント（たとえば、１０４および１０５（図１））の作動に応答して、ドライビングユニット３５１２を駆動し、シャフト３５１４を回転させ、コンテナ３５０２の可動プラットフォーム３５０６を移動させる働きをする。１つまたは複数のユーザー入力エレメントが作動させられるとき、組成物は、孔部３５１０を通してディスペンスされ、孔部３５１０は、この実施形態では、アイクリーム、ニキビトリートメント、およびその他などのような、小さい領域に方向付けされる塗布を促進させるように形状決めおよびサイズ決めされている。このケースでは、上側表面３５０９は、０．０３ｃｍ２から３．５ｃｍ２の表面積を有することが可能である。ドライビングユニット３５１２は、所定の時間の量にわたり動作するように構成され得、したがって、それぞれの使用において、組成物３５０３の事前設定量をディスペンスする。所定の量の組成物が、アイクリームまたはニキビトリートメント、およびその他などのような多くの用途で望まれ、そこでは、典型的に、小さい所定の量が必要とされる。この特徴は、それぞれの塗布で使用される量の正確性が望まれる、テストステロンなどのようなホルモンを含む医薬用途などのような、他の用途でも同様に有用である可能性がある。所定の量の組成物は、スイッチ／ノブ３５１５などのようなユーザー入力エレメントを使用して、ユーザーによ��て設定され得、または、代替的に、製造業者によって事前設定され得る。装置は、ＬＥＤなどのような光源３５０４を含むことが可能である。光源３５０４は、装置の中のどこかに位置決めされ得、また、ＬＥＤでなくてもよい。光源３５０４は、組成物のすべてを照射するように位置決めされており、残っている組成物の量を明確に示すことが可能である。光源は、プラットフォーム３５０６の上側パーツの上にあるか、コンテナホルダー３５０１の下側部分３５０７の上にあるか、または、任意の他の便利な場所にあることが可能である。光源は、キャップ３５０８が除去されているときに、またはドライビングユニット３５１２が動作させられているときに、アクティブ化させられ得る。孔部３５１０は、上記に列挙されている組成物のいずれかをディスペンスするように構成され得、また、特定の用途にしたがって、任意のサイズおよび分布で配置され得る。組成物がたとえばアイクリームを含むいくつかの実施形態では、上側表面３５０９は、目の輪郭の形状に適合するように構成され得る。他の実施形態では、上側表面は、比較的に小さい塗布する領域のために形状決めされ得る（たとえば、ニキビトリートメント）。いくつかの実施形態では、装置は、（たとえば、本明細書で上記に説明されているような）振動エレメント３５１１を含み、組成物３５０３が塗布される領域をマッサージするように構成されている。他の実施形態では、振動周波数が組成物を皮膚に効果的に注入するのに適切となるように、振動エレメント３５１１が構成されている。組成物が、スキンケア組成物または化粧品組成物、たとえば、アンチエージングクリームを含む用途において、また、振動が、使用中の組成物の有効性および／または取り込みを強化することを助けることが可能である用途において、この特徴が含まれ得る。
【０１１０】  図３６は、装置３６０１の斜視図を概略的に図示しており、コンテナおよびコンテナホルダーは、互いに固定して連結されている。装置は、ドライビングユニット３６０３およびパワーソース３６０５を含み、ユーザー入力エレメント３６０２の作動に応答して、ドライビングユニットを駆動し、可動プラットフォーム３６０６を移動させる働きをする。組成物は、孔部３６１０を通してディスペンスされる。ドライビングユニット３６０３は、所定の時間の量にわたり動作するように構成され得る。装置３６０１は、ＬＥＤなどのような光源３６０４を含むことが可能である。光源は、プラットフォーム３６０６の上側パーツの上にあるか、ベース部３６０７の上にあるか、または、任意の他の便利な場所にあることが可能である。この図に示されているようないくつかの実施形態は、スイッチ３６０９を含むことが可能であり、スイッチ３６０９は、キャップ３６０８が除去されているときに光源をアクティブ化させるように、また、キャップが設置されているときに光源を非アクティブ化させるように構成されている。このケースでは、キャップの適正な設置は、ライトを非アクティブ化させ、キャップが適正に設置されていることをユーザーに示す役割を果たす。これは、組成物が乾燥すること、または、組成物が空気にさらされることによって損傷することを妨げることが可能である。組成物が医薬製品（たとえば、テストステロン、エストロゲン、プロゲステロン、ＤＨＥＡ、およびその他などのような、ホルモンを含む組成物）を含む他の実施形態では、この特徴は、組成物が確実に貯蔵される傾向を増加させ、組成物がこぼれること、および、組成物との望ましくない接触を妨げる。
【０１１１】  先の図に示されているすべての例示的な実施形態で提示されているように、組成物が押し出される孔部は、組成物の粘度にしたがってサイズが変化することが可能であるということが留意されるべきである。
【０１１２】  追加的に、例示的な実施形態では、装置は、プラットフォームリフティングメカニズムが動作させられたという信号をユーザーに送る方式を装備していることが可能である。たとえば、これは、ドライビングユニット２０１の動作によって作り出される音だけを含むことが可能である。代替的に、それは、音響信号または振動であることが可能である。
【０１１３】  本願発明の第１の態様は、組成物をディスペンスするためのコンテナとともに使用するための装置であって、組成物は、デオドラントおよび発汗抑制剤からなる群から選択される少なくとも１つの組成物を含み、上記コンテナは、可動プラットフォームを含み、上記装置は、  コンテナホルダーを含み、上記コンテナホルダーは、  １つまたは複数のユーザー入力エレメントを含む上側部分と、  ドライビングユニットおよびパワーソースを含む下側部分であって、上記パワーソースは、上記１つまたは複数のユーザー入力エレメントの作動に応答して、上記ドライビングユニットを駆動し、上記コンテナの上記可動プラットフォームを移動させる働きをする、下側部分とを含む、組成物をディスペンスするためのコンテナとともに使用するための装置である。
【０１１４】  本願発明の第２の態様は、態様１に記載の装置であって、上記コンテナホルダーが、連結検出エレメントを含み、上記連結検出エレメントは、上記コンテナへの上記コンテナホルダーの連結を検出するように構成されている、装置である。
【０１１５】  本願発明の第３の態様は、態様１に記載の装置であって、  上記コンテナホルダーが、連結検出エレメントを含み、上記連結検出エレメントは、上記コンテナへの上記コンテナホルダーの連結を検出するように構成されており、  上記連結検出エレメントは、上記コンテナの一部分の所定の形状性質を検出するように、かつ、上記所定の形状の検出がないときに上記ドライビングユニットを駆動することを妨げるように構成されている、装置である。
【０１１６】  本願発明の第４の態様は、態様３に記載の装置であって、上記連結検出エレメントが、上記所定の形状性質を有する上記コンテナの上記一部分が上記コンテナホルダーに連結することによって変化させられる電流を評価することによって、上記所定の形状性質を検出するように構成されている、装置である。
【０１１７】  本願発明の第５の態様は、態様１に記載の装置であって、  上記コンテナホルダーが、連結検出エレメントを含み、上記連結検出エレメントは、上記コンテナへの上記コンテナホルダーの連結を検出するように構成されており、  上記連結検出エレメントは、    上記連結検出エレメントと上記コンテナの導電性部分との電気的接触、    上記連結検出エレメントの一部分と対応する上記コンテナの一部分との磁気的カップリング、および、    上記コンテナの一部分からの反射のレベルからなる群から選択される少なくとも１つのパラメーターを検出するように構成されている、装置である。
【０１１８】  本願発明の第６の態様は、態様１に記載の装置であって、上記１つまたは複数のユーザー入力エレメントが、１つまたは複数のユーザープッシュボタンを含む、装置である。
【０１１９】  本願発明の第７の態様は、態様１〜６のいずれかに記載の装置であって、上記１つまたは複数のユーザー入力エレメントが、上記コンテナホルダーの上側７５％の位置に配設されている、装置である。
【０１２０】  本願発明の第８の態様は、態様７に記載の装置であって、上記１つまたは複数のユーザー入力エレメントが、上記コンテナホルダーの上側５０％の位置に配設されている、装置である。
【０１２１】  本願発明の第９の態様は、態様８に記載の装置であって、上記１つまたは複数のユーザー入力エレメントが、上記コンテナホルダーの上側４０％の位置に配設されている、装置である。
【０１２２】  本願発明の第１０の態様は、態様１〜６のいずれかに記載の装置であって、上記１つまたは複数のユーザー入力エレメントが、上記コンテナが上記コンテナホルダーに連結されているときに、上記コンテナの上側７５％の付近に設置されるように構成されている、装置である。
【０１２３】  本願発明の第１１の態様は、態様１０に記載の装置であって、上記１つまたは複数のユーザー入力エレメントが、上記コンテナが上記コンテナホルダーに連結されているときに、上記コンテナの上側５０％の付近に設置されるように構成されている、装置である。
【０１２４】  本願発明の第１２の態様は、態様１〜６のいずれかに記載の装置であって、上記ユーザー入力エレメントが、電子的なユーザー入力エレメントを含み、上記ドライビングユニットが、電気機械的なドライビングユニットを含む、装置である。
【０１２５】  本願発明の第１３の態様は、態様１〜６のいずれかに記載の装置であって、上記ユーザー入力エレメントが、非電子的なユーザー入力エレメントを含み、上記ドライビングユニットは、非電気機械的なドライビングユニットを含む、装置である。
【０１２６】  本願発明の第１４の態様は、態様１〜６のいずれかに記載の装置であって、上記ユーザー入力エレメントが、機械的なユーザー入力エレメントを含み、上記ドライビングユニットは、スプリングベースのドライビングユニットを含む、装置である。
【０１２７】  本願発明の第１５の態様は、態様１４に記載の装置であって、上記コンテナホルダーが、上記スプリングの巻回を促進させるように構成されているノブを含む、装置である。
【０１２８】  本願発明の第１６の態様は、態様１〜６のいずれかに記載の装置であって、上記コンテナホルダーが、ユーザーアクティブ化可能な解放メカニズムを含み、上記ユーザーアクティブ化可能な解放メカニズムは、上記コンテナホルダーから上記コンテナを解放する働きをする、装置である。
【０１２９】  本願発明の第１７の態様は、態様１６に記載の装置であって、上記ユーザーアクティブ化可能な解放メカニズムが、上記コンテナホルダーの上記下側部分に配設されている、装置である。
【０１３０】  本願発明の第１８の態様は、態様１６に記載の装置であって、上記ユーザーアクティブ化可能な解放メカニズムが、上記コンテナホルダーの上記上側部分に配設されている、装置である。
【０１３１】  本願発明の第１９の態様は、態様１６に記載の装置であって、上記ユーザーアクティブ化可能な解放メカニズムが、エネルギー貯蔵エレメントを含み、上記エネルギー貯蔵エレメントは、上記コンテナを上記コンテナホルダーに最初に連結するときに、その変形によってエネルギーを貯蔵するように構成されており、また、上記エネルギー貯蔵エレメントは、上記ユーザーアクティブ化可能な解放メカニズムの作動の前に、上記コンテナを上記コンテナホルダーに連結する間に貯蔵された上記エネルギーを解放するように構成されている、装置である。
【０１３２】  本願発明の第２０の態様は、態様１９に記載の装置であって、上記コンテナホルダーが、上記ユーザーアクティブ化可能な解放メカニズムの作動の前に、上記コンテナを上記コンテナホルダーに連結する間に貯蔵された上記エネルギーの解放によって、上記コンテナにロックされる働きをする、装置である。
【０１３３】  本願発明の第２１の態様は、態様１〜６のいずれかに記載の装置であって、上記上側部分が、コンテナ連結用上側部分を画定するように形状決めされており、上記コンテナ連結用上側部分は、上記ホルダーの上記上側部分を上記コンテナの側部に連結させるように構成されている、装置である。
【０１３４】  本願発明の第２２の態様は、態様２１に記載の装置であって、上記コンテナ連結用上側部分が、上記コンテナの上側部分を保持するように構成されている１つまたは複数のグリップを含む、装置である。
【０１３５】  本願発明の第２３の態様は、態様２１に記載の装置であって、上記コンテナ連結用上側部分が、上記コンテナの上側部分を保持するように構成されている正確に２つのウィングを含む、装置である。
【０１３６】  本願発明の第２４の態様は、態様２３に記載の装置であって、上記２つのウィングが、押し付け力を上記コンテナに同時に加えるように構成されている、装置である。
【０１３７】  本願発明の第２５の態様は、態様１〜６のいずれかに記載の装置であって、上記上側部分が、背部を画定するように形状決めされており、上記背部は、上記下側部分から上方へ延在している、装置である。
【０１３８】  本願発明の第２６の態様は、態様１〜６のいずれかに記載の装置であって、  上記上側部分が、背部を画定するように形状決めされており、上記背部は、上記下側部分から上方へ延在しており、  上記上側部分が、    上記背部から延在する１つまたは複数のグリップであって、上記１つまたは複数のグリップは、上記背部を上記コンテナと接触している状態に保持することによって、上記背部が曲がることを防止するように構成されている、１つまたは複数のグリップ、および、    その中に開口部を有する閉じられた形状であって、上記閉じられた形状は、上記コンテナの少なくとも一部分を完全に取り囲むように構成されている、閉じられた形状からなる群から選択される少なくとも１つの形状を画定するように形状決めされている、装置である。
【０１３９】  本願発明の第２７の態様は、態様１〜６のいずれかに記載の装置であって、上記ドライビングユニットが、上記１つまたは複数のユーザー入力エレメントの作動に応答して、上記可動プラットフォームを所定の距離だけ移動させるように構成されている、装置である。
【０１４０】  本願発明の第２８の態様は、態様２７に記載の装置であって、上記装置が、一回分量入力エレメントをさらに含み、上記一回分量入力エレメントは、上記組成物の所望の量の指示を受け入れるように構成されており、上記装置は、上記所望の量の上記指示に基づいて、上記所定の距離を設定する働きをする、装置である。
【０１４１】  本願発明の第２９の態様は、態様２７に記載の装置であって、上記所定の距離が、固定された距離であり、上記ドライビングユニットが、上記１つまたは複数のユーザー入力エレメントの作動に応答して、上記可動プラットフォームを上記固定された距離だけ移動させるように構成されている、装置である。
【０１４２】  本願発明の第３０の態様は、態様１〜６のいずれかに記載の装置であって、上記装置が、第２のユーザー入力エレメントをさらに含み、上記第２のユーザー入力エレメントの作動に応答して、上記ドライビングユニットは、上記１つまたは複数のユーザー入力エレメントの作動に応答して、上記ドライビングユニットが上記可動プラットフォームを移動させるように構成されている方向と反対側の方向に、上記可動プラットフォームを移動させるように構成されている、装置である。
【０１４３】  本願発明の第３１の態様は、態様１〜６のいずれかに記載の装置であって、上記コンテナホルダーが、スイッチをさらに含み、上記スイッチは、第１の期間の間に上記ドライビングユニットの機能を無効化するように構成されており、上記スイッチは、第２の期間の間に上記ドライビングユニットの機能を無効化しないように構成されており、上記スイッチは、上記１つまたは複数のユーザー入力エレメントから独立して動作可能である、装置である。
【０１４４】  本願発明の第３２の態様は、態様１〜６のいずれかに記載の装置であって、上記コンテナホルダーの上記上側部分が、スイッチを含み、上記スイッチは、上記コンテナのキャップが上記コンテナの上に配設されているときに、上記ドライビングユニットの機能を無効化するように構成されており、上記スイッチは、上記コンテナの上記キャップが上記コンテナの上に配設されていないときに、上記ドライビングユニットの機能を無効化しないように構成されている、装置である。
【０１４５】  本願発明の第３３の態様は、態様３２に記載の装置であって、上記スイッチが、上記コンテナホルダーの上記上側部分の最上部表面の上に配設されている、装置である。
【０１４６】  本願発明の第３４の態様は、態様１〜６のいずれかに記載の装置であって、上記下側部分が、上記ドライビングユニットに固定して連結されているねじ山付きのシャフトを含み、上記ねじ山付きのシャフトは、上記コンテナの上記可動プラットフォームの中へ挿入可能である、装置である。
【０１４７】  本願発明の第３５の態様は、態様３４に記載の装置であって、上記ねじ山付きのシャフトが、上記可動プラットフォームに対する上記ねじ山付きのシャフトの回転なしに、上記可動プラットフォームの中へ挿入可能である、装置である。
【０１４８】  本願発明の第３６の態様は、態様３５に記載の装置であって、上記ねじ山付きのシャフトが、回転によって、上記可動プラットフォームから除去可能であり、上記可動プラットフォームからの上記ねじ山付きのシャフトの除去は、上記可動プラットフォームに対する上記ねじ山付きのシャフトの回転がないときに妨げられる、装置である。
【０１４９】  本願発明の第３７の態様は、態様３５に記載の装置であって、上記ねじ山付きのシャフトが、上記ねじ山付きのシャフトの回転によって、上記可動プラットフォームから徐々に除去可能であり、上記ねじ山付きのシャフトの回転は、上記装置の通常の使用の間に上記ドライビングユニットによって誘発される、装置である。
【０１５０】  本願発明の第３８の態様は、態様３７に記載の装置であって、上記装置は、上記組成物をディスペンスするための上記コンテナを含み、上記ねじ山付きのシャフトは、上記コンテナの中の上記組成物が本質的に終了すると、上記ねじ山付きのシャフトが上記可動プラットフォームから除去されるようにサイズ決めされている、装置である。
【０１５１】  本願発明の第３９の態様は、態様１〜６のいずれかに記載の装置であって、上記パワーソースが、電源を含む、装置である。
【０１５２】  本願発明の第４０の態様は、態様１〜６のいずれかに記載の装置であって、上記１つまたは複数のユーザー入力エレメントが、検出器を含み、上記検出器は、上記コンテナの上側表面と対象者の皮膚との間の近接を検出するように構成されている、装置である。
【０１５３】  本願発明の第４１の態様は、態様１〜６のいずれかに記載の装置であって、  上記コンテナホルダーが、検出器をさらに含み、上記検出器は、（ａ）上記コンテナの上側表面と対象者の皮膚との間の近接、および、（ｂ）上記コンテナの上側表面と対象者の皮膚との間の接触からなる群から選択されるパラメーターを検出するように構成されており、  上記パワーソースは、上記検出器による検出に応答して上記ドライビングユニットを駆動することを促進させる働きをする、装置である。
【０１５４】  本願発明の第４２の態様は、態様４１に記載の装置であって、上記パワーソースは、上記１つまたは複数のユーザー入力エレメントの上記作動に応答するときでも、上記検出器による近接の検出がないときには、上記ドライビングユニットを駆動することを妨げる働きをする、装置である。
【０１５５】  本願発明の第４３の態様は、態様４１に記載の装置であって、上記検出器が、上記コンテナホルダーの上側表面に連結されている、装置である。
【０１５６】  本願発明の第４４の態様は、態様４１に記載の装置であって、上記検出器が、光学式近接検出器を含む、装置である。
【０１５７】  本願発明の第４５の態様は、態様４１に記載の装置であって、上記検出器が、機械的な検出器を含む、装置である。
【０１５８】  本願発明の第４６の態様は、態様４５に記載の装置であって、上記機械的な検出器が、圧力センサーおよび機械式スイッチからなる群から選択される少なくとも１つの機械的な検出器を含む、装置である。
【０１５９】  本願発明の第４７の態様は、態様４５に記載の装置であって、上記機械的な検出器が、上記コンテナと上記コンテナホルダーとの間の力を検出することによって、上記コンテナの上記上側表面と上記対象者の上記皮膚との間の上記近接を検出するように構成されている、装置である。
【０１６０】  本願発明の第４８の態様は、態様４１に記載の装置であって、上記検出器は、上記検出器が上記皮膚と接触している間に、上記皮膚に対する上記コンテナの移動を検出するように構成されている、装置である。
【０１６１】  本願発明の第４９の態様は、態様４８に記載の装置であって、上記検出器が、ローラーを含む、装置である。
【０１６２】  本願発明の第５０の態様は、態様１〜６のいずれかに記載の装置であって、上記コンテナホルダーが、デジタルディスプレイを含む、装置である。
【０１６３】  本願発明の第５１の態様は、態様５０に記載の装置であって、上記デジタルディスプレイが、上記組成物の残りの量、上記装置が最後に使用された時間、上記装置に連結されているバッテリーの残りの寿命、現在の時間、現在の日付、および、上記組成物の塗布の残りの数からなる群から選択される少なくとも１つのパラメーターを示す働きをする、装置である。
【０１６４】  本願発明の第５２の態様は、態様１〜６のいずれかに記載の装置であって、上記コンテナホルダーが、上記コンテナに固定して連結されている、装置である。
【０１６５】  本願発明の第５３の態様は、態様１〜６のいずれかに記載の装置であって、上記装置が、コンテナとともに使用するためのものであり、上記装置が、光源を含む、装置である。
【０１６６】  本願発明の第５４の態様は、態様５３に記載の装置であって、上記光源が、上記コンテナの中の上記組成物を照射するように構成されている、装置である。
【０１６７】  本願発明の第５５の態様は、態様５３に記載の装置であって、上記光源が、上記コンテナのキャップが除去されているときにアクティブ化させられるように構成されている、装置である。
【０１６８】  本願発明の第５６の態様は、態様５３に記載の装置であって、上記光源が、１つまたは複数のユーザー入力エレメントがアクティブ化するとアクティブ化させられるように構成されている、装置である。
【０１６９】  本願発明の第５７の態様は、態様１〜６のいずれかに記載の装置であって、上記装置が、レベル指示エレメントをさらに含み、上記レベル指示エレメントは、上記組成物の残りの量を示すように配置されている、装置である。
【０１７０】  本願発明の第５８の態様は、態様５７に記載の装置であって、上記レベル指示エレメントが、上記コンテナの中に透明なスロットを画定するように形状決めされている、装置である。
【０１７１】  本願発明の第５９の態様は、態様５７に記載の装置であって、上記レベル指示エレメントが、上記コンテナホルダーの中に透明なスロットを画定するように形状決めされている、装置である。
【０１７２】  本願発明の第６０の態様は、態様５７に記載の装置であって、上記レベル指示エレメントが、電導性エレメント、磁気的なエレメント、および、光学的に反射性のエレメントからなる群から選択される、装置である。
【０１７３】  本願発明の第６１の態様は、態様５７に記載の装置であって、上記レベル指示エレメントが、連続的に変化する上記組成物の残りの量を示すように構成されている、装置である。
【０１７４】  本願発明の第６２の態様は、態様５７に記載の装置であって、上記レベル指示エレメントが、指示光源を含み、上記指示光源は、上記組成物の上記残りの量を示すように構成されている、装置である。
【０１７５】  本願発明の第６３の態様は、態様６２に記載の装置であって、上記指示光源が、フラッシングすることによって、上記組成物の上記残りの量を示すように構成されている、装置である。
【０１７６】  本願発明の第６４の態様は、態様６２に記載の装置であって、上記指示光源が、色を変化させることによって、上記組成物の上記残りの量を示すように構成されている、装置である。
【０１７７】  本願発明の第６５の態様は、態様１〜６のいずれかに記載の装置であって、上記装置が、振動エレメントをさらに含み、上記振動エレメントは、上記コンテナおよび上記コンテナホルダーが連結するとアクティブ化させられるように構成されている、装置である。
【０１７８】  本願発明の第６６の態様は、態様１〜６のいずれかに記載の装置であって、上記装置が、振動エレメントをさらに含み、上記振動エレメントは、上記１つまたは複数のユーザー入力エレメントが作動するとアクティブ化させられるように構成されている、装置である。
【０１７９】  本願発明の第６７の態様は、態様１〜６のいずれかに記載の装置であって、上記装置が、振動エレメントをさらに含み、上記振動エレメントは、上記コンテナのキャップが除去されるときにアクティブ化させられるように構成されている、装置である。
【０１８０】  本願発明の第６８の態様は、デオドラントおよび発汗抑制剤からなる群から選択される少なくとも１つの組成物を含む組成物と、  上記組成物を含有するコンテナであって、上記コンテナは、可動プラットフォームを含み、上記可動プラットフォームは、上記プラットフォームの移動が上記コンテナから上記組成物をディスペンスするように構成されている、コンテナとを含む装置であって、  上記装置は、消費者への販売用にパッケージ化されており、上記装置は、その回転によって上記コンテナの中で上記プラットフォームを上方へ移動させるシャフトを含まない、装置である。
【０１８１】  本願発明の第６９の態様は、態様６８に記載の装置であって、上記組成物が、粘性の組成物を含み、上記コンテナが、上側表面を含み、上記上側表面は、上記粘性の組成物を、それを通してディスペンスするのに適切な複数の孔部を画定するように形状決めされている、装置である。
【０１８２】  本願発明の第７０の態様は、態様６８に記載の装置であって、上記組成物が、固形スティック組成物として形状決めされており、上記コンテナが、開口した上側表面を有するように形状決めされており、上記開口した上側表面は、上記固形スティック組成物がそれを通って通過することを促進させるのに適切である、装置である。
【０１８３】  本願発明の第７１の態様は、態様７０に記載の装置であって、上記コンテナおよび上記コンテナホルダーが、互いに固定して連結されている、装置である。
【０１８４】  本願発明の第７２の態様は、態様７０に記載の装置であって、上記装置が、第２のユーザー入力エレメントをさらに含み、上記第２のユーザー入力エレメントの作動に応答して、上記１つまたは複数のユーザー入力エレメントは、上記１つまたは複数のユーザー入力エレメントの作動に応答して、上記ドライビングユニットをアクティブ化させ、上記ドライビングユニットが上記可動プラットフォームを移動させるように構成されている方向と反対側の方向に、上記可動プラットフォームを移動させるように構成されている、装置である。
【０１８５】  本願発明の第７３の態様は、態様６８〜７２のいずれかに記載の装置であって、上記コンテナが、下側部分を含み、上記下側部分は、シャフトがそれを通って通過するための開口部を画定するように形状決めされている、装置である。
【０１８６】  本願発明の第７４の態様は、態様７３に記載の装置であって、上記開口部の断面積が、０．０６ｃｍ２から１ｃｍ２である、装置である。
【０１８７】  本願発明の第７５の態様は、態様７３に記載の装置であって、上記開口部の断面積が、１ｃｍ２から２５ｃｍ２である、装置である。
【０１８８】  本願発明の第７６の態様は、態様６８〜７２のいずれかに記載の装置であって、上記装置が、シャフトをさらに含み、上記シャフトは、上記シャフトの回転が、上記コンテナの中で上記プラットフォームを上方へ移動させない状態で、上記コンテナの中で上記シャフトを移動させる様式で、上記プラットフォームに螺合されている、装置である。
【０１８９】  本願発明の第７７の態様は、態様７６に記載の装置であって、上記装置は、上記コンテナの中での上記シャフトの下向きの運動が、上記シャフトの回転の間に制限されないことを特徴とするが、上記コンテナの中での上記シャフトの下向きの運動が上記シャフトの回転の間に制限される場合には、上記シャフトの一方向の回転が、上記コンテナの中で上記プラットフォームを上方へ移動させることとなる、装置である。
【０１９０】  本願発明の第７８の態様は、態様６８〜７２のいずれかに記載の装置であって、上記可動プラットフォームが、シャフトに螺合連結されていない、装置である。
【０１９１】  本願発明の第７９の態様は、態様７８に記載の装置であって、上記可動プラットフォームが、ねじ山付きの孔部を画定するように形状決めされている、装置である。
【０１９２】  本願発明の第８０の態様は、態様６８〜７２のいずれかに記載の装置であって、  上記可動プラットフォームが、シャフトに螺合連結されておらず、  上記可動プラットフォームが、孔部を画定するように形状決めされており、  上記装置が、ねじ山付きのシャフトとともに使用するためのものであり、  上記可動プラットフォームが、可撓性のねじ山付きのセグメントを含み、上記可撓性のねじ山付きのセグメントは、上記孔部を取り囲んでおり、上記可撓性のねじ山付きのセグメントは、上記ねじ山付きの孔部を通して上記シャフトを挿入するときに上記シャフトの軸線から離れるように曲がることによって、上記シャフトの回転なしに、上記孔部を通して上記ねじ山付きのシャフトを挿入することを促進させる、装置である。
【０１９３】  本願発明の第８１の態様は、態様８０に記載の装置であって、上記ねじ山付きの孔部を通して上記シャフトを挿入することに続いて、上記可撓性のねじ山付きのセグメントは、上記ねじ山付きのシャフトに螺合するように構成されている、装置である。
【０１９４】  本願発明の第８２の態様は、態様６８〜７２のいずれかに記載の装置であって、上記装置は、コンテナホルダーとともに使用するためのものであり、上記コンテナの下側表面は、丸い表面、凸形表面、溝付きの表面、波状の表面、および歯付き表面からなる群から選択される少なくとも１つの表面を画定するように形状決めされており、上記コンテナホルダーの対応表面に対応している、装置である。
【０１９５】  本願発明の第８３の態様は、態様６８〜７２のいずれかに記載の装置であって、上記装置は、コンテナホルダーとともに使用するためのものであり、上記コンテナは、上記コンテナホルダーから上記コンテナを解放する働きをするユーザーアクティブ化可能な解放メカニズムを含む、装置である。
【０１９６】  本願発明の第８４の態様は、態様８３に記載の装置であって、上記ユーザーアクティブ化可能な解放メカニズムが、エネルギー貯蔵エレメントを含み、上記エネルギー貯蔵エレメントは、上記コンテナを上記コンテナホルダーに最初に連結するときに、その変形によってエネルギーを貯蔵するように構成されており、また、上記エネルギー貯蔵エレメントは、上記ユーザーアクティブ化可能な解放メカニズムの作動の前に、上記コンテナを上記コンテナホルダーに連結する間に貯蔵された上記エネルギーを解放するように構成されている、装置である。
【０１９７】  本願発明の第８５の態様は、態様８３に記載の装置であって、上記コンテナが、上記ユーザーアクティブ化可能な解放メカニズムの作動の前に、上記コンテナを上記コンテナホルダーに連結する間に貯蔵された上記エネルギーの解放によって、上記コンテナホルダーにロックされる働きをする、装置である。
【０１９８】  本願発明の第８６の態様は、態様６８〜７２のいずれかに記載の装置であって、上記コンテナが、検出可能なエレメントを含み、上記検出可能なエレメントは、上記コンテナの最底部表面から２ｃｍから５ｃｍの間に配設されており、上記検出可能なエレメントは、電導性エレメント、磁気的なエレメント、および光学的に反射性のエレメントからなる群から選択される、装置である。
【０１９９】  本願発明の第８７の態様は、態様６８〜７２のいずれかに記載の装置であって、上記コンテナが、検出可能なエレメントを含み、上記検出可能なエレメントは、上記コンテナの最上部表面から２ｃｍから５ｃｍの間に配設されており、上記検出可能なエレメントは、電導性エレメント、磁気的なエレメント、および光学的に反射性のエレメントからなる群から選択される、装置である。
【０２００】  本願発明の第８８の態様は、態様６８〜７２のいずれかに記載の装置であって、上記コンテナが、電導性エレメントを含み、上記電導性エレメントは、長さが少なくとも１ｃｍであり、上記コンテナの外側表面の上に配設されている、装置である。
【０２０１】  本願発明の第８９の態様は、態様８８に記載の装置であって、上記電導性エレメントは、長さが少なくとも５ｃｍであり、直線状ではない、装置である。
【０２０２】  本願発明の第９０の態様は、態様８８に記載の装置であって、上記装置が、電子回路を含むコンテナホルダーとともに使用するためのものであり、上記電導性エレメントは、上記コンテナを上記コンテナホルダーに連結すると、上記電導性エレメントが上記電子回路を閉じるように位置決めされている、装置である。
【０２０３】  本願発明の第９１の態様は、態様６８〜７２のいずれかに記載の装置であって、上記装置が、キャップをさらに含み、上記キャップは、上記コンテナの上に除去可能に設置可能であり、上記キャップは、下側表面を有しており、上記下側表面は、少なくとも１つのインデントおよび少なくとも１つの突出部からなる群から選択される少なくとも１つの形状性質を画定するように形状決めされている、装置である。
【０２０４】  本願発明の第９２の態様は、態様９１に記載の装置であって、上記少なくとも１つの形状性質は、少なくとも２つのインデントおよび少なくとも２つの突出部からなる群から選択される、装置である。
【０２０５】  本願発明の第９３の態様は、態様９１に記載の装置であって、上記装置が、スイッチを有するコンテナホルダーとともに使用するためのものであり、上記キャップの上記少なくとも１つの形状性質は、上記コンテナホルダーが上記コンテナに連結されているときに、上記キャップを上記コンテナに連結すると、上記スイッチをアクティブ化させるように構成されている、装置である。
【０２０６】  本願発明の第９４の態様は、態様６８〜７２のいずれかに記載の装置であって、上記消費者への販売用にパッケージ化されているような上記装置は、上記コンテナの中に使い捨てのバッテリーを含み、上記バッテリーは、（ａ）上記消費者への販売用にパッケージ化されているような上記装置の中に含まれ、かつ、（ｂ）上記可動プラットフォームを駆動し得る、上記装置の任意のコンポーネントに電気を供給するように構成されていない、装置である。
【０２０７】  本願発明の第９５の態様は、態様６８〜７２のいずれかに記載の装置であって、上記装置が、コンテナホルダーとともに使用するためのものであり、上記コンテナの一部分は、所定の表面形状を画定するように形状決めされており、上記所定の表面形状は、上記コンテナホルダーの対応する所定の表面形状に連結するように構成されており、かつ、上記コンテナホルダーからの上記コンテナのすべりを妨げるように構成されている、装置である。
【０２０８】  本願発明の第９６の態様は、組成物を含有するコンテナとともに使用するための装置であって、上記コンテナは、可動プラットフォームを含み、上記装置は、  コンテナホルダーを含み、上記コンテナホルダーは、  １つまたは複数のユーザー入力エレメントを含む上側部分と、  ドライビングユニットおよびパワーソースを含む下側部分であって、上記パワーソースは、上記１つまたは複数のユーザー入力エレメントの作動に応答して、上記ドライビングユニットを駆動し、上記コンテナの上記可動プラットフォームを移動させる働きをする、下側部分とを含む、組成物を含有するコンテナとともに使用するための装置である。
【０２０９】  本願発明の第９７の態様は、態様９６に記載の装置であって、上記組成物が、デオドラント、発汗抑制剤、スキンケア組成物、医薬組成物を含む組成物、化粧品組成物、および超音波ゲル組成物からなる群から選択され、上記装置は、選択された上記組成物を含有する上記コンテナとともに使用するためのものである、装置である。
【０２１０】  本願発明の第９８の態様は、態様９７に記載の装置であって、選択された上記組成物が、上記化粧品組成物を含み、上記装置が、上記化粧品組成物を含有する上記コンテナとともに使用するためのものである、装置である。
【０２１１】  本願発明の第９９の態様は、態様９７に記載の装置であって、選択された上記組成物が、上記スキンケア組成物を含み、上記装置が、上記スキンケア組成物を含有する上記コンテナとともに使用するためのものである、装置である。
【０２１２】  本願発明の第１００の態様は、態様９９に記載の装置であって、上記スキンケア組成物が、フェイスクリームを含み、上記装置が、上記フェイスクリームを含有する上記コンテナとともに使用するためのものである、装置である。
【０２１３】  本願発明の第１０１の態様は、態様９７に記載の装置であって、選択された上記組成物が、上記医薬組成物を含み、上記装置が、上記医薬組成物を含有する上記コンテナとともに使用するためのものである、装置である。
【０２１４】  本願発明の第１０２の態様は、態様１０１に記載の装置であって、上記医薬組成物が、ホルモンを含み、上記装置が、上記ホルモンを含む上記医薬組成物を含有する上記コンテナとともに使用するためのものである、装置である。
【０２１５】  本願発明の第１０３の態様は、態様１０２に記載の装置であって、上記ホルモンが、ステロイドホルモンを含み、上記装置が、上記ステロイドホルモンを含む上記医薬組成物を含有する上記コンテナとともに使用するためのものである、装置である。
【０２１６】  本願発明の第１０４の態様は、態様１０２に記載の装置であって、上記ホルモンが、テストステロンを含み、上記装置が、上記テストステロンを含む上記医薬組成物を含有する上記コンテナとともに使用するためのものである、装置である。
【０２１７】  本願発明の第１０５の態様は、態様１０２に記載の装置であって、上記ホルモンが、コルチゾンを含み、上記装置が、上記コルチゾンを含む上記医薬組成物を含有する上記コンテナとともに使用するためのものである、装置である。
【０２１８】  本願発明の第１０６の態様は、態様９６〜１０５のいずれかに記載の装置であって、上記コンテナホルダーが、連結検出エレメントを含み、上記連結検出エレメントは、上記コンテナへの上記コンテナホルダーの連結を検出するように構成されている、装置である。
【０２１９】  本願発明の第１０７の態様は、態様９６〜１０５のいずれかに記載の装置であって、  上記コンテナホルダーが、連結検出エレメントを含み、上記連結検出エレメントは、上記コンテナへの上記コンテナホルダーの連結を検出するように構成されており、  上記連結検出エレメントは、上記コンテナの一部分の所定の形状性質を検出するように、かつ、上記所定の形状の検出がないときに上記ドライビングユニットを駆動することを妨げるように構成されている、装置である。
【０２２０】  本願発明の第１０８の態様は、態様１０７に記載の装置であって、上記連結検出エレメントが、上記所定の形状性質を有する上記コンテナの上記一部分が上記コンテナホルダーに連結することによって変化させられる電流を評価することによって、上記所定の形状性質を検出するように構成されている、装置である。
【０２２１】  本願発明の第１０９の態様は、態様９６〜１０５のいずれかに記載の装置であって、  上記コンテナホルダーが、連結検出エレメントを含み、上記連結検出エレメントは、上記コンテナへの上記コンテナホルダーの連結を検出するように構成されており、  上記連結検出エレメントは、    上記連結検出エレメントと上記コンテナの導電性部分との電気的接触、    上記連結検出エレメントの一部分と対応する上記コンテナの一部分との磁気的カップリング、および、    上記コンテナの一部分からの反射のレベルからなる群から選択される少なくとも１つのパラメーターを検出するように構成されている、装置である。
【０２２２】  本願発明の第１１０の態様は、態様９６〜１０５のいずれかに記載の装置であって、上記１つまたは複数のユーザー入力エレメントが、１つまたは複数のユーザープッシュボタンを含む、装置である。
【０２２３】  本願発明の第１１１の態様は、態様９６〜１０５のいずれかに記載の装置であって、上記１つまたは複数のユーザー入力エレメントが、上記コンテナホルダーの上側７５％の位置に配設されている、装置である。
【０２２４】  本願発明の第１１２の態様は、態様１１１に記載の装置であって、上記１つまたは複数のユーザー入力エレメントが、上記コンテナホルダーの上側５０％の位置に配設されている、装置である。
【０２２５】  本願発明の第１１３の態様は、態様１１２に記載の装置であって、上記１つまたは複数のユーザー入力エレメントが、上記コンテナホルダーの上側４０％の位置に配設されている、装置である。
【０２２６】  本願発明の第１１４の態様は、態様９６〜１０５のいずれかに記載の装置であって、上記１つまたは複数のユーザー入力エレメントが、上記コンテナが上記コンテナホルダーに連結されているときに、上記コンテナの上側７５％の付近に設置されるように構成されている、装置である。
【０２２７】  本願発明の第１１５の態様は、態様１１４に記載の装置であって、上記１つまたは複数のユーザー入力エレメントが、上記コンテナが上記コンテナホルダーに連結されているときに、上記コンテナの上側５０％の付近に設置されるように構成されている、装置である。
【０２２８】  本願発明の第１１６の態様は、態様９６〜１０５のいずれかに記載の装置であって、上記ユーザー入力エレメントが、電子的なユーザー入力エレメントを含み、上記ドライビングユニットが、電気機械的なドライビングユニットを含む、装置である。
【０２２９】  本願発明の第１１７の態様は、態様９６〜１０５のいずれかに記載の装置であって、上記ユーザー入力エレメントが、非電子的なユーザー入力エレメントを含み、上記ドライビングユニットは、非電気機械的なドライビングユニットを含む、装置である。
【０２３０】  本願発明の第１１８の態様は、態様９６〜１０５のいずれかに記載の装置であって、上記ユーザー入力エレメントが、機械的なユーザー入力エレメントを含み、上記ドライビングユニットは、スプリングベースのドライビングユニットを含む、装置である。
【０２３１】  本願発明の第１１９の態様は、態様１１８に記載の装置であって、上記コンテナホルダーが、上記スプリングの巻回を促進させるように構成されているノブを含む、装置である。
【０２３２】  本願発明の第１２０の態様は、態様９６〜１０５のいずれかに記載の装置であって、上記コンテナホルダーが、ユーザーアクティブ化可能な解放メカニズムを含み、上記ユーザーアクティブ化可能な解放メカニズムは、上記コンテナホルダーから上記コンテナを解放する働きをする、装置である。
【０２３３】  本願発明の第１２１の態様は、態様１２０に記載の装置であって、上記ユーザーアクティブ化可能な解放メカニズムが、上記コンテナホルダーの上記下側部分に配設されている、装置である。
【０２３４】  本願発明の第１２２の態様は、態様１２０に記載の装置であって、上記ユーザーアクティブ化可能な解放メカニズムが、上記コンテナホルダーの上記上側部分に配設されている、装置である。
【０２３５】  本願発明の第１２３の態様は、態様１２０に記載の装置であって、上記ユーザーアクティブ化可能な解放メカニズムが、エネルギー貯蔵エレメントを含み、上記エネルギー貯蔵エレメントは、上記コンテナを上記コンテナホルダーに最初に連結するときに、その変形によってエネルギーを貯蔵するように構成されており、また、上記エネルギー貯蔵エレメントは、上記ユーザーアクティブ化可能な解放メカニズムの作動の前に、上記コンテナを上記コンテナホルダーに連結する間に貯蔵された上記エネルギーを解放するように構成されている、装置である。
【０２３６】  本願発明の第１２４の態様は、態様１２３に記載の装置であって、上記コンテナホルダーが、上記ユーザーアクティブ化可能な解放メカニズムの作動の前に、上記コンテナを上記コンテナホルダーに連結する間に貯蔵された上記エネルギーの解放によって、上記コンテナにロックされる働きをする、装置である。
【０２３７】  本願発明の第１２５の態様は、態様９６〜１０５のいずれかに記載の装置であって、上記上側部分が、コンテナ連結用上側部分を画定するように形状決めされており、上記コンテナ連結用上側部分は、上記ホルダーの上記上側部分を上記コンテナの側部に連結させるように構成されている、装置である。
【０２３８】  本願発明の第１２６の態様は、態様１２５に記載の装置であって、上記コンテナ連結用上側部分が、上記コンテナの上側部分を保持するように構成されている１つまたは複数のグリップを含む、装置である。
【０２３９】  本願発明の第１２７の態様は、態様１２５に記載の装置であって、上記コンテナ連結用上側部分が、上記コンテナの上側部分を保持するように構成されている正確に２つのウィングを含む、装置である。
【０２４０】  本願発明の第１２８の態様は、態様１２７に記載の装置であって、上記２つのウィングが、押し付け力を上記コンテナに同時に加えるように構成されている、装置である。
【０２４１】  本願発明の第１２９の態様は、態様９６〜１０５のいずれかに記載の装置であって、上記上側部分が、背部を画定するように形状決めされており、上記背部は、上記下側部分から上方へ延在している、装置である。
【０２４２】  本願発明の第１３０の態様は、態様９６〜１０５のいずれかに記載の装置であって、  上記上側部分が、背部を画定するように形状決めされており、上記背部は、上記下側部分から上方へ延在しており、  上記上側部分が、    上記背部から延在する１つまたは複数のグリップであって、上記１つまたは複数のグリップは、上記背部を上記コンテナと接触している状態に保持することによって、上記背部が曲がることを防止するように構成されている、１つまたは複数のグリップ、および、    その中に開口部を有する閉じられた形状であって、上記閉じられた形状は、上記コンテナの少なくとも一部分を完全に取り囲むように構成されている、閉じられた形状  からなる群から選択される少なくとも１つの形状を画定するように形状決めされている、装置である。
【０２４３】  本願発明の第１３１の態様は、態様９６〜１０５のいずれかに記載の装置であって、上記ドライビングユニットが、上記１つまたは複数のユーザー入力エレメントの作動に応答して、上記可動プラットフォームを所定の距離だけ移動させるように構成されている、装置である。
【０２４４】  本願発明の第１３２の態様は、態様１３１に記載の装置であって、上記装置が、一回分量入力エレメントをさらに含み、上記一回分量入力エレメントは、上記組成物の所望の量の指示を受け入れるように構成されており、上記装置は、上記所望の量の上記指示に基づいて、上記所定の距離を設定する働きをする、装置である。
【０２４５】  本願発明の第１３３の態様は、態様１３１に記載の装置であって、上記所定の距離が、固定された距離であり、上記ドライビングユニットが、上記１つまたは複数のユーザー入力エレメントの作動に応答して、上記可動プラットフォームを上記固定された距離だけ移動させるように構成されている、装置である。
【０２４６】  本願発明の第１３４の態様は、態様９６〜１０５のいずれかに記載の装置であって、上記装置が、第２のユーザー入力エレメントをさらに含み、上記第２のユーザー入力エレメントの作動に応答して、上記ドライビングユニットは、上記１つまたは複数のユーザー入力エレメントの作動に応答して、上記ドライビングユニットが上記可動プラットフォームを移動させるように構成されている方向と反対側の方向に、上記可動プラットフォームを移動させるように構成されている、装置である。
【０２４７】  本願発明の第１３５の態様は、態様９６〜１０５のいずれかに記載の装置であって、上記コンテナホルダーが、スイッチをさらに含み、上記スイッチは、第１の期間の間に上記ドライビングユニットの機能を無効化するように構成されており、上記スイッチは、第２の期間の間に上記ドライビングユニットの機能を無効化しないように構成されており、上記スイッチは、上記１つまたは複数のユーザー入力エレメントから独立して動作可能である、装置である。
【０２４８】  本願発明の第１３６の態様は、態様９６〜１０５のいずれかに記載の装置であって、上記コンテナホルダーの上記上側部分が、スイッチを含み、上記スイッチは、上記コンテナのキャップが上記コンテナの上に配設されているときに、上記ドライビングユニットの機能を無効化するように構成されており、上記スイッチは、上記コンテナの上記キャップが上記コンテナの上に配設されていないときに、上記ドライビングユニットの機能を無効化しないように構成されている、装置である。
【０２４９】  本願発明の第１３７の態様は、態様１３６に記載の装置であって、上記スイッチが、上記コンテナホルダーの上記上側部分の最上部表面の上に配設されている、装置である。
【０２５０】  本願発明の第１３８の態様は、態様９６〜１０５のいずれかに記載の装置であって、上記下側部分が、上記ドライビングユニットに固定して連結されているねじ山付きのシャフトを含み、上記ねじ山付きのシャフトは、上記コンテナの上記可動プラットフォームの中へ挿入可能である、装置である。
【０２５１】  本願発明の第１３９の態様は、態様１３８に記載の装置であって、上記ねじ山付きのシャフトが、上記可動プラットフォームに対する上記ねじ山付きのシャフトの回転なしに、上記可動プラットフォームの中へ挿入可能である、装置である。
【０２５２】  本願発明の第１４０の態様は、態様１３９に記載の装置であって、上記ねじ山付きのシャフトが、回転によって、上記可動プラットフォームから除去可能であり、上記可動プラットフォームからの上記ねじ山付きのシャフトの除去は、上記可動プラットフォームに対する上記ねじ山付きのシャフトの回転がないときに妨げられる、装置である。
【０２５３】  本願発明の第１４１の態様は、態様１３９に記載の装置であって、上記ねじ山付きのシャフトが、上記ねじ山付きのシャフトの回転によって、上記可動プラットフォームから徐々に除去可能であり、上記ねじ山付きのシャフトの回転は、上記装置の通常の使用の間に上記ドライビングユニットによって誘発される、装置である。
【０２５４】  本願発明の第１４２の態様は、態様１４１に記載の装置であって、上記装置は、上記組成物をディスペンスするための上記コンテナを含み、上記ねじ山付きのシャフトは、上記コンテナの中の上記組成物が本質的に終了すると、上記ねじ山付きのシャフトが上記可動プラットフォームから除去されるようにサイズ決めされている、装置である。
【０２５５】  本願発明の第１４３の態様は、態様９６〜１０５のいずれかに記載の装置であって、上記パワーソースが、電源を含む、装置である。
【０２５６】  本願発明の第１４４の態様は、態様９６〜１０５のいずれかに記載の装置であって、上記１つまたは複数のユーザー入力エレメントが、検出器を含み、上記検出器は、上記コンテナの上側表面と対象者の皮膚との間の近接を検出するように構成されている、装置である。
【０２５７】  本願発明の第１４５の態様は、態様９６〜１０５のいずれかに記載の装置であって、  上記コンテナホルダーが、検出器をさらに含み、上記検出器は、（ａ）上記コンテナの上側表面と対象者の皮膚との間の近接、および、（ｂ）上記コンテナの上側表面と対象者の皮膚との間の接触からなる群から選択されるパラメーターを検出するように構成されており、  上記パワーソースは、上記検出器による検出に応答して上記ドライビングユニットを駆動することを促進させる働きをする、装置である。
【０２５８】  本願発明の第１４６の態様は、態様１４５に記載の装置であって、上記パワーソースは、上記１つまたは複数のユーザー入力エレメントの上記作動に応答するときでも、上記検出器による近接の検出がないときには、上記ドライビングユニットを駆動することを妨げる働きをする、装置である。
【０２５９】  本願発明の第１４７の態様は、態様１４５に記載の装置であって、上記検出器が、上記コンテナホルダーの上側表面に連結されている、装置である。
【０２６０】  本願発明の第１４８の態様は、態様１４５に記載の装置であって、上記検出器が、光学式近接検出器を含む、装置である。
【０２６１】  本願発明の第１４９の態様は、態様１４５に記載の装置であって、上記検出器が、機械的な検出器を含む、装置である。
【０２６２】  本願発明の第１５０の態様は、態様１４９に記載の装置であって、上記機械的な検出器が、圧力センサーおよび機械式スイッチからなる群から選択される少なくとも１つの機械的な検出器を含む、装置である。
【０２６３】  本願発明の第１５１の態様は、態様１４９に記載の装置であって、上記機械的な検出器が、上記コンテナと上記コンテナホルダーとの間の力を検出することによって、上記コンテナの上記上側表面と上記対象者の上記皮膚との間の上記近接を検出するように構成されている、装置である。
【０２６４】  本願発明の第１５２の態様は、態様１４５に記載の装置であって、上記検出器は、上記検出器が上記皮膚と接触している間に、上記皮膚に対する上記コンテナの移動を検出するように構成されている、装置である。
【０２６５】  本願発明の第１５３の態様は、態様１５２に記載の装置であって、上記検出器が、ローラーを含む、装置である。
【０２６６】  本願発明の第１５４の態様は、態様９６〜１０５のいずれかに記載の装置であって、上記コンテナホルダーが、デジタルディスプレイを含む、装置である。
【０２６７】  本願発明の第１５５の態様は、態様１５４に記載の装置であって、上記デジタルディスプレイが、上記組成物の残りの量、上記装置が最後に使用された時間、上記装置に連結されているバッテリーの残りの寿命、現在の時間、現在の日付、および、上記組成物の塗布の残りの数からなる群から選択される少なくとも１つのパラメーターを示す働きをする、装置である。
【０２６８】  本願発明の第１５６の態様は、態様９６〜１０５のいずれかに記載の装置であって、上記コンテナホルダーが、上記コンテナに固定して連結されている、装置である。
【０２６９】  本願発明の第１５７の態様は、態様９６〜１０５のいずれかに記載の装置であって、上記装置が、コンテナとともに使用するためのものであり、上記装置が、光源を含む、装置である。
【０２７０】  本願発明の第１５８の態様は、態様１５７に記載の装置であって、上記光源が、上記コンテナの中の上記組成物を照射するように構成されている、装置である。
【０２７１】  本願発明の第１５９の態様は、態様１５７に記載の装置であって、上記光源が、上記コンテナのキャップが除去されているときにアクティブ化させられるように構成されている、装置である。
【０２７２】  本願発明の第１６０の態様は、態様１５７に記載の装置であって、上記光源が、１つまたは複数のユーザー入力エレメントがアクティブ化するとアクティブ化させられるように構成されている、装置である。
【０２７３】  本願発明の第１６１の態様は、態様９６〜１０５のいずれかに記載の装置であって、上記装置が、レベル指示エレメントをさらに含み、上記レベル指示エレメントは、上記組成物の残りの量を示すように配置されている、装置である。
【０２７４】  本願発明の第１６２の態様は、態様１６１に記載の装置であって、上記レベル指示エレメントが、上記コンテナの中に透明なスロットを画定するように形状決めされている、装置である。
【０２７５】  本願発明の第１６３の態様は、態様１６１に記載の装置であって、上記レベル指示エレメントが、上記コンテナホルダーの中に透明なスロットを画定するように形状決めされている、装置である。
【０２７６】  本願発明の第１６４の態様は、態様１６１に記載の装置であって、上記レベル指示エレメントが、電導性エレメント、磁気的なエレメント、および、光学的に反射性のエレメントからなる群から選択される、装置である。
【０２７７】  本願発明の第１６５の態様は、態様１６１に記載の装置であって、上記レベル指示エレメントが、連続的に変化する上記組成物の残りの量を示すように構成されている、装置である。
【０２７８】  本願発明の第１６６の態様は、態様１６１に記載の装置であって、上記レベル指示エレメントが、指示光源を含み、上記指示光源は、上記組成物の上記残りの量を示すように構成されている、装置である。
【０２７９】  本願発明の第１６７の態様は、態様１６６に記載の装置であって、上記指示光源が、フラッシングすることによって、上記組成物の上記残りの量を示すように構成されている、装置である。
【０２８０】  本願発明の第１６８の態様は、態様１６６に記載の装置であって、上記指示光源が、色を変化させることによって、上記組成物の上記残りの量を示すように構成されている、装置である。
【０２８１】  本願発明の第１６９の態様は、態様９６〜１０５のいずれかに記載の装置であって、上記装置が、振動エレメントをさらに含み、上記振動エレメントは、上記コンテナおよび上記コンテナホルダーが連結するとアクティブ化させられるように構成されている、装置である。
【０２８２】  本願発明の第１７０の態様は、態様９６〜１０５のいずれかに記載の装置であって、上記装置が、振動エレメントをさらに含み、上記振動エレメントは、上記１つまたは複数のユーザー入力エレメントが作動するとアクティブ化させられるように構成されている、装置である。
【０２８３】  本願発明の第１７１の態様は、態様９６〜１０５のいずれかに記載の装置であって、上記装置が、振動エレメントをさらに含み、上記振動エレメントは、上記コンテナのキャップが除去されるときにアクティブ化させられるように構成されている、装置である。
【０２８４】  本願発明の第１７２の態様は、組成物と、  上記組成物を含有するコンテナであって、上記コンテナは、可動プラットフォームを含み、上記可動プラットフォームは、上記プラットフォームの移動が上記コンテナから上記組成物をディスペンスするように構成されている、コンテナとを含む装置であって、  上記装置は、消費者への販売用にパッケージ化されており、上記装置は、その回転によって上記コンテナの中で上記プラットフォームを上方へ移動させるシャフトを含まない、装置である。
【０２８５】  本願発明の第１７３の態様は、態様１７２に記載の装置であって、上記組成物が、デオドラント、発汗抑制剤、スキンケア組成物、医薬組成物を含む組成物、化粧品組成物、および超音波ゲル組成物からなる群から選択される、装置である。
【０２８６】  本願発明の第１７４の態様は、態様１７３に記載の装置であって、選択された上記組成物が、上記化粧品組成物を含む、装置である。
【０２８７】  本願発明の第１７５の態様は、態様１７３に記載の装置であって、選択された上記組成物が、上記スキンケア組成物を含む、装置である。
【０２８８】  本願発明の第１７６の態様は、態様１７５に記載の装置であって、上記スキンケア組成物が、フェイスクリームを含む、装置である。
【０２８９】  本願発明の第１７７の態様は、態様１７３に記載の装置であって、選択された上記組成物が、上記医薬組成物を含む、装置である。
【０２９０】  本願発明の第１７８の態様は、態様１７７に記載の装置であって、上記医薬組成物が、ホルモンを含む、装置である。
【０２９１】  本願発明の第１７９の態様は、態様１７８に記載の装置であって、上記ホルモンが、ステロイドホルモンを含む、装置である。
【０２９２】  本願発明の第１８０の態様は、態様１７８に記載の装置であって、上記ホルモンが、テストステロンを含む、装置である。
【０２９３】  本願発明の第１８１の態様は、態様１７８に記載の装置であって、上記ホルモンが、コルチゾンを含む、装置である。
【０２９４】  本願発明の第１８２の態様は、態様１７２〜１８１のいずれかに記載の装置であって、上記組成物が、粘性の組成物を含み、上記コンテナが、上側表面を含み、上記上側表面は、上記粘性の組成物を、それを通してディスペンスするのに適切な複数の孔部を画定するように形状決めされている、装置である。
【０２９５】  本願発明の第１８３の態様は、態様１７２〜１８１のいずれかに記載の装置であって、上記組成物が、固形スティック組成物として形状決めされており、上記コンテナが、開口した上側表面を有するように形状決めされており、上記開口した上側表面は、上記固形スティック組成物がそれを通って通過することを促進させるのに適切である、装置である。
【０２９６】  本願発明の第１８４の態様は、態様１８３に記載の装置であって、上記コンテナおよび上記コンテナホルダーが、互いに固定して連結されている、装置である。
【０２９７】  本願発明の第１８５の態様は、態様１８３に記載の装置であって、上記装置が、第２のユーザー入力エレメントをさらに含み、上記第２のユーザー入力エレメントの作動に応答して、上記１つまたは複数のユーザー入力エレメントは、上記１つまたは複数のユーザー入力エレメントの作動に応答して、上記ドライビングユニットをアクティブ化させ、上記ドライビングユニットが上記可動プラットフォームを移動させるように構成されている方向と反対側の方向に、上記可動プラットフォームを移動させるように構成されている、装置である。
【０２９８】  本願発明の第１８６の態様は、態様１７２〜１８１のいずれかに記載の装置であって、上記コンテナが、下側部分を含み、上記下側部分は、シャフトがそれを通って通過するための開口部を画定するように形状決めされている、装置である。
【０２９９】  本願発明の第１８７の態様は、態様１８６に記載の装置であって、上記開口部の断面積が、０．０６ｃｍ２から１ｃｍ２である、装置である。
【０３００】  本願発明の第１８８の態様は、態様１８６に記載の装置であって、上記開口部の断面積が、１ｃｍ２から２５ｃｍ２である、装置である。
【０３０１】  本願発明の第１８９の態様は、態様１７２〜１８１のいずれかに記載の装置であって、上記装置が、シャフトをさらに含み、上記シャフトは、上記シャフトの回転が、上記コンテナの中で上記プラットフォームを上方へ移動させない状態で、上記コンテナの中で上記シャフトを移動させる様式で、上記プラットフォームに螺合されている、装置である。
【０３０２】  本願発明の第１９０の態様は、態様１８９に記載の装置であって、上記装置は、上記コンテナの中での上記シャフトの下向きの運動が、上記シャフトの回転の間に制限されないことを特徴とするが、上記コンテナの中での上記シャフトの下向きの運動が上記シャフトの回転の間に制限される場合には、上記シャフトの一方向の回転が、上記コンテナの中で上記プラットフォームを上方へ移動させることとなる、装置である。
【０３０３】  本願発明の第１９１の態様は、態様１７２〜１８１のいずれかに記載の装置であって、上記可動プラットフォームが、シャフトに螺合連結されていない、装置である。
【０３０４】  本願発明の第１９２の態様は、態様１９１に記載の装置であって、上記可動プラットフォームが、ねじ山付きの孔部を画定するように形状決めされている、装置である。
【０３０５】  本願発明の第１９３の態様は、態様１７２〜１８１のいずれかに記載の装置であって、  上記可動プラットフォームが、シャフトに螺合連結されておらず、  上記可動プラットフォームが、孔部を画定するように形状決めされており、  上記装置が、ねじ山付きのシャフトとともに使用するためのものであり、  上記可動プラットフォームが、可撓性のねじ山付きのセグメントを含み、上記可撓性のねじ山付きのセグメントは、上記孔部を取り囲んでおり、上記可撓性のねじ山付きのセグメントは、上記ねじ山付きの孔部を通して上記シャフトを挿入するときに上記シャフトの軸線から離れるように曲がることによって、上記シャフトの回転なしに、上記孔部を通して上記ねじ山付きのシャフトを挿入することを促進させる、装置である。
【０３０６】  本願発明の第１９４の態様は、態様１９３に記載の装置であって、上記ねじ山付きの孔部を通して上記シャフトを挿入することに続いて、上記可撓性のねじ山付きのセグメントは、上記ねじ山付きのシャフトに螺合するように構成されている、装置である。
【０３０７】  本願発明の第１９５の態様は、態様１７２〜１８１のいずれかに記載の装置であって、上記装置は、コンテナホルダーとともに使用するためのものであり、上記コンテナの下側表面は、丸い表面、凸形表面、溝付きの表面、波状の表面、および歯付き表面からなる群から選択される少なくとも１つの表面を画定するように形状決めされており、上記コンテナホルダーの対応表面に対応している、装置である。
【０３０８】  本願発明の第１９６の態様は、態様１７２〜１８１のいずれかに記載の装置であって、上記装置は、コンテナホルダーとともに使用するためのものであり、上記コンテナは、上記コンテナホルダーから上記コンテナを解放する働きをするユーザーアクティブ化可能な解放メカニズムを含む、装置である。
【０３０９】  本願発明の第１９７の態様は、態様１９６に記載の装置であって、上記ユーザーアクティブ化可能な解放メカニズムが、エネルギー貯蔵エレメントを含み、上記エネルギー貯蔵エレメントは、上記コンテナを上記コンテナホルダーに最初に連結するときに、その変形によってエネルギーを貯蔵するように構成されており、また、上記エネルギー貯蔵エレメントは、上記ユーザーアクティブ化可能な解放メカニズムの作動の前に、上記コンテナを上記コンテナホルダーに連結する間に貯蔵された上記エネルギーを解放するように構成されている、装置である。
【０３１０】  本願発明の第１９８の態様は、態様１９６に記載の装置であって、上記コンテナが、上記ユーザーアクティブ化可能な解放メカニズムの作動の前に、上記コンテナを上記コンテナホルダーに連結する間に貯蔵された上記エネルギーの解放によって、上記コンテナホルダーにロックされる働きをする、装置である。
【０３１１】  本願発明の第１９９の態様は、態様１７２〜１８１のいずれかに記載の装置であって、上記コンテナが、検出可能なエレメントを含み、上記検出可能なエレメントは、上記コンテナの最底部表面から２ｃｍから５ｃｍの間に配設されており、上記検出可能なエレメントは、電導性エレメント、磁気的なエレメント、および光学的に反射性のエレメントからなる群から選択される、装置である。
【０３１２】  本願発明の第２００の態様は、態様１７２〜１８１のいずれかに記載の装置であって、上記コンテナが、検出可能なエレメントを含み、上記検出可能なエレメントは、上記コンテナの最上部表面から２ｃｍから５ｃｍの間に配設されており、上記検出可能なエレメントは、電導性エレメント、磁気的なエレメント、および光学的に反射性のエレメントからなる群から選択される、装置である。
【０３１３】  本願発明の第２０１の態様は、態様１７２〜１８１のいずれかに記載の装置であって、上記コンテナが、電導性エレメントを含み、上記電導性エレメントは、長さが少なくとも１ｃｍであり、上記コンテナの外側表面の上に配設されている、装置である。
【０３１４】  本願発明の第２０２の態様は、態様２０１に記載の装置であって、上記電導性エレメントは、長さが少なくとも５ｃｍであり、直線状ではない、装置である。
【０３１５】  本願発明の第２０３の態様は、態様２０１に記載の装置であって、上記装置が、電子回路を含むコンテナホルダーとともに使用するためのものであり、上記電導性エレメントは、上記コンテナを上記コンテナホルダーに連結すると、上記電導性エレメントが上記電子回路を閉じるように位置決めされている、装置である。
【０３１６】  本願発明の第２０４の態様は、態様１７２〜１８１のいずれかに記載の装置であって、上記装置が、キャップをさらに含み、上記キャップは、上記コンテナの上に除去可能に設置可能であり、上記キャップは、下側表面を有しており、上記下側表面は、少なくとも１つのインデントおよび少なくとも１つの突出部からなる群から選択される少なくとも１つの形状性質を画定するように形状決めされている、装置である。
【０３１７】  本願発明の第２０５の態様は、態様２０４に記載の装置であって、上記少なくとも１つの形状性質は、少なくとも２つのインデントおよび少なくとも２つの突出部からなる群から選択される、装置である。
【０３１８】  本願発明の第２０６の態様は、態様２０４に記載の装置であって、上記装置が、スイッチを有するコンテナホルダーとともに使用するためのものであり、上記キャップの上記少なくとも１つの形状性質は、上記コンテナホルダーが上記コンテナに連結されているときに、上記キャップを上記コンテナに連結すると、上記スイッチをアクティブ化させるように構成されている、装置である。
【０３１９】  本願発明の第２０７の態様は、態様１７２〜１８１のいずれかに記載の装置であって、上記消費者への販売用にパッケージ化されているような上記装置は、上記コンテナの中に使い捨てのバッテリーを含み、上記バッテリーは、（ａ）上記消費者への販売用にパッケージ化されているような上記装置の中に含まれ、かつ、（ｂ）上記可動プラットフォームを駆動し得る、上記装置の任意のコンポーネントに電気を供給するように構成されていない、装置である。
【０３２０】  本願発明の第２０８の態様は、態様１７２〜１８１のいずれかに記載の装置であって、上記装置が、コンテナホルダーとともに使用するためのものであり、上記コンテナの一部分は、所定の表面形状を画定するように形状決めされており、上記所定の表面形状は、上記コンテナホルダーの対応する所定の表面形状に連結するように構成されており、かつ、上記コンテナホルダーからの上記コンテナのすべりを妨げるように構成されている、装置である。
【０３２１】  本発明は、とりわけ、本明細書で上記に示されて説明されてきたものに限定されないということが当業者によって認識されることとなる。むしろ、本発明の範囲は、本明細書で上記に説明されている様々な特徴、ならびに、先行技術の中にないその変形例および修正例のコンビネーションおよびサブコンビネーションの両方を含み、それは、先述の説明を読むと当業者に思い付くこととなる。 
【手続補正２】
【補正対象書類名】特許請求の範囲
【補正対象項目名】全文
【補正方法】変更
【補正の内容】
【特許請求の範囲】
【請求項１】
組成物をディスペンスするためのコンテナとともに使用するための装置であって、前記組成物は、デオドラントおよび発汗抑制剤からなる群から選択される少なくとも１つの組成物を含み、前記コンテナは、可動プラットフォームを含み、前記装置は、  コンテナホルダーを含み、前記コンテナホルダーは、  １つまたは複数のユーザー入力エレメントを含む上側部分と、  ドライビングユニットおよびパワーソースを含む下側部分であって、前記パワーソースは、前記１つまたは複数のユーザー入力エレメントの作動に応答して、前記ドライビングユニットを駆動し、前記コンテナの前記可動プラットフォームを移動させる働きをする、下側部分とを含む、組成物をディスペンスするためのコンテナとともに使用するための装置。
【請求項２】
請求項１に記載の装置であって、前記コンテナホルダーが、連結検出エレメントを含み、前記連結検出エレメントは、前記コンテナへの前記コンテナホルダーの連結を検出するように構成されている、装置。
【請求項３】
請求項１に記載の装置であって、  前記コンテナホルダーが、連結検出エレメントを含み、前記連結検出エレメントは、前記コンテナへの前記コンテナホルダーの連結を検出するように構成されており、  前記連結検出エレメントは、前記コンテナの一部分の所定の形状性質を検出するように、かつ、前記所定の形状の検出がないときに前記ドライビングユニットを駆動することを妨げるように構成されている、装置。
【請求項４】
請求項３に記載の装置であって、前記連結検出エレメントが、前記所定の形状性質を有する前記コンテナの前記一部分が前記コンテナホルダーに連結することによって変化させられる電流を評価することによって、前記所定の形状性質を検出するように構成されている、装置。
【請求項５】
請求項１に記載の装置であって、  前記コンテナホルダーが、連結検出エレメントを含み、前記連結検出エレメントは、前記コンテナへの前記コンテナホルダーの連結を検出するように構成されており、  前記連結検出エレメントは、    前記連結検出エレメントと前記コンテナの導電性部分との電気的接触、    前記連結検出エレメントの一部分と対応する前記コンテナの一部分との磁気的カップリング、および、    前記コンテナの一部分からの反射のレベルからなる群から選択される少なくとも１つのパラメーターを検出するように構成されている、装置。
【請求項６】
請求項１に記載の装置であって、前記１つまたは複数のユーザー入力エレメントが、１つまたは複数のユーザープッシュボタンを含む、装置。
【請求項７】
請求項１〜６のいずれか一項に記載の装置であって、前記１つまたは複数のユーザー入力エレメントが、前記コンテナホルダーの上側７５％の位置に配設されている、装置。
【請求項８】
請求項７に記載の装置であって、前記１つまたは複数のユーザー入力エレメントが、前記コンテナホルダーの上側５０％の位置に配設されている、装置。
【請求項９】
請求項８に記載の装置であって、前記１つまたは複数のユーザー入力エレメントが、前記コンテナホルダーの上側４０％の位置に配設されている、装置。
【請求項１０】
請求項１〜６のいずれか一項に記載の装置であって、前記１つまたは複数のユーザー入力エレメントが、前記コンテナが前記コンテナホルダーに連結されているときに、前記コンテナの上側７５％の付近に設置されるように構成されている、装置。
【請求項１１】
請求項１０に記載の装置であって、前記１つまたは複数のユーザー入力エレメントが、前記コンテナが前記コンテナホルダーに連結されているときに、前記コンテナの上側５０％の付近に設置されるように構成されている、装置。
【請求項１２】
請求項１〜６のいずれか一項に記載の装置であって、前記ユーザー入力エレメントが、電子的なユーザー入力エレメントを含み、前記ドライビングユニットが、電気機械的なドライビングユニットを含む、装置。
【請求項１３】
請求項１〜６のいずれか一項に記載の装置であって、前記ユーザー入力エレメントが、非電子的なユーザー入力エレメントを含み、前記ドライビングユニットは、非電気機械的なドライビングユニットを含む、装置。
【請求項１４】
請求項１〜６のいずれか一項に記載の装置であって、前記ユーザー入力エレメントが、機械的なユーザー入力エレメントを含み、前記ドライビングユニットは、スプリングベースのドライビングユニットを含む、装置。
【請求項１５】
請求項１４に記載の装置であって、前記コンテナホルダーが、前記スプリングの巻回を促進させるように構成されているノブを含む、装置。
【請求項１６】
請求項１〜６のいずれか一項に記載の装置であって、前記コンテナホルダーが、ユーザーアクティブ化可能な解放メカニズムを含み、前記ユーザーアクティブ化可能な解放メカニズムは、前記コンテナホルダーから前記コンテナを解放する働きをする、装置。
【請求項１７】
請求項１６に記載の装置であって、前記ユーザーアクティブ化可能な解放メカニズムが、前記コンテナホルダーの前記下側部分に配設されている、装置。
【請求項１８】
請求項１６に記載の装置であって、前記ユーザーアクティブ化可能な解放メカニズムが、前記コンテナホルダーの前記上側部分に配設されている、装置。
【請求項１９】
請求項１６に記載の装置であって、前記ユーザーアクティブ化可能な解放メカニズムが、エネルギー貯蔵エレメントを含み、前記エネルギー貯蔵エレメントは、前記コンテナを前記コンテナホルダーに最初に連結するときに、その変形によってエネルギーを貯蔵するように構成されており、また、前記エネルギー貯蔵エレメントは、前記ユーザーアクティブ化可能な解放メカニズムの作動の前に、前記コンテナを前記コンテナホルダーに連結する間に貯蔵された前記エネルギーを解放するように構成されている、装置。
【請求項２０】
請求項１９に記載の装置であって、前記コンテナホルダーが、前記ユーザーアクティブ化可能な解放メカニズムの作動の前に、前記コンテナを前記コンテナホルダーに連結する間に貯蔵された前記エネルギーの解放によって、前記コンテナにロックされる働きをする、装置。
【請求項２１】
請求項１〜６のいずれか一項に記載の装置であって、前記上側部分が、コンテナ連結用上側部分を画定するように形状決めされており、前記コンテナ連結用上側部分は、前記ホルダーの前記上側部分を前記コンテナの側部に連結させるように構成されている、装置。
【請求項２２】
請求項２１に記載の装置であって、前記コンテナ連結用上側部分が、前記コンテナの上側部分を保持するように構成されている１つまたは複数のグリップを含む、装置。
【請求項２３】
請求項２１に記載の装置であって、前記コンテナ連結用上側部分が、前記コンテナの上側部分を保持するように構成されている正確に２つのウィングを含む、装置。
【請求項２４】
請求項２３に記載の装置であって、前記２つのウィングが、押し付け力を前記コンテナに同時に加えるように構成されている、装置。
【請求項２５】
請求項１〜６のいずれか一項に記載の装置であって、前記上側部分が、背部を画定するように形状決めされており、前記背部は、前記下側部分から上方へ延在している、装置。
【請求項２６】
請求項１〜６のいずれか一項に記載の装置であって、  前記上側部分が、背部を画定するように形状決めされており、前記背部は、前記下側部分から上方へ延在しており、  前記上側部分が、    前記背部から延在する１つまたは複数のグリップであって、前記１つまたは複数のグリップは、前記背部を前記コンテナと接触している状態に保持することによって、前記背部が曲がることを防止するように構成されている、１つまたは複数のグリップ、および、    その中に開口部を有する閉じられた形状であって、前記閉じられた形状は、前記コンテナの少なくとも一部分を完全に取り囲むように構成されている、閉じられた形状  からなる群から選択される少なくとも１つの形状を画定するように形状決めされている、装置。
【請求項２７】
請求項１〜６のいずれか一項に記載の装置であって、前記ドライビングユニットが、前記１つまたは複数のユーザー入力エレメントの作動に応答して、前記可動プラットフォームを所定の距離だけ移動させるように構成されている、装置。
【請求項２８】
請求項２７に記載の装置であって、前記装置が、一回分量入力エレメントをさらに含み、前記一回分量入力エレメントは、前記組成物の所望の量の指示を受け入れるように構成されており、前記装置は、前記所望の量の前記指示に基づいて、前記所定の距離を設定する働きをする、装置。
【請求項２９】
請求項２７に記載の装置であって、前記所定の距離が、固定された距離であり、前記ドライビングユニットが、前記１つまたは複数のユーザー入力エレメントの作動に応答して、前記可動プラットフォームを前記固定された距離だけ移動させるように構成されている、装置。
【請求項３０】
請求項１〜６のいずれか一項に記載の装置であって、前記装置が、第２のユーザー入力エレメントをさらに含み、前記第２のユーザー入力エレメントの作動に応答して、前記ドライビングユニットは、前記１つまたは複数のユーザー入力エレメントの作動に応答して、前記ドライビングユニットが前記可動プラットフォームを移動させるように構成されている方向と反対側の方向に、前記可動プラットフォームを移動させるように構成されている、装置。
【請求項３１】
請求項１〜６のいずれか一項に記載の装置であって、前記コンテナホルダーが、スイッチをさらに含み、前記スイッチは、第１の期間の間に前記ドライビングユニットの機能を無効化するように構成されており、前記スイッチは、第２の期間の間に前記ドライビングユニットの機能を無効化しないように構成されており、前記スイッチは、前記１つまたは複数のユーザー入力エレメントから独立して動作可能である、装置。
【請求項３２】
請求項１〜６のいずれか一項に記載の装置であって、前記コンテナホルダーの前記上側部分が、スイッチを含み、前記スイッチは、前記コンテナのキャップが前記コンテナの上に配設されているときに、前記ドライビングユニットの機能を無効化するように構成されており、前記スイッチは、前記コンテナの前記キャップが前記コンテナの上に配設されていないときに、前記ドライビングユニットの機能を無効化しないように構成されている、装置。
【請求項３３】
請求項３２に記載の装置であって、前記スイッチが、前記コンテナホルダーの前記上側部分の最上部表面の上に配設されている、装置。
【請求項３４】
請求項１〜６のいずれか一項に記載の装置であって、前記下側部分が、前記ドライビングユニットに固定して連結されているねじ山付きのシャフトを含み、前記ねじ山付きのシャフトは、前記コンテナの前記可動プラットフォームの中へ挿入可能である、装置。
【請求項３５】
請求項３４に記載の装置であって、前記ねじ山付きのシャフトが、前記可動プラットフォームに対する前記ねじ山付きのシャフトの回転なしに、前記可動プラットフォームの中へ挿入可能である、装置。
【請求項３６】
請求項３５に記載の装置であって、前記ねじ山付きのシャフトが、回転によって、前記可動プラットフォームから除去可能であり、前記可動プラットフォームからの前記ねじ山付きのシャフトの除去は、前記可動プラットフォームに対する前記ねじ山付きのシャフトの回転がないときに妨げられる、装置。
【請求項３７】
請求項３５に記載の装置であって、前記ねじ山付きのシャフトが、前記ねじ山付きのシャフトの回転によって、前記可動プラットフォームから徐々に除去可能であり、前記ねじ山付きのシャフトの回転は、前記装置の通常の使用の間に前記ドライビングユニットによって誘発される、装置。
【請求項３８】
請求項３７に記載の装置であって、前記装置は、前記組成物をディスペンスするための前記コンテナを含み、前記ねじ山付きのシャフトは、前記コンテナの中の前記組成物が本質的に終了すると、前記ねじ山付きのシャフトが前記可動プラットフォームから除去されるようにサイズ決めされている、装置。
【請求項３９】
請求項１〜６のいずれか一項に記載の装置であって、前記パワーソースが、電源を含む、装置。
【請求項４０】
請求項１〜６のいずれか一項に記載の装置であって、前記１つまたは複数のユーザー入力エレメントが、検出器を含み、前記検出器は、前記コンテナの上側表面と対象者の皮膚との間の近接を検出するように構成されている、装置。
【請求項４１】
請求項１〜６のいずれか一項に記載の装置であって、  前記コンテナホルダーが、検出器をさらに含み、前記検出器は、（ａ）前記コンテナの上側表面と対象者の皮膚との間の近接、および、（ｂ）前記コンテナの上側表面と対象者の皮膚との間の接触からなる群から選択されるパラメーターを検出するように構成されており、  前記パワーソースは、前記検出器による検出に応答して前記ドライビングユニットを駆動することを促進させる働きをする、装置。
【請求項４２】
請求項４１に記載の装置であって、前記パワーソースは、前記１つまたは複数のユーザー入力エレメントの前記作動に応答するときでも、前記検出器による近接の検出がないときには、前記ドライビングユニットを駆動することを妨げる働きをする、装置。
【請求項４３】
請求項４１に記載の装置であって、前記検出器が、前記コンテナホルダーの上側表面に連結されている、装置。
【請求項４４】
請求項４１に記載の装置であって、前記検出器が、光学式近接検出器を含む、装置。
【請求項４５】
請求項４１に記載の装置であって、前記検出器が、機械的な検出器を含む、装置。
【請求項４６】
請求項４５に記載の装置であって、前記機械的な検出器が、圧力センサーおよび機械式スイッチからなる群から選択される少なくとも１つの機械的な検出器を含む、装置。
【請求項４７】
請求項４５に記載の装置であって、前記機械的な検出器が、前記コンテナと前記コンテナホルダーとの間の力を検出することによって、前記コンテナの前記上側表面と前記対象者の前記皮膚との間の前記近接を検出するように構成されている、装置。
【請求項４８】
請求項４１に記載の装置であって、前記検出器は、前記検出器が前記皮膚と接触している間に、前記皮膚に対する前記コンテナの移動を検出するように構成されている、装置。
【請求項４９】
請求項４８に記載の装置であって、前記検出器が、ローラーを含む、装置。
【請求項５０】
請求項１〜６のいずれか一項に記載の装置であって、前記コンテナホルダーが、デジタルディスプレイを含む、装置。
【請求項５１】
請求項５０に記載の装置であって、前記デジタルディスプレイが、前記組成物の残りの量、前記装置が最後に使用された時間、前記装置に連結されているバッテリーの残りの寿命、現在の時間、現在の日付、および、前記組成物の塗布の残りの数からなる群から選択される少なくとも１つのパラメーターを示す働きをする、装置。
【請求項５２】
請求項１〜６のいずれか一項に記載の装置であって、前記コンテナホルダーが、前記コンテナに固定して連結されている、装置。
【請求項５３】
請求項１〜６のいずれか一項に記載の装置であって、前記装置が、コンテナとともに使用するためのものであり、前記装置が、光源を含む、装置。
【請求項５４】
請求項５３に記載の装置であって、前記光源が、前記コンテナの中の前記組成物を照射するように構成されている、装置。
【請求項５５】
請求項５３に記載の装置であって、前記光源が、前記コンテナのキャップが除去されているときにアクティブ化させられるように構成されている、装置。
【請求項５６】
請求項５３に記載の装置であって、前記光源が、１つまたは複数のユーザー入力エレメントがアクティブ化するとアクティブ化させられるように構成されている、装置。
【請求項５７】
請求項１〜６のいずれか一項に記載の装置であって、前記装置が、レベル指示エレメントをさらに含み、前記レベル指示エレメントは、前記組成物の残りの量を示すように配置されている、装置。
【請求項５８】
請求項５７に記載の装置であって、前記レベル指示エレメントが、前記コンテナの中に透明なスロットを画定するように形状決めされている、装置。
【請求項５９】
請求項５７に記載の装置であって、前記レベル指示エレメントが、前記コンテナホルダーの中に透明なスロットを画定するように形状決めされている、装置。
【請求項６０】
請求項５７に記載の装置であって、前記レベル指示エレメントが、電導性エレメント、磁気的なエレメント、および、光学的に反射性のエレメントからなる群から選択される、装置。
【請求項６１】
請求項５７に記載の装置であって、前記レベル指示エレメントが、連続的に変化する前記組成物の残りの量を示すように構成されている、装置。
【請求項６２】
請求項５７に記載の装置であって、前記レベル指示エレメントが、指示光源を含み、前記指示光源は、前記組成物の前記残りの量を示すように構成されている、装置。
【請求項６３】
請求項６２に記載の装置であって、前記指示光源が、フラッシングすることによって、前記組成物の前記残りの量を示すように構成されている、装置。
【請求項６４】
請求項６２に記載の装置であって、前記指示光源が、色を変化させることによって、前記組成物の前記残りの量を示すように構成されている、装置。
【請求項６５】
請求項１〜６のいずれか一項に記載の装置であって、前記装置が、振動エレメントをさらに含み、前記振動エレメントは、前記コンテナおよび前記コンテナホルダーが連結するとアクティブ化させられるように構成されている、装置。
【請求項６６】
請求項１〜６のいずれか一項に記載の装置であって、前記装置が、振動エレメントをさらに含み、前記振動エレメントは、前記１つまたは複数のユーザー入力エレメントが作動するとアクティブ化させられるように構成されている、装置。
【請求項６７】
請求項１〜６のいずれか一項に記載の装置であって、前記装置が、振動エレメントをさらに含み、前記振動エレメントは、前記コンテナのキャップが除去されるときにアクティブ化させられるように構成されている、装置。
【請求項６８】
デオドラントおよび発汗抑制剤からなる群から選択される少なくとも１つの組成物を含む組成物と、  前記組成物を含有するコンテナであって、前記コンテナは、可動プラットフォームを含み、前記可動プラットフォームは、前記プラットフォームの移動が前記コンテナから前記組成物をディスペンスするように構成されている、コンテナとを含む装置であって、  前記装置は、消費者への販売用にパッケージ化されており、前記装置は、その回転によって前記コンテナの中で前記プラットフォームを上方へ移動させるシャフトを含まない、装置。
【請求項６９】
請求項６８に記載の装置であって、前記組成物が、粘性の組成物を含み、前記コンテナが、上側表面を含み、前記上側表面は、前記粘性の組成物を、それを通してディスペンスするのに適切な複数の孔部を画定するように形状決めされている、装置。
【請求項７０】
請求項６８に記載の装置であって、前記組成物が、固形スティック組成物として形状決めされており、前記コンテナが、開口した上側表面を有するように形状決めされており、前記開口した上側表面は、前記固形スティック組成物がそれを通って通過することを促進させるのに適切である、装置。
【請求項７１】
請求項７０に記載の装置であって、前記コンテナおよび前記コンテナホルダーが、互いに固定して連結されている、装置。
【請求項７２】
請求項７０に記載の装置であって、前記装置が、第２のユーザー入力エレメントをさらに含み、前記第２のユーザー入力エレメントの作動に応答して、前記１つまたは複数のユーザー入力エレメントは、前記１つまたは複数のユーザー入力エレメントの作動に応答して、前記ドライビングユニットをアクティブ化させ、前記ドライビングユニットが前記可動プラットフォームを移動させるように構成されている方向と反対側の方向に、前記可動プラットフォームを移動させるように構成されている、装置。
【請求項７３】
請求項６８〜７２のいずれか一項に記載の装置であって、前記コンテナが、下側部分を含み、前記下側部分は、シャフトがそれを通って通過するための開口部を画定するように形状決めされている、装置。
【請求項７４】
請求項７３に記載の装置であって、前記開口部の断面積が、０．０６ｃｍ２から１ｃｍ２である、装置。
【請求項７５】
請求項７３に記載の装置であって、前記開口部の断面積が、１ｃｍ２から２５ｃｍ２である、装置。
【請求項７６】
請求項６８〜７２のいずれか一項に記載の装置であって、前記装置が、シャフトをさらに含み、前記シャフトは、前記シャフトの回転が、前記コンテナの中で前記プラットフォームを上方へ移動させない状態で、前記コンテナの中で前記シャフトを移動させる様式で、前記プラットフォームに螺合されている、装置。
【請求項７７】
請求項７６に記載の装置であって、前記装置は、前記コンテナの中での前記シャフトの下向きの運動が、前記シャフトの回転の間に制限されないことを特徴とするが、前記コンテナの中での前記シャフトの下向きの運動が前記シャフトの回転の間に制限される場合には、前記シャフトの一方向の回転が、前記コンテナの中で前記プラットフォームを上方へ移動させることとなる、装置。
【請求項７８】
請求項６８〜７２のいずれか一項に記載の装置であって、前記可動プラットフォームが、シャフトに螺合連結されていない、装置。
【請求項７９】
請求項７８に記載の装置であって、前記可動プラットフォームが、ねじ山付きの孔部を画定するように形状決めされている、装置。
【請求項８０】
請求項６８〜７２のいずれか一項に記載の装置であって、  前記可動プラットフォームが、シャフトに螺合連結されておらず、  前記可動プラットフォームが、孔部を画定するように形状決めされており、  前記装置が、ねじ山付きのシャフトとともに使用するためのものであり、  前記可動プラットフォームが、可撓性のねじ山付きのセグメントを含み、前記可撓性のねじ山付きのセグメントは、前記孔部を取り囲んでおり、前記可撓性のねじ山付きのセグメントは、前記ねじ山付きの孔部を通して前記シャフトを挿入するときに前記シャフトの軸線から離れるように曲がることによって、前記シャフトの回転なしに、前記孔部を通して前記ねじ山付きのシャフトを挿入することを促進させる、装置。
【請求項８１】
請求項８０に記載の装置であって、前記ねじ山付きの孔部を通して前記シャフトを挿入することに続いて、前記可撓性のねじ山付きのセグメントは、前記ねじ山付きのシャフトに螺合するように構成されている、装置。
【請求項８２】
請求項６８〜７２のいずれか一項に記載の装置であって、前記装置は、コンテナホルダーとともに使用するためのものであり、前記コンテナの下側表面は、丸い表面、凸形表面、溝付きの表面、波状の表面、および歯付き表面からなる群から選択される少なくとも１つの表面を画定するように形状決めされており、前記コンテナホルダーの対応表面に対応している、装置。
【請求項８３】
請求項６８〜７２のいずれか一項に記載の装置であって、前記装置は、コンテナホルダーとともに使用するためのものであり、前記コンテナは、前記コンテナホルダーから前記コンテナを解放する働きをするユーザーアクティブ化可能な解放メカニズムを含む、装置。
【請求項８４】
請求項８３に記載の装置であって、前記ユーザーアクティブ化可能な解放メカニズムが、エネルギー貯蔵エレメントを含み、前記エネルギー貯蔵エレメントは、前記コンテナを前記コンテナホルダーに最初に連結するときに、その変形によってエネルギーを貯蔵するように構成されており、また、前記エネルギー貯蔵エレメントは、前記ユーザーアクティブ化可能な解放メカニズムの作動の前に、前記コンテナを前記コンテナホルダーに連結する間に貯蔵された前記エネルギーを解放するように構成されている、装置。
【請求項８５】
請求項８３に記載の装置であって、前記コンテナが、前記ユーザーアクティブ化可能な解放メカニズムの作動の前に、前記コンテナを前記コンテナホルダーに連結する間に貯蔵された前記エネルギーの解放によって、前記コンテナホルダーにロックされる働きをする、装置。
【請求項８６】
請求項６８〜７２のいずれか一項に記載の装置であって、前記コンテナが、検出可能なエレメントを含み、前記検出可能なエレメントは、前記コンテナの最底部表面から２ｃｍから５ｃｍの間に配設されており、前記検出可能なエレメントは、電導性エレメント、磁気的なエレメント、および光学的に反射性のエレメントからなる群から選択される、装置。
【請求項８７】
請求項６８〜７２のいずれか一項に記載の装置であって、前記コンテナが、検出可能なエレメントを含み、前記検出可能なエレメントは、前記コンテナの最上部表面から２ｃｍから５ｃｍの間に配設されており、前記検出可能なエレメントは、電導性エレメント、磁気的なエレメント、および光学的に反射性のエレメントからなる群から選択される、装置。
【請求項８８】
請求項６８〜７２のいずれか一項に記載の装置であって、前記コンテナが、電導性エレメントを含み、前記電導性エレメントは、長さが少なくとも１ｃｍであり、前記コンテナの外側表面の上に配設されている、装置。
【請求項８９】
請求項８８に記載の装置であって、前記電導性エレメントは、長さが少なくとも５ｃｍであり、直線状ではない、装置。
【請求項９０】
請求項８８に記載の装置であって、前記装置が、電子回路を含むコンテナホルダーとともに使用するためのものであり、前記電導性エレメントは、前記コンテナを前記コンテナホルダーに連結すると、前記電導性エレメントが前記電子回路を閉じるように位置決めされている、装置。
【請求項９１】
請求項６８〜７２のいずれか一項に記載の装置であって、前記装置が、キャップをさらに含み、前記キャップは、前記コンテナの上に除去可能に設置可能であり、前記キャップは、下側表面を有しており、前記下側表面は、少なくとも１つのインデントおよび少なくとも１つの突出部からなる群から選択される少なくとも１つの形状性質を画定するように形状決めされている、装置。
【請求項９２】
請求項９１に記載の装置であって、前記少なくとも１つの形状性質は、少なくとも２つのインデントおよび少なくとも２つの突出部からなる群から選択される、装置。
【請求項９３】
請求項９１に記載の装置であって、前記装置が、スイッチを有するコンテナホルダーとともに使用するためのものであり、前記キャップの前記少なくとも１つの形状性質は、前記コンテナホルダーが前記コンテナに連結されているときに、前記キャップを前記コンテナに連結すると、前記スイッチをアクティブ化させるように構成されている、装置。
【請求項９４】
請求項６８〜７２のいずれか一項に記載の装置であって、前記消費者への販売用にパッケージ化されているような前記装置は、前記コンテナの中に使い捨てのバッテリーを含み、前記バッテリーは、（ａ）前記消費者への販売用にパッケージ化されているような前記装置の中に含まれ、かつ、（ｂ）前記可動プラットフォームを駆動し得る、前記装置の任意のコンポーネントに電気を供給するように構成されていない、装置。
【請求項９５】
請求項６８〜７２のいずれか一項に記載の装置であって、前記装置が、コンテナホルダーとともに使用するためのものであり、前記コンテナの一部分は、所定の表面形状を画定するように形状決めされており、前記所定の表面形状は、前記コンテナホルダーの対応する所定の表面形状に連結するように構成されており、かつ、前記コンテナホルダーからの前記コンテナのすべりを妨げるように構成されている、装置。
【請求項９６】
組成物を含有するコンテナとともに使用するための装置であって、前記コンテナは、可動プラットフォームを含み、前記装置は、  コンテナホルダーを含み、前記コンテナホルダーは、  １つまたは複数のユーザー入力エレメントを含む上側部分と、  ドライビングユニットおよびパワーソースを含む下側部分であって、前記パワーソースは、前記１つまたは複数のユーザー入力エレメントの作動に応答して、前記ドライビングユニットを駆動し、前記コンテナの前記可動プラットフォームを移動させる働きをする、下側部分とを含む、組成物を含有するコンテナとともに使用するための装置。
【請求項９７】
請求項９６に記載の装置であって、前記組成物が、デオドラント、発汗抑制剤、スキンケア組成物、医薬組成物を含む組成物、化粧品組成物、および超音波ゲル組成物からなる群から選択され、前記装置は、選択された前記組成物を含有する前記コンテナとともに使用するためのものである、装置。
【請求項９８】
請求項９７に記載の装置であって、選択された前記組成物が、前記化粧品組成物を含み、前記装置が、前記化粧品組成物を含有する前記コンテナとともに使用するためのものである、装置。
【請求項９９】
請求項９７に記載の装置であって、選択された前記組成物が、前記スキンケア組成物を含み、前記装置が、前記スキンケア組成物を含有する前記コンテナとともに使用するためのものである、装置。
【請求項１００】
請求項９９に記載の装置であって、前記スキンケア組成物が、フェイスクリームを含み、前記装置が、前記フェイスクリームを含有する前記コンテナとともに使用するためのものである、装置。
【請求項１０１】
請求項９７に記載の装置であって、選択された前記組成物が、前記医薬組成物を含み、前記装置が、前記医薬組成物を含有する前記コンテナとともに使用するためのものである、装置。
【請求項１０２】
請求項１０１に記載の装置であって、前記医薬組成物が、ホルモンを含み、前記装置が、前記ホルモンを含む前記医薬組成物を含有する前記コンテナとともに使用するためのものである、装置。
【請求項１０３】
請求項１０２に記載の装置であって、前記ホルモンが、ステロイドホルモンを含み、前記装置が、前記ステロイドホルモンを含む前記医薬組成物を含有する前記コンテナとともに使用するためのものである、装置。
【請求項１０４】
請求項１０２に記載の装置であって、前記ホルモンが、テストステロンを含み、前記装置が、前記テストステロンを含む前記医薬組成物を含有する前記コンテナとともに使用するためのものである、装置。
【請求項１０５】
請求項１０２に記載の装置であって、前記ホルモンが、コルチゾンを含み、前記装置が、前記コルチゾンを含む前記医薬組成物を含有する前記コンテナとともに使用するためのものである、装置。
【請求項１０６】
請求項９６〜１０５のいずれか一項に記載の装置であって、前記コンテナホルダーが、連結検出エレメントを含み、前記連結検出エレメントは、前記コンテナへの前記コンテナホルダーの連結を検出するように構成されている、装置。
【請求項１０７】
請求項９６〜１０５のいずれか一項に記載の装置であって、  前記コンテナホルダーが、連結検出エレメントを含み、前記連結検出エレメントは、前記コンテナへの前記コンテナホルダーの連結を検出するように構成されており、  前記連結検出エレメントは、前記コンテナの一部分の所定の形状性質を検出するように、かつ、前記所定の形状の検出がないときに前記ドライビングユニットを駆動することを妨げるように構成されている、装置。
【請求項１０８】
請求項１０７に記載の装置であって、前記連結検出エレメントが、前記所定の形状性質を有する前記コンテナの前記一部分が前記コンテナホルダーに連結することによって変化させられる電流を評価することによって、前記所定の形状性質を検出するように構成されている、装置。
【請求項１０９】
請求項９６〜１０５のいずれか一項に記載の装置であって、  前記コンテナホルダーが、連結検出エレメントを含み、前記連結検出エレメントは、前記コンテナへの前記コンテナホルダーの連結を検出するように構成されており、  前記連結検出エレメントは、    前記連結検出エレメントと前記コンテナの導電性部分との電気的接触、    前記連結検出エレメントの一部分と対応する前記コンテナの一部分との磁気的カップリング、および、    前記コンテナの一部分からの反射のレベルからなる群から選択される少なくとも１つのパラメーターを検出するように構成されている、装置。
【請求項１１０】
請求項９６〜１０５のいずれか一項に記載の装置であって、前記１つまたは複数のユーザー入力エレメントが、１つまたは複数のユーザープッシュボタンを含む、装置。
【請求項１１１】
請求項９６〜１０５のいずれか一項に記載の装置であって、前記１つまたは複数のユーザー入力エレメントが、前記コンテナホルダーの上側７５％の位置に配設されている、装置。
【請求項１１２】
請求項１１１に記載の装置であって、前記１つまたは複数のユーザー入力エレメントが、前記コンテナホルダーの上側５０％の位置に配設されている、装置。
【請求項１１３】
請求項１１２に記載の装置であって、前記１つまたは複数のユーザー入力エレメントが、前記コンテナホルダーの上側４０％の位置に配設されている、装置。
【請求項１１４】
請求項９６〜１０５のいずれか一項に記載の装置であって、前記１つまたは複数のユーザー入力エレメントが、前記コンテナが前記コンテナホルダーに連結されているときに、前記コンテナの上側７５％の付近に設置されるように構成されている、装置。
【請求項１１５】
請求項１１４に記載の装置であって、前記１つまたは複数のユーザー入力エレメントが、前記コンテナが前記コンテナホルダーに連結されているときに、前記コンテナの上側５０％の付近に設置されるように構成されている、装置。
【請求項１１６】
請求項９６〜１０５のいずれか一項に記載の装置であって、前記ユーザー入力エレメントが、電子的なユーザー入力エレメントを含み、前記ドライビングユニットが、電気機械的なドライビングユニットを含む、装置。
【請求項１１７】
請求項９６〜１０５のいずれか一項に記載の装置であって、前記ユーザー入力エレメントが、非電子的なユーザー入力エレメントを含み、前記ドライビングユニットは、非電気機械的なドライビングユニットを含む、装置。
【請求項１１８】
請求項９６〜１０５のいずれか一項に記載の装置であって、前記ユーザー入力エレメントが、機械的なユーザー入力エレメントを含み、前記ドライビングユニットは、スプリングベースのドライビングユニットを含む、装置。
【請求項１１９】
請求項１１８に記載の装置であって、前記コンテナホルダーが、前記スプリングの巻回を促進させるように構成されているノブを含む、装置。
【請求項１２０】
請求項９６〜１０５のいずれか一項に記載の装置であって、前記コンテナホルダーが、ユーザーアクティブ化可能な解放メカニズムを含み、前記ユーザーアクティブ化可能な解放メカニズムは、前記コンテナホルダーから前記コンテナを解放する働きをする、装置。
【請求項１２１】
請求項１２０に記載の装置であって、前記ユーザーアクティブ化可能な解放メカニズムが、前記コンテナホルダーの前記下側部分に配設されている、装置。
【請求項１２２】
請求項１２０に記載の装置であって、前記ユーザーアクティブ化可能な解放メカニズムが、前記コンテナホルダーの前記上側部分に配設されている、装置。
【請求項１２３】
請求項１２０に記載の装置であって、前記ユーザーアクティブ化可能な解放メカニズムが、エネルギー貯蔵エレメントを含み、前記エネルギー貯蔵エレメントは、前記コンテナを前記コンテナホルダーに最初に連結するときに、その変形によってエネルギーを貯蔵するように構成されており、また、前記エネルギー貯蔵エレメントは、前記ユーザーアクティブ化可能な解放メカニズムの作動の前に、前記コンテナを前記コンテナホルダーに連結する間に貯蔵された前記エネルギーを解放するように構成されている、装置。
【請求項１２４】
請求項１２３に記載の装置であって、前記コンテナホルダーが、前記ユーザーアクティブ化可能な解放メカニズムの作動の前に、前記コンテナを前記コンテナホルダーに連結する間に貯蔵された前記エネルギーの解放によって、前記コンテナにロックされる働きをする、装置。
【請求項１２５】
請求項９６〜１０５のいずれか一項に記載の装置であって、前記上側部分が、コンテナ連結用上側部分を画定するように形状決めされており、前記コンテナ連結用上側部分は、前記ホルダーの前記上側部分を前記コンテナの側部に連結させるように構成されている、装置。
【請求項１２６】
請求項１２５に記載の装置であって、前記コンテナ連結用上側部分が、前記コンテナの上側部分を保持するように構成されている１つまたは複数のグリップを含む、装置。
【請求項１２７】
請求項１２５に記載の装置であって、前記コンテナ連結用上側部分が、前記コンテナの上側部分を保持するように構成されている正確に２つのウィングを含む、装置。
【請求項１２８】
請求項１２７に記載の装置であって、前記２つのウィングが、押し付け力を前記コンテナに同時に加えるように構成されている、装置。
【請求項１２９】
請求項９６〜１０５のいずれか一項に記載の装置であって、前記上側部分が、背部を画定するように形状決めされており、前記背部は、前記下側部分から上方へ延在している、装置。
【請求項１３０】
請求項９６〜１０５のいずれか一項に記載の装置であって、  前記上側部分が、背部を画定するように形状決めされており、前記背部は、前記下側部分から上方へ延在しており、  前記上側部分が、    前記背部から延在する１つまたは複数のグリップであって、前記１つまたは複数のグリップは、前記背部を前記コンテナと接触している状態に保持することによって、前記背部が曲がることを防止するように構成されている、１つまたは複数のグリップ、および、    その中に開口部を有する閉じられた形状であって、前記閉じられた形状は、前記コンテナの少なくとも一部分を完全に取り囲むように構成されている、閉じられた形状  からなる群から選択される少なくとも１つの形状を画定するように形状決めされている、装置。
【請求項１３１】
請求項９６〜１０５のいずれか一項に記載の装置であって、前記ドライビングユニットが、前記１つまたは複数のユーザー入力エレメントの作動に応答して、前記可動プラットフォームを所定の距離だけ移動させるように構成されている、装置。
【請求項１３２】
請求項１３１に記載の装置であって、前記装置が、一回分量入力エレメントをさらに含み、前記一回分量入力エレメントは、前記組成物の所望の量の指示を受け入れるように構成されており、前記装置は、前記所望の量の前記指示に基づいて、前記所定の距離を設定する働きをする、装置。
【請求項１３３】
請求項１３１に記載の装置であって、前記所定の距離が、固定された距離であり、前記ドライビングユニットが、前記１つまたは複数のユーザー入力エレメントの作動に応答して、前記可動プラットフォームを前記固定された距離だけ移動させるように構成されている、装置。
【請求項１３４】
請求項９６〜１０５のいずれか一項に記載の装置であって、前記装置が、第２のユーザー入力エレメントをさらに含み、前記第２のユーザー入力エレメントの作動に応答して、前記ドライビングユニットは、前記１つまたは複数のユーザー入力エレメントの作動に応答して、前記ドライビングユニットが前記可動プラットフォームを移動させるように構成されている方向と反対側の方向に、前記可動プラットフォームを移動させるように構成されている、装置。
【請求項１３５】
請求項９６〜１０５のいずれか一項に記載の装置であって、前記コンテナホルダーが、スイッチをさらに含み、前記スイッチは、第１の期間の間に前記ドライビングユニットの機能を無効化するように構成されており、前記スイッチは、第２の期間の間に前記ドライビングユニットの機能を無効化しないように構成されており、前記スイッチは、前記１つまたは複数のユーザー入力エレメントから独立して動作可能である、装置。
【請求項１３６】
請求項９６〜１０５のいずれか一項に記載の装置であって、前記コンテナホルダーの前記上側部分が、スイッチを含み、前記スイッチは、前記コンテナのキャップが前記コンテナの上に配設されているときに、前記ドライビングユニットの機能を無効化するように構成されており、前記スイッチは、前記コンテナの前記キャップが前記コンテナの上に配設されていないときに、前記ドライビングユニットの機能を無効化しないように構成されている、装置。
【請求項１３７】
請求項１３６に記載の装置であって、前記スイッチが、前記コンテナホルダーの前記上側部分の最上部表面の上に配設されている、装置。
【請求項１３８】
請求項９６〜１０５のいずれか一項に記載の装置であって、前記下側部分が、前記ドライビングユニットに固定して連結されているねじ山付きのシャフトを含み、前記ねじ山付きのシャフトは、前記コンテナの前記可動プラットフォームの中へ挿入可能である、装置。
【請求項１３９】
請求項１３８に記載の装置であって、前記ねじ山付きのシャフトが、前記可動プラットフォームに対する前記ねじ山付きのシャフトの回転なしに、前記可動プラットフォームの中へ挿入可能である、装置。
【請求項１４０】
請求項１３９に記載の装置であって、前記ねじ山付きのシャフトが、回転によって、前記可動プラットフォームから除去可能であり、前記可動プラットフォームからの前記ねじ山付きのシャフトの除去は、前記可動プラットフォームに対する前記ねじ山付きのシャフトの回転がないときに妨げられる、装置。
【請求項１４１】
請求項１３９に記載の装置であって、前記ねじ山付きのシャフトが、前記ねじ山付きのシャフトの回転によって、前記可動プラットフォームから徐々に除去可能であり、前記ねじ山付きのシャフトの回転は、前記装置の通常の使用の間に前記ドライビングユニットによって誘発される、装置。
【請求項１４２】
請求項１４１に記載の装置であって、前記装置は、前記組成物をディスペンスするための前記コンテナを含み、前記ねじ山付きのシャフトは、前記コンテナの中の前記組成物が本質的に終了すると、前記ねじ山付きのシャフトが前記可動プラットフォームから除去されるようにサイズ決めされている、装置。
【請求項１４３】
請求項９６〜１０５のいずれか一項に記載の装置であって、前記パワーソースが、電源を含む、装置。
【請求項１４４】
請求項９６〜１０５のいずれか一項に記載の装置であって、前記１つまたは複数のユーザー入力エレメントが、検出器を含み、前記検出器は、前記コンテナの上側表面と対象者の皮膚との間の近接を検出するように構成されている、装置。
【請求項１４５】
請求項９６〜１０５のいずれか一項に記載の装置であって、  前記コンテナホルダーが、検出器をさらに含み、前記検出器は、（ａ）前記コンテナの上側表面と対象者の皮膚との間の近接、および、（ｂ）前記コンテナの上側表面と対象者の皮膚との間の接触からなる群から選択されるパラメーターを検出するように構成されており、  前記パワーソースは、前記検出器による検出に応答して前記ドライビングユニットを駆動することを促進させる働きをする、装置。
【請求項１４６】
請求項１４５に記載の装置であって、前記パワーソースは、前記１つまたは複数のユーザー入力エレメントの前記作動に応答するときでも、前記検出器による近接の検出がないときには、前記ドライビングユニットを駆動することを妨げる働きをする、装置。
【請求項１４７】
請求項１４５に記載の装置であって、前記検出器が、前記コンテナホルダーの上側表面に連結されている、装置。
【請求項１４８】
請求項１４５に記載の装置であって、前記検出器が、光学式近接検出器を含む、装置。
【請求項１４９】
請求項１４５に記載の装置であって、前記検出器が、機械的な検出器を含む、装置。
【請求項１５０】
請求項１４９に記載の装置であって、前記機械的な検出器が、圧力センサーおよび機械式スイッチからなる群から選択される少なくとも１つの機械的な検出器を含む、装置。
【請求項１５１】
請求項１４９に記載の装置であって、前記機械的な検出器が、前記コンテナと前記コンテナホルダーとの間の力を検出することによって、前記コンテナの前記上側表面と前記対象者の前記皮膚との間の前記近接を検出するように構成されている、装置。
【請求項１５２】
請求項１４５に記載の装置であって、前記検出器は、前記検出器が前記皮膚と接触している間に、前記皮膚に対する前記コンテナの移動を検出するように構成されている、装置。
【請求項１５３】
請求項１５２に記載の装置であって、前記検出器が、ローラーを含む、装置。
【請求項１５４】
請求項９６〜１０５のいずれか一項に記載の装置であって、前記コンテナホルダーが、デジタルディスプレイを含む、装置。
【請求項１５５】
請求項１５４に記載の装置であって、前記デジタルディスプレイが、前記組成物の残りの量、前記装置が最後に使用された時間、前記装置に連結されているバッテリーの残りの寿命、現在の時間、現在の日付、および、前記組成物の塗布の残りの数からなる群から選択される少なくとも１つのパラメーターを示す働きをする、装置。
【請求項１５６】
請求項９６〜１０５のいずれか一項に記載の装置であって、前記コンテナホルダーが、前記コンテナに固定して連結されている、装置。
【請求項１５７】
請求項９６〜１０５のいずれか一項に記載の装置であって、前記装置が、コンテナとともに使用するためのものであり、前記装置が、光源を含む、装置。
【請求項１５８】
請求項１５７に記載の装置であって、前記光源が、前記コンテナの中の前記組成物を照射するように構成されている、装置。
【請求項１５９】
請求項１５７に記載の装置であって、前記光源が、前記コンテナのキャップが除去されているときにアクティブ化させられるように構成されている、装置。
【請求項１６０】
請求項１５７に記載の装置であって、前記光源が、１つまたは複数のユーザー入力エレメントがアクティブ化するとアクティブ化させられるように構成されている、装置。
【請求項１６１】
請求項９６〜１０５のいずれか一項に記載の装置であって、前記装置が、レベル指示エレメントをさらに含み、前記レベル指示エレメントは、前記組成物の残りの量を示すように配置されている、装置。
【請求項１６２】
請求項１６１に記載の装置であって、前記レベル指示エレメントが、前記コンテナの中に透明なスロットを画定するように形状決めされている、装置。
【請求項１６３】
請求項１６１に記載の装置であって、前記レベル指示エレメントが、前記コンテナホルダーの中に透明なスロットを画定するように形状決めされている、装置。
【請求項１６４】
請求項１６１に記載の装置であって、前記レベル指示エレメントが、電導性エレメント、磁気的なエレメント、および、光学的に反射性のエレメントからなる群から選択される、装置。
【請求項１６５】
請求項１６１に記載の装置であって、前記レベル指示エレメントが、連続的に変化する前記組成物の残りの量を示すように構成されている、装置。
【請求項１６６】
請求項１６１に記載の装置であって、前記レベル指示エレメントが、指示光源を含み、前記指示光源は、前記組成物の前記残りの量を示すように構成されている、装置。
【請求項１６７】
請求項１６６に記載の装置であって、前記指示光源が、フラッシングすることによって、前記組成物の前記残りの量を示すように構成されている、装置。
【請求項１６８】
請求項１６６に記載の装置であって、前記指示光源が、色を変化させることによって、前記組成物の前記残りの量を示すように構成されている、装置。
【請求項１６９】
請求項９６〜１０５のいずれか一項に記載の装置であって、前記装置が、振動エレメントをさらに含み、前記振動エレメントは、前記コンテナおよび前記コンテナホルダーが連結するとアクティブ化させられるように構成されている、装置。
【請求項１７０】
請求項９６〜１０５のいずれか一項に記載の装置であって、前記装置が、振動エレメントをさらに含み、前記振動エレメントは、前記１つまたは複数のユーザー入力エレメントが作動するとアクティブ化させられるように構成されている、装置。
【請求項１７１】
請求項９６〜１０５のいずれか一項に記載の装置であって、前記装置が、振動エレメントをさらに含み、前記振動エレメントは、前記コンテナのキャップが除去されるときにアクティブ化させられるように構成されている、装置。
【請求項１７２】
組成物と、  前記組成物を含有するコンテナであって、前記コンテナは、可動プラットフォームを含み、前記可動プラットフォームは、前記プラットフォームの移動が前記コンテナから前記組成物をディスペンスするように構成されている、コンテナとを含む装置であって、  前記装置は、消費者への販売用にパッケージ化されており、前記装置は、その回転によって前記コンテナの中で前記プラットフォームを上方へ移動させるシャフトを含まない、装置。
【請求項１７３】
請求項１７２に記載の装置であって、前記組成物が、デオドラント、発汗抑制剤、スキンケア組成物、医薬組成物を含む組成物、化粧品組成物、および超音波ゲル組成物からなる群から選択される、装置。
【請求項１７４】
請求項１７３に記載の装置であって、選択された前記組成物が、前記化粧品組成物を含む、装置。
【請求項１７５】
請求項１７３に記載の装置であって、選択された前記組成物が、前記スキンケア組成物を含む、装置。
【請求項１７６】
請求項１７５に記載の装置であって、前記スキンケア組成物が、フェイスクリームを含む、装置。
【請求項１７７】
請求項１７３に記載の装置であって、選択された前記組成物が、前記医薬組成物を含む、装置。
【請求項１７８】
請求項１７７に記載の装置であって、前記医薬組成物が、ホルモンを含む、装置。
【請求項１７９】
請求項１７８に記載の装置であって、前記ホルモンが、ステロイドホルモンを含む、装置。
【請求項１８０】
請求項１７８に記載の装置であって、前記ホルモンが、テストステロンを含む、装置。
【請求項１８１】
請求項１７８に記載の装置であって、前記ホルモンが、コルチゾンを含む、装置。
【請求項１８２】
請求項１７２〜１８１のいずれか一項に記載の装置であって、前記組成物が、粘性の組成物を含み、前記コンテナが、上側表面を含み、前記上側表面は、前記粘性の組成物を、それを通してディスペンスするのに適切な複数の孔部を画定するように形状決めされている、装置。
【請求項１８３】
請求項１７２〜１８１のいずれか一項に記載の装置であって、前記組成物が、固形スティック組成物として形状決めされており、前記コンテナが、開口した上側表面を有するように形状決めされており、前記開口した上側表面は、前記固形スティック組成物がそれを通って通過することを促進させるのに適切である、装置。
【請求項１８４】
請求項１８３に記載の装置であって、前記コンテナおよび前記コンテナホルダーが、互いに固定して連結されている、装置。
【請求項１８５】
請求項１８３に記載の装置であって、前記装置が、第２のユーザー入力エレメントをさらに含み、前記第２のユーザー入力エレメントの作動に応答して、前記１つまたは複数のユーザー入力エレメントは、前記１つまたは複数のユーザー入力エレメントの作動に応答して、前記ドライビングユニットをアクティブ化させ、前記ドライビングユニットが前記可動プラットフォームを移動させるように構成されている方向と反対側の方向に、前記可動プラットフォームを移動させるように構成されている、装置。
【請求項１８６】
請求項１７２〜１８１のいずれか一項に記載の装置であって、前記コンテナが、下側部分を含み、前記下側部分は、シャフトがそれを通って通過するための開口部を画定するように形状決めされている、装置。
【請求項１８７】
請求項１８６に記載の装置であって、前記開口部の断面積が、０．０６ｃｍ２から１ｃｍ２である、装置。
【請求項１８８】
請求項１８６に記載の装置であって、前記開口部の断面積が、１ｃｍ２から２５ｃｍ２である、装置。
【請求項１８９】
請求項１７２〜１８１のいずれか一項に記載の装置であって、前記装置が、シャフトをさらに含み、前記シャフトは、前記シャフトの回転が、前記コンテナの中で前記プラットフォームを上方へ移動させない状態で、前記コンテナの中で前記シャフトを移動させる様式で、前記プラットフォームに螺合されている、装置。
【請求項１９０】
請求項１８９に記載の装置であって、前記装置は、前記コンテナの中での前記シャフトの下向きの運動が、前記シャフトの回転の間に制限されないことを特徴とするが、前記コンテナの中での前記シャフトの下向きの運動が前記シャフトの回転の間に制限される場合には、前記シャフトの一方向の回転が、前記コンテナの中で前記プラットフォームを上方へ移動させることとなる、装置。
【請求項１９１】
請求項１７２〜１８１のいずれか一項に記載の装置であって、前記可動プラットフォームが、シャフトに螺合連結されていない、装置。
【請求項１９２】
請求項１９１に記載の装置であって、前記可動プラットフォームが、ねじ山付きの孔部を画定するように形状決めされている、装置。
【請求項１９３】
請求項１７２〜１８１のいずれか一項に記載の装置であって、  前記可動プラットフォームが、シャフトに螺合連結されておらず、  前記可動プラットフォームが、孔部を画定するように形状決めされており、  前記装置が、ねじ山付きのシャフトとともに使用するためのものであり、  前記可動プラットフォームが、可撓性のねじ山付きのセグメントを含み、前記可撓性のねじ山付きのセグメントは、前記孔部を取り囲んでおり、前記可撓性のねじ山付きのセグメントは、前記ねじ山付きの孔部を通して前記シャフトを挿入するときに前記シャフトの軸線から離れるように曲がることによって、前記シャフトの回転なしに、前記孔部を通して前記ねじ山付きのシャフトを挿入することを促進させる、装置。
【請求項１９４】
請求項１９３に記載の装置であって、前記ねじ山付きの孔部を通して前記シャフトを挿入することに続いて、前記可撓性のねじ山付きのセグメントは、前記ねじ山付きのシャフトに螺合するように構成されている、装置。
【請求項１９５】
請求項１７２〜１８１のいずれか一項に記載の装置であって、前記装置は、コンテナホルダーとともに使用するためのものであり、前記コンテナの下側表面は、丸い表面、凸形表面、溝付きの表面、波状の表面、および歯付き表面からなる群から選択される少なくとも１つの表面を画定するように形状決めされており、前記コンテナホルダーの対応表面に対応している、装置。
【請求項１９６】
請求項１７２〜１８１のいずれか一項に記載の装置であって、前記装置は、コンテナホルダーとともに使用するためのものであり、前記コンテナは、前記コンテナホルダーから前記コンテナを解放する働きをするユーザーアクティブ化可能な解放メカニズムを含む、装置。
【請求項１９７】
請求項１９６に記載の装置であって、前記ユーザーアクティブ化可能な解放メカニズムが、エネルギー貯蔵エレメントを含み、前記エネルギー貯蔵エレメントは、前記コンテナを前記コンテナホルダーに最初に連結するときに、その変形によってエネルギーを貯蔵するように構成されており、また、前記エネルギー貯蔵エレメントは、前記ユーザーアクティブ化可能な解放メカニズムの作動の前に、前記コンテナを前記コンテナホルダーに連結する間に貯蔵された前記エネルギーを解放するように構成されている、装置。
【請求項１９８】
請求項１９６に記載の装置であって、前記コンテナが、前記ユーザーアクティブ化可能な解放メカニズムの作動の前に、前記コンテナを前記コンテナホルダーに連結する間に貯蔵された前記エネルギーの解放によって、前記コンテナホルダーにロックされる働きをする、装置。
【請求項１９９】
請求項１７２〜１８１のいずれか一項に記載の装置であって、前記コンテナが、検出可能なエレメントを含み、前記検出可能なエレメントは、前記コンテナの最底部表面から２ｃｍから５ｃｍの間に配設されており、前記検出可能なエレメントは、電導性エレメント、磁気的なエレメント、および光学的に反射性のエレメントからなる群から選択される、装置。
【請求項２００】
請求項１７２〜１８１のいずれか一項に記載の装置であって、前記コンテナが、検出可能なエレメントを含み、前記検出可能なエレメントは、前記コンテナの最上部表面から２ｃｍから５ｃｍの間に配設されており、前記検出可能なエレメントは、電導性エレメント、磁気的なエレメント、および光学的に反射性のエレメントからなる群から選択される、装置。
【請求項２０１】
請求項１７２〜１８１のいずれか一項に記載の装置であって、前記コンテナが、電導性エレメントを含み、前記電導性エレメントは、長さが少なくとも１ｃｍであり、前記コンテナの外側表面の上に配設されている、装置。
【請求項２０２】
請求項２０１に記載の装置であって、前記電導性エレメントは、長さが少なくとも５ｃｍであり、直線状ではない、装置。
【請求項２０３】
請求項２０１に記載の装置であって、前記装置が、電子回路を含むコンテナホルダーとともに使用するためのものであり、前記電導性エレメントは、前記コンテナを前記コンテナホルダーに連結すると、前記電導性エレメントが前記電子回路を閉じるように位置決めされている、装置。
【請求項２０４】
請求項１７２〜１８１のいずれか一項に記載の装置であって、前記装置が、キャップをさらに含み、前記キャップは、前記コンテナの上に除去可能に設置可能であり、前記キャップは、下側表面を有しており、前記下側表面は、少なくとも１つのインデントおよび少なくとも１つの突出部からなる群から選択される少なくとも１つの形状性質を画定するように形状決めされている、装置。
【請求項２０５】
請求項２０４に記載の装置であって、前記少なくとも１つの形状性質は、少なくとも２つのインデントおよび少なくとも２つの突出部からなる群から選択される、装置。
【請求項２０６】
請求項２０４に記載の装置であって、前記装置が、スイッチを有するコンテナホルダーとともに使用するためのものであり、前記キャップの前記少なくとも１つの形状性質は、前記コンテナホルダーが前記コンテナに連結されているときに、前記キャップを前記コンテナに連結すると、前記スイッチをアクティブ化させるように構成されている、装置。
【請求項２０７】
請求項１７２〜１８１のいずれか一項に記載の装置であって、前記消費者への販売用にパッケージ化されているような前記装置は、前記コンテナの中に使い捨てのバッテリーを含み、前記バッテリーは、（ａ）前記消費者への販売用にパッケージ化されているような前記装置の中に含まれ、かつ、（ｂ）前記可動プラットフォームを駆動し得る、前記装置の任意のコンポーネントに電気を供給するように構成されていない、装置。
【請求項２０８】
請求項１７２〜１８１のいずれか一項に記載の装置であって、前記装置が、コンテナホルダーとともに使用するためのものであり、前記コンテナの一部分は、所定の表面形状を画定するように形状決めされており、前記所定の表面形状は、前記コンテナホルダーの対応する所定の表面形状に連結するように構成されており、かつ、前記コンテナホルダーからの前記コンテナのすべりを妨げるように構成されている、装置。